(57)【特許請求の範囲】
【請求項１】
暖気運転モード及び／又は寒気運転モードで運転可能な、建物空間に進入する気流を処理するための乾燥剤空調システムであって、
実質的に垂直向きで配置される複数の構造体を含むコンディショナであって、前記構造体は、隣接する前記構造体の各対の間の空気流隙間によって互いに離間し、各構造体は、前記空気流隙間に面し、液体乾燥剤が横切って流れることができる少なくとも１つの外面を有し、前記気流は、前記液体乾燥剤が暖気運転モードで前記気流を除湿し、寒気運転モードで前記気流を加湿するように、前記構造体の間の前記空気流隙間を通って流れ、各構造体が、前記少なくとも１つの外面の下端に、前記構造体の前記少なくとも１つの外面を横切って流れた液体乾燥剤を収集するための別個の乾燥剤コレクタをさらに含み、前記乾燥剤コレクタは互いに離間し、前記乾燥剤コレクタの間の空気の流れを可能にする、コンディショナと、
前記コンディショナに接続された、前記コンディショナ内の前記乾燥剤コレクタから液体乾燥剤を受け取るためのリジェネレータであって、前記リジェネレータは、前記液体乾燥剤に暖気運転モードで水を脱着させ、寒気運転モードで水を吸収させる、リジェネレータと、
前記コンディショナを通って前記気流を動かすための装置と、
前記コンディショナおよび前記リジェネレータを通して前記液体乾燥剤を循環させるための装置と、
を備える乾燥剤空調システム。
【請求項２】
前記複数の構造体のそれぞれが、熱伝達流体が通って流れることができる通路を含み、前記暖気運転モードで前記熱伝達流体を冷却するための低熱源、および前記寒気運転モードで前記熱伝達流体を加熱するための熱源をさらに備える、請求項１に記載の乾燥剤空調システム。
【請求項３】
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、請求項１に記載の乾燥剤空調システム。
【請求項４】
前記コンディショナ内の前記構造体の間を流れる前記気流で乱流を引き起こすための装置をさらに備える、請求項１に記載の乾燥剤空調システム。
【請求項５】
前記リジェネレータが、実質的に垂直向きで配置される複数の構造体を備え、各構造体は、前記液体乾燥剤が横切って流れることができる少なくとも１つの表面を有し、前記気流は前記構造体の間を流れ、前記暖気運転モードで前記液体乾燥剤に水を脱着させ、前記寒気運転モードで前記液体乾燥剤に水を吸収させ、各構造体が、前記構造体の下端に、前記構造体の前記少なくとも１つの表面を横切って流れた液体乾燥剤を収集するための乾燥剤コレクタをさらに含む、請求項１に記載の乾燥剤空調システム。
【請求項６】
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、請求項５に記載の乾燥剤空調システム。
【請求項７】
前記コンディショナ内の前記構造体を出る熱伝達流体と、前記リジェネレータ内の前記構造体を出る前記熱伝達流体との間で熱を移送するためにヒートポンプをさらに備える、請求項５に記載の乾燥剤空調システム。
【請求項８】
前記建物空間に進入する前記気流が、前記コンディショナを通って概して水平方向で流れ、前記建物空間からの還気流または外気が前記リジェネレータを通って概して水平方向で流れる、請求項１に記載の乾燥剤空調システム。
【請求項９】
建物空間に進入する気流を処理するための方法であって、
実質的に垂直向きで配置された複数の構造体を含むコンディショナを提供するステップであって、各構造体が外面を含み、各構造体が前記入り組んだプレート構造体の下端に乾燥剤コレクタをさらに含む、提供するステップと、
各構造体の前記外面を横切って液体乾燥剤を流し、前記乾燥剤コレクタに液体乾燥剤を収集するステップと、
前記液体乾燥剤が暖気運転モードで前記気流を除湿するように、前記構造体の間を、または前記構造体を通って前記気流を流すステップと、
前記コンディショナで使用される熱伝達流体を冷却するための前記暖気運転モードで蒸発チラーとして働く空気処理装置で使用するための、前記コンディショナを出る前記除湿された気流の一部を迂回させるステップと、
前記コンディショナ内の前記乾燥剤コレクタから液体乾燥剤を受け取り、前記液体乾燥剤から水を吸収するステップと、
を含む方法。
【請求項１０】
前記建物空間からの還気を活用し、前記液体乾燥剤から水を吸収することをさらに含む、請求項９に記載の方法。
【請求項１１】
寒気運転モードで、前記方法は、前記気流を加湿するための前記液体乾燥剤、ならびに前記コンディショナで、および前記空気処理装置で前記液体乾燥剤を加熱するための熱伝達流体を活用することをさらに含む、請求項９に記載の方法。
【請求項１２】
前記構造体に進入する前記気流内で乱流を引き起こすことをさらに含む、請求項９に記載の方法。
【請求項１３】
前記蒸発チラーから冷却された熱伝達流体を移し、建物空間内の１つまたは複数の液体対空気熱交換器、顕熱空間冷却を提供することをさらに含む、請求項９に記載の方法。
【請求項１４】
水回収システムであって、
概して密封されたエンクロージャと、
前記エンクロージャ内の第１の空気処理装置であって、前記第１の空気処理装置が液体乾燥剤から水蒸気を引き出し、前記水蒸気を、前記空気処理装置を通って流れる気流に移すように構成され、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含み、前記第１の空気処理装置が、前記構造体に前記液体乾燥剤を供給するための液体乾燥剤ソースをさらに含む、第１の空気処理装置と、
前記第１の空気処理装置を出る前記気流を受け取る前記エンクロージャ内の第２の空気処理装置であって、前記第２の空気処理装置が、前記気流内の前記水蒸気の凝縮を引き起こし、前記エンクロージャの外部で移送できる液状水分を生じさせる、第２の空気処理装置と、
前記第１の空気処理装置と前記第２の空気処理装置との間で空気を循環させるための機構と、
を備える、水回収システム。
【請求項１５】
前記液体乾燥剤を加熱するための熱源をさらに備える、請求項１４に記載のシステム。
【請求項１６】
前記複数の構造体のそれぞれが、熱伝達流体が通って流れることができる通路を含み、前記熱伝達流体を加熱するための熱源をさらに備える、請求項１４に記載のシステム。
【請求項１７】
前記液体乾燥剤および前記熱伝達流体が、前記第１の空気処理装置内で概して反対方向で流れる、請求項１６に記載のシステム。
【請求項１８】
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、請求項１４に記載のシステム。
【請求項１９】
材料の前記シートが、膜または親水性材料を備える、請求項１８に記載のシステム。
【請求項２０】
材料の前記シートが、疎水性微細孔膜を備える、請求項１８に記載のシステム。
【請求項２１】
材料の前記シートが、疎水性材料の層および親水性材料の層を、前記疎水性材料と前記構造体の前記少なくとも１つの表面との間に備える、請求項１８に記載のシステム。
【請求項２２】
前記第１の空気処理装置内の前記構造体を通って、または前記構造体の間を流れる前記気流で乱流を引き起こすための装置をさらに備える、請求項１４に記載のシステム。
【請求項２３】
前記第２の空気処理装置が、前記構造体の間を、または前記構造体を通して前記気流の流れを可能にするように構成される、実質的に垂直向きで配置される複数の構造体を含み、各構造体が前記気流内の前記水蒸気が凝縮する表面を含む、請求項１４に記載のシステム。
【請求項２４】
前記構造体を冷却するための低熱源をさらに備える、請求項２３に記載のシステム。
【請求項２５】
前記第２の空気処理装置内の前記複数の構造体のそれぞれが、熱伝達流体が通って流れることができる通路を含み、前記熱伝達流体を冷却するための低熱源をさらに備える、請求項２３に記載の乾燥剤空調システム。
【請求項２６】
空気を循環させるための前記機構が、１つまたは複数のブロワを備える、請求項１４に記載のシステム。
【請求項２７】
前記エンクロージャ内部で空気圧を削減するための前記エンクロージャに接続された真空ポンプをさらに備える、請求項１４に記載のシステム。
【請求項２８】
液状水分を生成するための方法であって、
液体乾燥剤ソースから液体乾燥剤を提供することと、
概して密封されたエンクロージャ内の第１の空気処理装置内で気流を加湿することであって、前記第１の空気処理装置が、実質的に垂直向きで配置される複数の構造体を含み、各構造体が、前記液体乾燥剤が横切って流れることができる少なくとも１つの表面を有し、前記方法が、前記構造体の間でまたは前記構造体を通して前記気流を流し、前記液体乾燥剤から引き出される水蒸気で前記気流を加湿することと、
前記第１の処理装置から、前記概して密封されたエンクロージャ内の第２の処理装置に前記気流を移すことと、
第２の空気処理装置で前記気流中の前記水蒸気の凝縮を引き起こし、前記エンクロージャの外部で移すことができる液状水分を生成することと、
を含む方法。
【発明の詳細な説明】
【技術分野】
【０００１】
（関連出願の相互参照）
本願は、２０１０年５月２５日に出願され、SOLAR  AIR-CONDITIONING  AND  HEATING  SYSTEMSと題する米国仮特許出願第６１／３４８，０７６号、および２０１１年１月７日に出願され、METHODS  AND  SYSTEMS  FOR  DESICCANT  AIR  CONDITIONINGと題する米国仮特許出願第６１／４３０，６９２号に基づく優先権を主張するとともに、上記米国仮特許出願の開示内容は、参照により本明細書に組み込まれる、
【０００２】
本発明は、概して、液体乾燥剤を使用する空調、燃焼汚染物質の捕捉、塩分除去、および他のプロセスに関する。
【背景技術】
【０００３】
用語「空調」は、一般に、建物区間内に入る空気の処理を指し、当該処理は、特定の空間に入るまたは特定の空間から出てゆく空気の加熱、冷却、湿度調節、または浄化を含む。空調が膨大なエネルギー源を使用するものであること、および特に夏季の冷房が電力供給網の問題につながる場合があることは周知である。空調は、多くの場合、建物にとっての最大の営業経費である。
【０００４】
冷房のための現在の空調システムは、一般に、バルブアセンブリを通したフロンガス等のガスの圧縮、および圧縮ガスの膨張に基づいている。しかしながら、建物内に進入する空気の必須湿度レベルに達するために、空気は、一般に過剰に冷却され、水蒸気を液状水分に凝縮する必要がある。この脱湿（潜熱冷却）は、一般に、空気温度の物理的な引き下げ（顕熱冷却）よりも多くのエネルギーを空調システムで使用する。多くの場合、なおさらに大量のエネルギーを要する空調機の内部で再加熱器が利用される。
【０００５】
空気を加熱するための空調は、通常、天然ガスまたはなんらかの他の燃料の燃焼によって行われる。燃焼は、多くの場合、熱伝達流体を加熱し、熱伝達流体は、次いで、進入する空気が加熱されるファンコイルユニットに向けられる。多くの建物では、かかる顕熱加熱は、快適と感じるには低すぎる湿度レベルを生じさせるにすぎない。多くの場合、加湿器は、暖房システムと統合されている。しかしながら、かかる加湿は、空気の冷却を生じさせる。つまり、加湿器の冷却効果を相殺するためには、追加の暖房を適用しなければならなくなる。
【０００６】
固体乾燥剤は、おもに夏季冷房のために長年に渡って使用されてきた。しかしながら、空気が、断熱式で徐湿される（熱が、加えられない、または除去されない）ときに発生する加熱効果は、大量の顕熱冷却事後除湿を必要とし、結果的に、達成できるエネルギー節約を制限する。
【０００７】
Yazaki  Energy  Systemsによって製造される装置のような吸収  冷凍器は、通常、デシカント材が中に封入された低圧真空容器を活用している（Yazakiの場合では、LiBr2  および水であるが、シリカゲルを使用するシステムも開発されている。）ただし、低圧真空システムの使用は、設備のコストおよび複雑度を著しく高め、保守の要件を増やす。また、（空気から熱伝達流体、熱伝達流体から乾燥剤への）転換のたびに熱交換器、ファン、およびポンプが活用され、したがってコストはさらに高くなる。そして重要なことには、各転換は完全に効率的ではないため、かかる転換はより大きな温度要件を生じさせる。結果的に、吸収冷却器は、動作するためにより高い温度を必要とし、廃熱または低位熱を利用するシステムとの統合に関して、より適さなくなる。
【０００８】
さらに最近では、空気の除湿のために他の方法を利用するシステムが導入されている。DuCool  and  Agamによって製造されている液体乾燥剤システムは、CaCl2と水、またはLiCl2  と水溶液のような強力なデシカント材を使用して、空気中の水蒸気を吸収する。液体乾燥剤は、空気対乾燥剤の直接的な接触がない前述の吸収冷凍機とは異なり、空気にじかに露呈される。乾燥剤は、空気流から水分を吸収した後、余分な水を放出するために加熱される。冬期、かかる乾燥剤は、出ていく空気から熱および水分を回収し、入ってくる空気に移動させるために使用できる。
【０００９】
しかしながら、液体乾燥剤システムは、従来、使用される乾燥剤が通常は金属に対して強力な腐食性を有するものであるために、ときに空気流の中への乾燥剤のキャリーオーバーが発生し、そのために建物内部で激しい腐食の問題を生じさせるリスクに悩まされてきた。
【００１０】
さらに、液体乾燥剤システムは、通常、濾過材上に液体乾燥剤を噴霧し、空気に露呈される乾燥剤の表面積を増やす。噴霧は、空気流の中への乾燥剤のキャリーオーバーのリスクを高める。多くの場合、追加のミスト除去装置フィルタが使用され、空中を浮遊するあらゆる乾燥剤粒子を捕捉する。ただし、これらのミスト除去装置は、頻繁に保守および交換を必要とする。さらに、濾過材を使用する過程は、本質的にエネルギー効率が低い。濾過材は、空気流にとっては障害物であり、したがって一般に大きなファン動力を必要とする。また、濾過材は通常、熱的に非伝導性であり、それにより除湿のプロセスは断熱的になり、空気の望ましくない加熱を生じさせる。加熱効果に対抗するために、乾燥剤の流量を増やすことができ、乾燥剤を事前に冷却し、濾過材の除湿段階である程度のレベルの顕熱冷却を達成することができる。言うまでもなく流量を増やすことは、乾燥剤キャリーオーバーのリスクを高め、より多くの液体ポンプ動力を必要とする。液体乾燥剤は、通常、濾過材あら液体乾燥剤回収パンの中に「大量に落ちる」。これは、一般的に、液体乾燥剤システムが垂直空気流を使用することを妨げ、通常は空気が垂直に処理される建物屋上へのシステムの設置中により高価な配管を使用することを必要とする。さらに、ドレーンパンは、システムを「分割」システムとして容易にセットアップすることを可能とはせず、コンディショナおよびリジェネレータは物理的に別々の場所に位置する。さらに、ドレーンパンはシステムが拡張可能となることも容易に可能とはしない。つまり、パンのサイズを大きくしなければならない―拡張可能な設計によって容量を増すのではなく、新しい設計を意味する。
【００１１】
AIL  Researchは上述された欠陥のいくつかを克服する低流量乾燥剤システムを開発した。乾燥剤が空気を除湿している本来の位置で熱伝達流体を使用すると、熱性能はより高まり、ファンおよびポンプの動力は減少する。しかしながら、この手法は−屋上システムへの統合をはるかに困難にする−水平空気流、および底部に乾燥剤ドレーンパンを有するが、空気と液体との間の逆流を可能にしない非常に複雑なコンディショナ設計を利用する。また、乾燥剤は依然として直に空気流に露呈されているため、このシステムは、乾燥剤キャリーオーバーのリスクも有する。
【００１２】
乾燥剤の再生のための熱および必須温度のソースも、太陽光空調システムの設計では重要な検討事項である。乾燥剤の再生温度が低いほど、かかる（廃）熱の源を見つけることが容易なはずであることも明らかでなければならない。より高い再生温度は、より高い質の（温度）熱源を必要とし、したがって入手するのはより容易くない。最悪の場合、システムは、熱水炉等の非廃熱源によって動力を供給されなければならない。Yazakiの吸収装置は、１００℃ほどの高さの熱を生成できる真空管太陽熱モジュールによって動力を提供されている。集中型太陽熱モジュールはなおさら高温を達成できるが、多くの場合さらに高いコストで達成する。ガラス張りの平板太陽熱吸収装置は、通常、７０から８０℃のいくぶん低温で動作するが、高温ではその効率のかなりの部分を失ってしまう。つまり、十分な電力を発電するにはアレイサイズを大きくする必要がある。ガラスが入っていない平板太陽熱吸収装置は、より低温でより高い効率を有するが、一般に高温ではその効率の多くを失い、通常は６０℃より高い温度を達成することはできず、それにより吸収冷凍器との統合には不適当である。
【発明の概要】
【発明が解決しようとする課題】
【００１３】
上述された太陽熱源のどれも（集中型太陽熱、真空管コレクタ、ならびにガラス張り平板吸収装置およびガラスが入っていない吸収装置）は、熱を生成するのと同時に発電する。しかしながら、すべての空調システムは、依然としてファンおよび液体ポンプのために電気を必要とする。電気は、多くの場合、熱のために使用される燃料よりも、エネルギーの単位当たりはるかに高価である。したがって、電気だけではなく熱も提供できるエネルギー源を有することが望ましい。
【００１４】
太陽光を利用した太陽光電池モジュール（ＰＶモジュール）が、７０から８０℃近くなる温度での直接的な日光暴露で大幅に熱くなることが知られている。モジュール性能は温度の上昇とともに劣化するため、かかる温度は、モジュールの性能に対して劣化作用を有する。熱伝達流体をＰＶモジュール（ＰＶＴ（ＰＶ-熱）モジュールとして知られているモジュール）の背面に適用すると、事実上、熱がモジュールから引き寄せられ、その温度は下がり、その効率は上がる。熱伝達流体（通常は水または水とプロピレンまたはエチレングリコール）は、通常、ガラス張りの太陽熱吸収装置とガラスが入っていない太陽熱吸収装置との間の温度および熱効率に達することができる。
【００１５】
コストの観点から、従来のＰＶモジュールで強化された太陽熱システムは、ＰＶＴモジュールよりも費用効果が低く、ＰＶＴモジュールよりも多くの空間を占有する。ただし、ＰＶＴモジュールは、一般に、純粋な太陽熱システムよりも低い温度および効率を供給する。しかし、有益なことに、それらは、従来のＰＶＴモジュールよりも多くの電気を発電する。
【課題を解決するための手段】
【００１６】
さらに以下に詳説されるように、本明細書に開示される多様な実施形態は、液体乾燥剤を使用する空調、燃焼汚染物質捕捉、塩分除去、および他のプロセスのための方法およびシステムを対象とする。
【００１７】
１つまたは複数の実施形態によると、太陽による太陽光‐熱電池（ＰＶＴ)モジュールは、乾燥剤を加熱するために、乾燥剤空調システムに接続されている。ＰＶＴモジュールは、夏季の冷房および冬期の暖房のための多様な配置で接続できる。空調システムは、スプレーヘッド乾燥剤システムを含む水平空気流乾燥剤システムと垂直空気流乾燥剤システムの両方を含むことがある。
【００１８】
１つまたは複数の実施形態によると、ＰＶＴモジュールは、夏季冷房用の乾燥剤システムに冷水を提供するために使用できる。
【００１９】
１つまたは複数の実施形態によると、ＰＶＴモジュールは、乾燥剤空調システム内の空気の加湿器に入る水に熱を提供するために使用できる。
【００２０】
１つまたは複数の実施形態によると、空調システムは、乾燥剤を空気流に露呈するために使用される中空プレート構造体のセットを含むことがある。１つまたは複数の実施形態によると、プレート構造体はそれらに対する波状の形状の外観を有する。中空の波状のプレート構造は、液体乾燥剤の表面張力が、液体乾燥剤を排水溝の中に引き込むために使用されるように構築されている。１つまたは複数の追加の実施形態によると、膜または湿潤材料のようなシート材料が波状プレートの上に配置され、液体乾燥剤を排水溝の中に誘導できる。膜は、通常、孔のサイズが０．０１μｍから１μｍに及ぶ微細孔膜である場合がある。係る膜の例は、型名称ＥＺ２２００で、Celgard  of  Charlotte、ノースカロライナ、およびPolypore  Corporationの一部門によって製造される膜である。
【００２１】
１つまたは複数の実施形態によると、膜は、液体を均等に分散させることを意図する材料で裏打ちされた微細孔膜である。実施形態では、膜は疎水性の微細孔膜である。実施形態では、裏打ち材料は、ウィッキング材料等の親水性の材料である。係るウィッキング材料の例は、ニューヨーク州、ニューヨークのPellon  Companyによって製造されるインタフェーシング材である。
【００２２】
１つまたは複数の実施形態によると、波状のプレート構造体は、液体乾燥剤が、空気流を実質的に妨害することなく垂直空気流に露呈されるように空調システム内に配置される。
【００２３】
１つまたは複数の実施形態によると、波状のプレート構造体の複数のセットは、拡張可能な性質を有するスタックの中に配置することができ、乾燥剤の乾燥容量または湿潤容量は、単に追加の波状プレートを追加することによって容易に拡大できる。
【００２４】
１つまたは複数の実施形態によると、膜乾燥剤システムは、垂直空気流システムにおいて液体および空気の逆流を使用する空調システム用に提供される。
【００２５】
１つまたは複数の実施形態によると、膜の背部で液体の適切な分散を実現するように、膜または他の疎水性材料が、湿潤材料または他の親水性材料に接合される膜乾燥剤システムが提供される。実施形態では、プラスチック冷却チャンネルまたはサポートプレート等の（熱伝導性の）疎水性構造体に二重層が接合される。
【００２６】
１つまたは複数の実施形態によると、プレートの構造は、プレートの上部で液体乾燥剤を拡散し、プレートの底部でかかる乾燥剤を回収することを可能にする。
【００２７】
１つまたは複数の実施形態によると、波状プレートの垂直空気流乾燥剤セットに進む空気流は、予熱され、プレート構造体のセットを離れる空気は事後冷却される。
【００２８】
１つまたは複数の実施形態によると、プレート構造体は、プレートが熱を熱伝導できるが、熱伝導性のプラスチック材料を利用することによって依然として耐食であるように構築され、組み立てられる。実施形態では、かかるプラスチックは約５から１０Ｗ／ｍＫの熱コンダクタンスを有する。例として、標準的なプラスチックの熱コンダクタンスは０．１から０．５Ｗ／ｍＫに及ぶのに対し、銅、アルミニウム、ステンレス鋼およびチタニウムは、それぞれ約４００、２５０、１６および１８Ｗ／ｍＫのコンダクタンスを有する。これらの材料の内、チタニウムだけが、乾燥剤の腐食性性質のために、ＣａＣｌ２またはＬｉＣｌ２のような乾燥剤との使用にかなり適している。
【００２９】
１つまたは複数の実施形態によると、プラスチック構造体は、波状プレートが互いの上だけではなく、互いに平行にも積み上げることができるように、水平にだけではなく垂直に積み重ねることができるヘッダを使用して組み立てられる。
【００３０】
１つまたは複数の実施形態によると、プレート構造体は、膜が各プレート上に取り付けられ、液体乾燥剤を波状プレートの底部にあるヘッダに誘導するように組み立てられる。
【００３１】
１つまたは複数の実施形態によると、プレート構造体への空気入口は、波状プレートに進入する空気中で乱れた空気の動きを生じさせるようにメッシュまたは外乱プレートによって妨害される。
【００３２】
１つまたは複数の実施形態によると、ソーラーインバータは、空調システムへの電気的接続が、ソーラーモジュールのセットに建物への電気的接続を提供するように、空調システム統合している。いくつかの実施形態では、空調ユニットは、乾燥剤空調システムである。いくつかの実施形態では、乾燥剤空調システムは、垂直気流を使用する。いくつかの実施形態では、ソーラーモジュールはＰＶＴモジュールである。
【００３３】
１つまたは複数の実施形態では、液体乾燥剤垂直空気流システムは、冷水のソースとしてチラーを、温水のソースとしてガス湯沸かし器を活用し、ガス湯沸かし器はソーラーモジュールによって発生する熱によって補足される。
【００３４】
１つまたは複数の実施形態によると、ＰＶＴモジュールは乾燥剤空調システムに電力および熱を提供し、貯水タンクに熱を提供する。熱水は、ＰＶＴモジュールの真下のタンク内に徐々に保管することができ、電力は空調システムを動作するために使用できる。余分な電力は、他の装置に提供できる。
【００３５】
１つまたは複数の実施形態によると、ＰＶＴモジュールは、夜間に熱を放出し、したがって水の冷却を提供するようにセットアップされる。かかる冷却水は、乾燥剤空調システムの低温側用に日中利用可能にできるように貯水タンクに保管することができる。いくつかの実施形態では、かかる冷水は、ＰＶＴモジュールと組み合わせて蒸発チラーを使用して夜に生成することもできる。
【００３６】
１つまたは複数の実施形態によると、ＰＶＴモジュールは、タンクに入る、またはマニホールドに直接流れるようにサーモスタットスイッチで調節される熱水を生成する。いくつかの実施形態では、サーモスタットスイッチは、熱水の温度によって駆動される。いくつかの実施形態では、スイッチは遠隔制御によって操作される。
【００３７】
１つまたは複数の実施形態によると、水は、タンクが適切な均等に分配された重量を提供し、ＰＶＴモジュール用のバラストおよびサポートシステムとして機能するように、ＰＶＴモジュールの真下のタンクに保管される。いくつかの実施形態では、タンクは取り外し可能な蓋を有する。いくつかの実施形態では、タンクは、さらにモジュール用の出荷用コンテナとして機能できる。
【００３８】
１つまたは複数の実施形態では、ＰＶＴモジュールは、プレート構造体乾燥システムに接続される。いくつかの実施形態では、波状プレートシステムがセットアップされ、建物に冷気を提供する。いくつかの実施形態では、波状プレートシステムがセットアップされ、建物に温かい湿り空気を提供する。
【００３９】
１つまたは複数の実施形態によると、ＰＶＴモジュールは、建物空間に向かうことになっている空気用の加湿器に入ることになる水を予熱するように接続される。
【００４０】
１つまたは複数の実施形態では、乾燥剤は容器内の多様な層の中に分けられ、乾燥剤の濃度は容器の高さに沿って変わる。いくつかの実施形態では、容器は、乾燥剤空調システムに乾燥剤を提供し、回収するために使用される。いくつかの実施形態では、容器の出口の内の少なくとも１つは、異なる乾燥剤濃度の異なる層を選択的に容器から引き出すことができるように調整可能である。
【００４１】
１つまたは複数の実施形態によると、湿度が削減されるようにプレートコンディショナによって処理される空気流の一部は、水蒸気の蒸発を通して空気の冷却を実現するプレートの追加のセットに転用される。いくつかの実施形態では、係るシステムは、プレートの表面上の膜を使用する。いくつかの実施形態では、プレートの第２のセットを横切る空気流は逆転することができ、蒸発用の水は、冬期運転中、それが建物に進入する空気の追加ヒータ容量を提供するように、乾燥剤によって置換できる。
【００４２】
１つまたは複数の実施形態によると、プレート構造体のセットは、蒸発冷却効果を提供し、このように作られ、冷却された液体はコンディショナに向けられるだけではなく、１つまたは複数の液体が空気熱交換器に向けられる。本実施形態では、空気熱交換器に対するかかる液体は天井パネルである。実施形態では、空気熱交換器に対するかかる液体はファンコイルである。実施形態では、かかるファンコイルは配管内部に位置する。本実施形態では、空気熱交換器に対するかかる液体は床下に位置する。
【００４３】
１つまたは複数の実施形態によると、一連の穴が膜の上部に提供され、真空封止を抑制し、プレート構造体を覆う膜の背部からの乾燥剤の容易な排出を可能にする。
【００４４】
１つまたは複数の実施形態によると、プレート構造体は、非対称パターン上に穴を提供することによってプレートの表面上の水および液体乾燥剤への交互のアクセスを提供するように構築される。
【００４５】
１つまたは複数の実施形態によると、熱交換器は、熱伝導性プラスチックプレートを使用して構築され、腐食性の流体の間で熱伝達を提供する。いくつかの実施形態では、かかるプレート熱交換器は水平逆流および垂直逆流を使用する。いくつかの実施形態では、熱伝導性プレートは、熱交換器を促進し、それらを積み重ね、密封できるように構築される隆起および造作を有するように形成される。いくつかの実施形態では、熱伝導性プラスチックプレートは形成されないが、むしろ接着材料が使用され、プラスチックプレートの上部および／または底部において隆起を作り、取り付ける。いくつかの実施形態では、接着材料は、プレート間の液体にシールを提供するために使用される。本実施形態では、接着剤隆起は、下部プレートの隆起が上部プレートの上部の隆起を支えるように形成される。一方、シール接着剤は、２枚のプレートの間の隙間全体に及ぶ。実施形態では、接着剤材料は、ミネソタ州、セントポールの3M  Corporationによって製造されるMarine  5200である。
【００４６】
１つまたは複数の実施形態によると、プレート構造体の第１のセットは、密閉されている容器内に入れられ、プレートの第２のセットは容器の反対側に入れられる。プレートの第１のセットは、その表面上の任意選択の膜または湿潤材料を含む。プレートの第１のセットは、乾燥剤ソースから希釈された乾燥剤を受け取る。また、プレートの第１のセットは、ソースから加熱された熱伝達流体も受け取る。ファンが、水蒸気がプレートの第１のセットから取り出されるように、密閉されている容器の内部で空気の動きを提供する。プレートの第２のセットは、その表面での水の凝縮を生じさせるように、空気環境およびエンクロージャに比較して相対的に冷たい。水は密封されたエンクロージャから引き出すことができる。いくつかの実施形態では、プレートの第２のセットは、外部低熱源によって冷却される。
【００４７】
１つまたは複数の実施形態によると、液体乾燥剤がその表面に露光されるプレート構造体のセットが、気流から水分を収集し、希釈乾燥剤を密閉されている容器に向け、乾燥剤は再生され、水蒸気が液状水分の形で回収される。いくつかの実施形態では、システム用の熱は太陽熱モジュールによって提供される。いくつかの実施形態では、システム用の熱はＰＶＴモジュールによって提供される。
【００４８】
１つまたは複数の実施形態によると、液体乾燥剤は、密閉されている容器内で最初に再生され、その後、プレート構造体の開放アレイ内で再生される。いくつかの実施形態では、密閉されている容器内で回収される水が、プレート構造体のセットに転用され、蒸発冷却効果を提供する。
【００４９】
１つまたは複数の実施形態によると、燃料燃焼は、その表面に液体乾燥剤を有するプレート構造体のセットを通して排ガスが向けられるように起こる。排ガスは、乾燥剤の中に取り込むことができる、二酸化炭素、水蒸気、ならびにＳＯｘおよびＮＯｘ等の汚染物質等の物質を含有する。いくつかの実施形態では、乾燥剤は濃縮乾燥剤および液状水分に再生される。いくつかの実施形態では、乾燥剤は、ＳＯｘおよびＮＯｘによって生じる酸性を除去するように濾過され、他のガスは燃料燃焼プロセスから吸収される。
【００５０】
乾燥剤は、海水等の水源から膜を通して水を引き出す。濃縮乾燥剤は、水がかかる膜を通って移行する結果として希釈される。希釈された乾燥剤は、密閉されているエンクロージャに運ばれ、乾燥剤が、濃縮乾燥剤および液状水分が生じるように再生される。いくつかの実施形態では、再生用の熱は太陽熱モジュールによって提供される。いくつかの実施形態では、再生用の熱はＰＶＴモジュールによって提供される。
【００５１】
多くの構造の変形を、上述された多様な要素をそれ自体の優位点および不利な点と組み合わせるために想定できる。本発明は、かかる要素の特定のセットまたは組み合わせに絶対に制限されない。
【図面の簡単な説明】
【００５２】
【図１Ａ】先行技術に係るシャワーヘッド設計を使用する乾燥剤空気処理システムを示す図である。
【図１Ｂ】先行技術に係るプレート設計および水平空気流を使用する乾燥剤空気処理システムを示す図である。
【図２Ａ】１つまたは複数の実施形態に係る低熱源およびＰＶ熱モジュール連結装置を用いる極端な夏季運転用にセットアップされた乾燥剤空気処理システムを示す図である。
【図２Ｂ】１つまたは複数の実施形態に係る低熱源およびＰＶ熱モジュール連結装置を用いる極端ではない夏季運転用にセットアップされた乾燥剤空気処理システムを示す図である。
【図３Ａ】１つまたは複数の実施形態に係る低熱源およびＰＶ熱モジュール連結装置を用いる極端な冬季運転用にセットアップされた乾燥剤空気処理システムを示す図である。
【図３Ｂ】１つまたは複数の実施形態に係る低熱源およびＰＶ熱モジュール連結装置を用いる極端ではない冬季運転用にセットアップされた乾燥剤空気処理システムを示す図である。
【図４】建物の既存の空調システムと、乾燥剤空調システムと、１つまたは複数の実施形態に係るＰＶＴモジュールとの間の統合を示す図である。
【図５】１つまたは複数の実施形態に従って垂直空気流を利用する乾燥剤システムを示す図である。
【図６Ａ】１つまたは複数の実施形態に係る図５のシステムの三次元図である。
【図６Ｂ】プレート構造体に進入する空気の中で乱気流を生じさせる１枚または複数の乱流プレートを示す図である。
【図７】任意選択の前空気処理コイルおよび後空気処理コイル、ならびに１つまたは複数の実施形態に係るヒートポンプシステム付きの垂直空気流乾燥剤システムを示す図である。
【図８】１つまたは複数の実施形態に係る波状プレート構造体の回りの詳細を示す図である。
【図９】１つまたは複数の実施形態に係る波状プレート構造体の考えられる構造を示す図である。
【図１０Ａ】１つまたは複数の実施形態に従った膜またはウィッキング材料の取り付けを含む、波状プレート構造体組立ての代替方法を示す図である。
【図１０Ｂ】２枚の疎水性膜の間に親水性ウィッキング材料が挟まれている２枚の膜の断面を示す図であって、ウィッキング材料は、１つまたは複数の実施形態に従ってその２枚の膜の間で均等に液体を拡散する。
【図１０Ｃ】１つまたは複数の実施形態に係る疎水性膜、親水性ウィッキング材料および（熱伝導性）支持壁の断面を示す図である。
【図１０Ｄ】１つまたは複数の実施形態に係る、２つのウィッキング材料付きの２枚の膜、および内部（熱伝導性）支持壁の断面を示す図である。
【図１０Ｅ】１つまたは複数の実施形態に係る、２つのウィッキング材料付きの２枚の膜、および内部中空の（熱伝導性）支持壁の断面を示す図である。
【図１１Ａ】プレート構造体が、より大きなアレイにどのように積み重ねることができるのかを示し、１つまたは複数の実施形態による構築の詳細を示す図である。
【図１１Ｂ】１つまたは複数の実施形態に係る２つのコンディショナを通る水平空気流を利用する乾燥剤システムを示す図であって、空気は空気流に対して斜めに配向されるプレートによって２回処理される。
【図１１Ｃ】図１１Ｂの実施形態の平面図ある。
【図１１Ｄ】空間の中への進入空気を処理し、１つまたは複数の実施形態に係るコンディショナの第２のセット内で戻る空気からエネルギーを回収するように、２回再現される、図１１Ｂからの配置を示す図である。
【図１１Ｅ】１つまたは複数の実施形態に係る間接蒸発冷却のために除湿された空気の一部を使用する穿孔技術での乾燥剤膜プレートスタックを示す図である。
【図１１Ｆ】制御可能に間接蒸発冷却を提供するために除湿された空気の一部を使用する乾燥剤膜プレートスタックの断面を示す図である。
【図１１Ｇ】図１１Ｆのプレートスタックの底部のクローズアップ断面図詳細を示す図である。
【図１１Ｈ】図１１Ｆに示される構成要素のいくつかの追加詳細を示す図である。
【図１１Ｉ】１つまたは複数の実施形態に従って同時加熱機能または同時冷却機能を提供しつつ、気流に液体乾燥剤を露呈するための管構造体を使用する実施形態の、それぞれ三次元図および上面図である。
【図１１Ｊ】１つまたは複数の実施形態に従って同時加熱機能または同時冷却機能を提供しつつ、気流に液体乾燥剤を露呈するための管構造体を使用する実施形態の、それぞれ三次元図および上面図である。
【図１１Ｋ】１つまたは複数の実施形態に従って加熱機能または冷却機能を提供しつつ、気流に液体乾燥剤を露呈するための六角形の構造体の、それぞれ三次元図および上面図である。
【図１１Ｌ】１つまたは複数の実施形態に従って加熱機能または冷却機能を提供しつつ、気流に液体乾燥剤を露呈するための六角形の構造体の、それぞれ三次元図および上面図である。
【図１２】１つまたは複数の実施形態による太陽によるＰＶ／熱アレイを含む完全なソーラー空調システムを示す図である。
【図１３Ａ】１つまたは複数の実施形態に従って日中乾燥剤空調システム用に温／冷オフセットサイクルを生じさせるために、保管モジュールおよびＰＶＴモジュールをどのように使用できるのかを示す図である。
【図１３Ｂ】１つまたは複数の実施形態に従って夜間乾燥剤空調システム用に温／冷オフセットサイクルを生じさせるために、保管モジュールおよびＰＶＴモジュールをどのように使用できるのかを示す図である。
【図１４Ａ】１つまたは複数の実施形態に係る、統合熱水保管／バラストシステム付きのＰＶ／熱モジュールを示す図である。
【図１４Ｂ】１つまたは複数の実施形態に係る、統合熱水保管／バラストシステム付きのＰＶ／熱モジュールを示す図である。
【図１５Ａ】バラストタンクおよび保管システムが、１つまたは複数の実施形態に従ってどのようにＰＶＴモジュール用の出荷用コンテナの代わりとしても使用できるのかを示す図である。
【図１５Ｂ】バラストタンクおよび保管システムが、１つまたは複数の実施形態に従ってどのようにＰＶＴモジュール用の出荷用コンテナの代わりとしても使用できるのかを示す図である。
【図１６Ａ】ＰＶＴモジュールおよび低熱源を、１つまたは複数の実施形態に従って夏季運転用の波状プレート乾燥剤システムの中にどのようにして統合できるのかを示す図である。
【図１６Ｂ】ＰＶＴモジュールおよび低熱源を、１つまたは複数の実施形態に従って夏季運転用の波状プレート乾燥剤システムの中にどのようにして統合できるのかを示す図である。
【図１７Ａ】ＰＶＴモジュールを、１つまたは複数の実施形態に従って冬季運転用の波状プレート乾燥剤システムおよび加湿器の中にどのようにして統合できるのかを示す図である。
【図１７Ｂ】ＰＶＴモジュールを、１つまたは複数の実施形態に従って冬季運転用の波状プレート乾燥剤システムおよび加湿器の中にどのようにして統合できるのかを示す図である。
【図１８Ａ】保管モジュールまたはＰＶＴモジュールからの熱を、１つまたは複数の実施形態に従って空調動作のために日中および夜間にどのように使用できるのかを示す図である。
【図１８Ｂ】保管モジュールまたはＰＶＴモジュールからの熱を、１つまたは複数の実施形態に従って空調動作のために日中および夜間にどのように使用できるのかを示す図である。
【図１９Ａ】乾燥剤濃縮分離器および蒸発冷却器を、１つまたは複数の実施形態に従って夏季運転中に波状プレートシステムの中にどのようにして統合できるのかを示す図である。
【図１９Ｂ】建物空間に統合された図１９Ａのシステムを示す図であって、蒸発冷却器によって作られる冷却水は、コンディショナを冷却するために使用されるだけではなく、天井パネルまたは床板を冷却するためにも使用される。
【図２０Ａ】図１９Ａの追加波状プレートを、１つまたは複数の実施形態に従って冬季運転中にヒータ容量を上げるためにどのように使用できるのかを示す図である。
【図２０Ｂ】コンディショナに進入する空気の一部を、コンディショナの中からどのように引き出し、冬季運転用の波状プレートの第３のセットに転用できるのかを示す図である。
【図２１Ａ】１つまたは複数の実施形態に係る熱伝導性プラスチックプレート付きの耐食熱交換器を示す図である。
【図２１Ｂ】１つまたは複数の実施形態に係る熱伝導性プラスチックプレート付きの耐食熱交換器の異なる実施形態を示す図である。
【図２１Ｃ】１つまたは複数の実施形態に従って流体熱交換器に対する流体を構築するために接着剤構造体を使用することに関係する主要な製造ステップを示す図である。
【図２２】１つまたは複数の実施形態に係るプレート構造体を使用する水回収システムを示す図である。
【図２３】１つまたは複数の実施形態に係る加熱および除湿のための乾燥剤システムを示す。
【図２４Ａ】１つまたは複数の実施形態に係る波状プレートおよび水回収システムを使用する加熱システムおよび除湿システムを示す図である。
【図２４Ｂ】間接蒸発冷却のために回収された液状水分を使用する二重効果乾燥剤再生システムを示す図である。
【図２５】１つまたは複数の実施形態に従って燃焼ガスを取り込み、凝縮し、水を回収する乾燥剤空調システムを示す図である。
【図２６】１つまたは複数の実施形態に従って、水蒸気を凝縮し、燃焼プロセスから汚染物を取り込む冬季暖房用乾燥剤空調システムセットアップを示す図である。
【図２７Ａ】１つまたは複数の実施形態に係る図２４Ａの三次元モデルを示す図である。
【図２７Ｂ】１つまたは複数の実施形態に係る図２４Ａの三次元モデルを示す図である。
【図２８】１つまたは複数の実施形態に係る水浄化のための塩分除去システムに統合される、図２２の水回収システムを示す図である。
【００５３】
類似する参照文字は、概して図面中で類似するパーツを示す。
【発明を実施するための形態】
【００５４】
図１Ａは、先行技術で既知であるような液体乾燥剤空調システムを示す。乾燥剤コンディショナ１０２は、バス１０４内に液体乾燥剤を収容している。液体乾燥剤１０４は、コンディショナ１０２の中に吹き込まれる外気１１０から水蒸気を引き付ける任意の適当な溶液である場合がある。空気は、通常、乾燥剤を容易に保持し、気流に露呈する入り組んだ表面を含む濾過材１０６を通して移動する。乾燥剤の例は、ＣａＣｌ２およびＬｉＣｌ２を含む。濾過材は、セルロース冷却塔充填材である場合がある。水を吸収した希釈乾燥剤１０５は、濾過材１０６から乾燥剤バス１０４の中に滴る。スプレーヘッド１０７は、濾過材１０６全体に濃縮乾燥剤を均等に分散する。除湿され、冷却された空気１１１は、建物の中に向けられる。希釈乾燥剤１１２の一部（通常、約１０%）は、熱交換器１０３を通ってリジェネレータ１０１にもたらされる。乾燥剤１１２の大半は、任意選択の低熱源１１３を通してコンディショナ１０２の上部でスプレーヘッド１０７に戻される。リジェネレータ１０１に迂回する乾燥剤は、任意選択の加熱器１１４内で加熱され、コンディショナ側でのスプレーヘッドと同様にスプレーヘッド１０７’にポンプ移送される。加熱された乾燥剤は、濾過材１０６’上に落下し乾燥剤バス１０４’の中に滴り落ちる１０５’。建物からの還気は濾過材を通してもたらされ、湿った熱風１０９がリジェネレータから排出されるように乾燥剤から水を吸収する。上述されたように、本システムの欠点は、水蒸気の乾燥剤の中への吸収がほぼ断熱的なプロセスであり、冷却されることになっている空気の加熱を生じさせるという点である。さらに、スプレーヘッドによって、いくらかの乾燥剤が離れる気流１１１および１０２の中に持ち越されることになることがある。そして最後に、バス１０４および１０４’は、濾過材を通して強制的に空気流１１０および１０８を水平および垂直にする。これによって、既存の空気１１１は、下方にダクトを通される必要があり、建物からの還気１０８は水平向きにダクトを通される必要があるため建物屋上での設置はさらに複雑化する。
【００５５】
図１Ｂは、先行技術で既知である代替システムである。コンディショナ１２１、（内部で中空となるように構築される）垂直プレート１１８のセット、および乾燥剤コレクタ１２０を含む。低熱源１１３からの冷却された熱伝達流体は、プレート１１８の内部にもたらされ、プレートにとって内部にＵ字形のループ１１６を形成する。濃縮乾燥剤１１９は、プレート１１８の表面上を通される。外気１１０は、水平向きで乾燥剤１１９上を向けられる。乾燥剤は空気から水蒸気を吸収し、プレート１１８の表面を、乾燥剤コレクタ１２０の中に流れ落ちる。希釈乾燥剤１２１は、熱交換器１０３を通ってリジェネレータ１２２にポンプ移送される。リジェネレータは、再び中空であり、その中にＵ字形をしたチャンネル１１６（を有するプレート１１７のセットを含む。希釈乾燥剤１１９’は、熱伝達流体源１１４によって加熱されるプレート１１７の表面上を再び流される。建物１０８からの外気または還気は、乾燥剤１１９’から水蒸気を吸収するために使用される。乾燥剤は、それがリジェネレータの表面を流れ落ち、乾燥剤コレクタ１１５の中に集まるに伴いより濃縮される。前の例でのように、乾燥剤システム内での空気流はおもに水平であり、その結果、屋上での設置に追加のダクトを使用することが必要になる。配管が必要とされなかったけれども、乾燥剤コレクタ１１５および１２０は一般に空気が垂直に流れるのを遮るため、水平の空気流が好ましいだろう。さらに、Ｕ字形のチャネルは、空気と、乾燥剤と、冷却流体または加熱流体との間の逆流設計を可能にせず、その結果コンディショナとリジェネレータ両方のより低い熱効率が生じる。図Ａのシステムと比較すると、図１Ｂの液体乾燥剤システムは、より低いファン動力、およびより低い乾燥剤ポンプ動力を使用する。
【００５６】
図２Ａは、極端な夏季運転のために、および任意選択のヒートポンプ２０１と統合するように構成される、１つまたは複数の実施形態に係る液体乾燥剤システムを示す。コンディショナ１０２内での乾燥剤の一部は、ＰＶＴモジュールアレイに結合できる熱交換器２０２を通してもたらされる。使用される典型的な乾燥剤材料は、金属に対して腐食性があるため、熱交換器の使用が望ましい。また、これによってヒートポンプ２０１の統合は複雑化する。つまり、乾燥剤は金属パーツに接触してはならないので、熱伝導は、特別に設計された熱交換器を通して間接的に行われる。図でわかるように、乾燥剤はコンディショナから取り出され、ＰＶＴモジュール２０２で、またはヒートポンプ２０１によって加熱され、リジェネレータ１０１の中に噴霧される。逆に、濃縮乾燥剤はリジェネレータ１０１から取り出され、任意選択の低熱源２０３を通って、またはヒートポンプ２０１の低温側を通ってコンディショナの中に流される。
【００５７】
図２Ｂでは、極端ではない運転のために類似したセットアップが示される。主要な相違点は、コンディショナからの乾燥剤が冷却され、リジェネレータに輸送されるよりも、コンディショナ側に戻されるという点である。乾燥剤は、熱交換器１０３を通ってリジェネレータだけに移動する。同様に、リジェネレータ内の乾燥剤は、加熱だけされ、コンディショナの中に入れられるのではなく、リジェネレータ自体に戻される。
【００５８】
図３Ａの極端な冬季運転では、熱源２０１および２０２は、現在、液体乾燥剤がコンディショナ１０２に輸送されるにつれて、液体乾燥剤を加熱している。冬季セットアップでのコンディショナは、水蒸気および熱を入ってくる気流１１０に加え、空気が１１１で建物に入るときにより高い温度および湿度を有するように空気を調整することが留意される。また、別のＰＶＴモジュールアレイ３０２によって、または別の熱エネルギー源によって与圧出来る加湿器３０１を加えることも可能である。加湿器３０１の中にもたらされる水は金属に対して腐食性ではないので、３０２で熱交換器を使用することは、本質的には必要ない。つまり、水はＰＶＴモジュールによって直接的に加熱できる。さらに、建物からの還気１０８が、温度および湿度において外気１１０よりも概して高いことを留意することも注目に値する。このセットアップでのリジェネレータ１０１は、実際には、還気から熱および水分を取り込み、それを外気まで運び、はるかに低い暖房費用を生じさせ、乾燥剤システムは、このセットアップにおいてエンタルピー回収システムとして効果的に機能している。
【００５９】
図３Ｂでは、熱源２０１および２０２が、現在、システムのコンディショナ１０２側で直接的に乾燥剤を加熱するために使用される点を除き、図３Ａでのように同様なセットアップが示される。同様に、ヒートポンプ２０１の低温側は、リジェネレータ内の乾燥剤から直接的に熱を引き出すことができる。
【００６０】
図３Ａおよび図３Ｂの低熱源２０３は、大部分の場合、システムの冬季運転中は必要とされることはない。また、冬季モードの乾燥剤が希釈される必要がない、つまり乾燥剤の過剰濃縮を妨げるために、少量の水が定期的に付加される必要があることも留意される。この水は、建物からの還気によってもたらされることがあるが、依然として他のソースから補足する必要がある場合がある。
【００６１】
図４は、図３Ａからのエンタルピー回収システムを、既存の建物エアコンディショナの中にどのように統合できるのかを示す。建物空間４０１は、ダクト４０２によって、図３Ａからの乾燥剤システムに接続される。コンプレッサ４０３を含む既存の空気コンディショナヒートポンプが、ファンコイル４０５を通って熱を放出し、入ってくる空気は、ＰＶＴモジュール４０６および追加のファンコイルによって補足的に加熱できる。圧縮ガスは弁０７で膨張し、コンプレッサ４０３に戻る前にファンコイル４０４内の還気によって加熱される。上述されたセットアップは、熱と水蒸気の両方を再び回収することによって空調システムにかかる負荷を大幅に削減する。
【００６２】
図５では、新しいタイプの液体乾燥剤システムが示される。コンディショナ５０１は、内部が中空であるプレート構造体のセットを含む。任意選択で、プレート構造体は、構造体に波状の形状を適用させることがある。本書に使用される用語波状は、広く、曲がりくねった形状またはうねるような形状を含む、さまざまな入り組んだ構造体を指す。常温の熱伝達流体が低熱源５０７で生成され、プレートの中に入れられる。５１４にある液体乾燥剤溶液がプレートの外面上にもたらされ、プレートのそれぞれの外面を流れ落ちる。いくつかの実施形態では、液体乾燥剤は、気流５０３に露呈される乾燥剤の面積を著しく拡大するウィッキング表面を流れる。さらに以下に説明される−他の実施形態では、液体乾燥剤は、空気流とプレートの表面との間に位置する薄膜の背部で流れる。外気５０３は、現在、波状プレートを通って吹きつけられる。プレートの表面上の液体乾燥剤が、空気流の水蒸気を引き寄せ、プレート内部の冷却水が空気温度が上昇するのを抑制するのに役立つ。プレート構造体は、各プレートの底部近くで乾燥剤を収集し、それによって図１Ａおよび図１Ｂに示されたように、乾燥剤コレクタまたはバスに対する必要性を排除する。処理された空気５０４は、現在、追加のダクトを必要とせずに直接的に建物内に入れられる。さらに、空気、熱伝達流体および乾燥剤のすべての流れは垂直であるため、システムは熱的により効率的である。プレートの波状形状は２つの主要な優位点を有する。つまり、波状形状が、まっすぐなプレートが与えるだろうよりも多くの入り組んだ経路を構成するため、空気は、プレートの表面により容易に接触させられる。ただし、重要なのは、波状形状は、プレートの上部および底部で熱伝達流体および乾燥剤のための接続部に取り消し応力をかけることなく、プレートが横向きに拡大できるようにすることである。波状プレートは、たとえば熱的にドーピングされたポリマー押出品等の（熱伝導性の）プラスチック材料から等、使用されている乾燥剤と適合する材料から構築されなければならないので、これは特に重要である。通常、かかるプラスチックは約５から１０  Ｗ／ｍＫの熱コンダクタンスを有する。例として、標準的なプラスチックの熱コンダクタンスは０．１から０．５  Ｗ／ｍＫに及ぶのに対し、銅、アルミニウム、ステンレス鋼およびチタニウムは、それぞれ約４００、２５０、１６および１８  Ｗ／ｍＫのコンダクタンスを有する。これらの材料の内、チタニウムだけが、乾燥剤の腐食性性質のために、ＣａＣｌ２またはＬｉＣｌ２のような乾燥剤との使用にかなり適している。リジェネレータ５０２内の波状プレートは、乾燥剤を再生するためのより高温下で膨張する。これは、アセンブリに対する熱応力を生じさせることがある。波状形状は、プレートが、垂直方向でよりむしろ横に拡大できるようにすることによってそれらの応力を削減するのに役立つ。
【００６３】
液体乾燥剤は、５１１で波状プレートの底部で収集され、熱交換器５１３を通ってリジェネレータの上部まで、液体乾燥剤がリジェネレータの波状プレートを横切って分散される点５１５まで運ばれる。還気または任意選択で外気５０５が、リジェネレータプレート全体で吹き付けられ、水蒸気が液体乾燥剤から、出ていく気流５０６の中に運ばれる。任意選択の熱源５０８が、再生に駆動力を提供する。熱源からの高温伝達流体５１０は、コンディショナ上の常温の熱伝達流体と同様にリジェネレータの波状プレートの内側に入れることができる。再び、液体乾燥剤は、リジェネレータ上でも空気が垂直となることができるように、収集パンまたはバスのどちらかを必要とすることなく波状プレート５０２の底部で収集される。波状プレートが、追加の冷却容量またはヒータ容量を加えるために容易に拡大できること、これらのプレートがよりよい熱伝達を提供すること、および任意のバスまたは収集パンの排除により追加のダクトワークを必要とせずに屋根の開口部にシステムを直接的に取り付けることができることが、当業者に明らかでなければならない。任意選択のヒートポンプ５１６は、図１Ａに利用される方法と同様に、液体乾燥剤の冷却および加熱を提供するために使用できる。一般的に「分割」空調システムとして知られているもので使用されるように、液体バスまたは収集パンがない場合にも、システム内の他の構成部品から離れた場所にコンディショナ５０１を容易に設置できることが、当業者にとって明らかになるだろう。
【００６４】
図５のシステムが、システムを自動車または他の車両の中に組み込むことができるように、相対的に小さなサイズで作ることができることが、当業者にさらに明らかとなるだろう。かかる自動車では、熱源５０８は、おそらくエンジンからの熱となり、冷却はペルチェ冷却システムによって提供できるだろう。
【００６５】
図６Ａでは、図５のシステムが三次元の斜視図で示されている。乾燥剤液体ポンプ６０１は、コンディショナとリジェネレータとの間で乾燥剤の輸送を提供する。波状プレート５０１および５０２の上部にある穴６０２は、波状プレートの表面上での乾燥剤の均一な分散を保証する。波状プレート５０１および５０２の底部にある溝６０３は、波状プレートのプラスチックに対する乾燥剤の自然表面付着を使用して乾燥剤を溝の中に集める、もしくはなんらかの膜または他の湿潤材料を使用して乾燥剤が溝の中に集まるのを助けるかのどちらかによって、乾燥剤を収集する。熱伝達流体は、接続部６０４、６０５、６０６、および６０７で波状プレートに接続できる。
【００６６】
図６Ｂは、波状プレート５０２のセットの入口空気６５２をどのようにしてプレート６５１のセットによって乱流にできるのかを示す。プレート６５１は、波状プレート５０２に進入する空気に乱れた空気流を与えるように構築される。結果として生じる乱気流は、層流状に波状プレートを通って流れる空気と比較して、熱および水分を波状プレートの表面とよりうまく交換する。
【００６７】
図７は、リジェネレータのために事後コンディショナ冷却コイル７０２および予熱コイル７０１が追加された図５に類似するシステムを示す。ヒートポンプ７０５の代替構成は、図５においてのように乾燥剤を加熱する代わりに、熱交換器コイル７０３および７０４で熱伝達流体を加熱することである。熱交換器が耐食構成部品を使用する必要性を排除し、より標準的な熱交換器を使用できるようにする。
【００６８】
図８は、プレートの底部にある乾燥剤排水管８０１が、溝８１１の中に入った乾燥剤を収集する波状プレートアセンブリの一実施形態のクローズアップ図を示す。熱伝達流体は、８０２および８０５でプレートに接続されている。波状プレート８０３の本体は、たとえば熱伝導性プラスチック押出品等、耐食性だけではなく良好な熱伝導性をも示す適当な材料から作ることができる。液体乾燥剤は、プレート８０７の上部で分散チャンネル８０６に入れられ、同じプレートの上部で穴８１０を出て、表面８０４上を流れる。熱伝達流体８０８は、波状プレート内の開口部８９の内部を通る。図からわかるように、溝８１１の構造によって、溝８１１の構造は、乾燥剤が、空気流を妨害することなく、かつ別個の共通した収集パンを必要とすることなくそれぞれの個別プレートの底部に集まることができるようにする。進入する気流８１２および出ていく気流８１３を逆にすることができること、および８０２と８０５との間の熱伝達流体の方向が上方または下方のどちらとなる場合があることも、当業者には明らかとなるべきである。乾燥剤自体が、通常、乾燥剤に作用する引力の力のために、表面を流れ落ちるだろう。
【００６９】
図９は、かかる波状プレートの構造の一実施形態の追加の詳細を示す。好ましくは射出成形されたプラスチック構成部品である、構成部品９０１は、熱伝導性押出品９０２の上に接合されている。機械加工、熱成形、溶接、および他の適当な方法等の他の製造方法が利用できることは、当業者にとって明らかでなければならない。たとえばチタニウムおよび他の貴重な材料等、構成部品のための他の材料は、典型的な乾燥剤溶液の腐食性性質と適合性があるように適当に選択できる。やはり好ましくは射出成形された類似する構成部品９０３は、構成部品９０２の上部に接合される。乾燥剤は、入口９０５を通って導入され、穴９０４を通って概して均一に拡散する。熱伝達流体は、開口部９０５を通って移され、開口部９０７を通って出る。波状プレートの底部に流れる乾燥剤は、溝８１１の中への液体の表面張力を利用することによって収集され、排水出口９０６を通って流れる。
【００７０】
図１０Ａは、好ましくは射出成形される構成部品１００１および１００２が波状プレート１００３に接続される波状プレート構造の代替実施形態を示す。スプレッダプレート１０１３は、乾燥剤および熱伝達流体を概して均一に分散させる。一実施形態では、追加の射出成形構成部品１００４が、波状プレート１００３内部の熱伝達流体の収集を実現する。膜またはウィッキング材料１００５等の適当な材料が、アセンブリの上部に付けられる。      かかる膜の例は、商品名ＥＺ２０９０でCelgardによって製造されている疎水性のポリプロピレンである。ウィッキング表面の例は、こーイーフィルターの紙に類似する親水性の厚紙シートである。完全に取り付けられたアセンブリ１００７は、次いで、膜またはウィッキング材料が構成部品１００６の中に乾燥剤を誘導するように最終的な射出成形済み構成部品１００６に接続される。最終的なアセンブリ１００８では、熱伝導流体１０１０および１０１１用のチャネルが示されるように、乾燥剤１００９および１０１２用の液体チャンネルが示されている。材料１００５が膜を含む場合、アセンブリの上部は乾燥剤を適所に「固定する」ことがあるので（真空封しとしても知られている）、次いで波状プレートから液体乾燥剤を排出することは、解決すべき課題となる場合がある。液体乾燥剤が膜の背部で容易に充填し、排水できるように、穴１０１４が故意に設けられ、空気が膜の背部に入ることができるようにする。また、これらの穴は、膜の損傷または変形を生じさせることがある、膜の偶然の加圧を避ける。有利なことに、穴は、図１１Ａによりよく見ることができるように、乾燥剤の出口のわずか上方に位置する。１００８では、２つの波状アセンブリがともに結合され、プレートの小さいスタックを形成していることも見ることができる。単にスタックに追加のプレートを追加するだけで、所望されるように任意の量の空気処理を生じさせるように、波状プレートのアセンブリを積み重ねることができることが、当業者に明らかでなければならない。
【００７１】
図１０Ｂは、親水性のウィッキング材料１０５２付きの膜１０５１等の２つの疎水性材料の詳細な断面を示す。微細孔膜または類似する材料は、通常、疎水性となるように作られているので、膜の適用は（−例として−食塩水または水等の）液体によって生じる不均一な湿潤を膜によってはじかせることができる。反発力は、膜の背部での液体の不均一な流れを生じさせる。親水性材料１０５２を使用することによって、親水性材料のウィッキング効果が、液体を膜の背部で均一に分配させ、膜を通る蒸発をかなり増加させ、活性面積をかなり拡大させる。ウィッキング材料内部を通る液体は、２つの膜の間で均一に広がる。
【００７２】
図１０Ｃは、（たとえば、波状プレートであることがある）熱伝導性支持壁１０５３に取り付けられる、膜１０５１等の疎水性材料の背部の親水性材料１０５２を示す。多くの場合プラスチックと同様に、支持壁も疎水性である場合、次いでウィッキング材料が液体の均一な流れの分散を保証する。支持壁は、ウィッキング材料内部の液体の温度を調整し、それによって膜を通る吸収の蒸発を制御できるようにする熱伝導性となるように作ることができる。
【００７３】
図１０Ｄは、たとえば、図１０Ｃに類似した構造体を示し、ウィッキング材料が（熱伝導性）支持壁１０５３の両側に付けられている。壁の各側の湿潤材料１０５２内部の液体は、異なるように作ることができる。たとえば、一番左のウィッキング材料は、食塩水で湿潤することができ、一番右のウィッキング材料は水またはなんらかの他の伝達流体で湿潤できるだろう。
【００７４】
図１０Ｅは、たとえば図１０Ｄに類似した構造を示し、支持壁１０５３は、現在では、熱伝導流体１０５４が支持壁の内部で使用できるように、中空となるように作られる。かかる構造は、壁を通り、壁１０５４のどちらかの側でのウィッキング材料１０５２の中への熱伝達を可能にする。疎水性材料および親水性材料の他の組合せが考案できることが、当業者に明らかでなければならない。
【００７５】
図１１Ａは、たとえば波状プレートのスタックの構造の追加の詳細を示す。波状プレート１１０１のスタックは、水平にだけではなく垂直にプレートを積み重ねることによって空気を複数回処理するようにセットアップできる。垂直積み重ねは、空気を、たとえば除湿を増加するように処理できるようにするのに対し、水平積み重ねは、処理される空気の全体的な容量を増加する。詳細１１０２は、膜またはウィッキング表面１００５が、乾燥剤を底部排水口１１０６に誘導するために使用される波状プレート構造の底部の詳細を示す。膜またはウィッキング材料の下部端縁１１１１は、膜またはウィッキング表面の損傷につながることがある乾燥剤の潜在的な圧力保管を回避するように固定して接続されない。詳細１１０７は、膜１００５がとり望まれた状態を除き、詳細１１０２と同じ領域を示す。構成部品１００４、１００６および１００３内で作成されるチャンネル１１０９および１１１０によって膜１００を接合できるようになるが、乾燥剤は依然としてチャンネルを通過できる。同様に、波状プレートアセンブリの上部の詳細１１０３は、乾燥剤がどのようにして供給チャンネル１０１２を通って進入し、構成部品１００２内のチャンネルを通っておよび波状プレート構成部品１００３の表面上で流れることができるのかを示す。詳細から、穴１０１４および底部の接続されていない端縁１１１１が、１）アセンブリの上部で真空封止を抑制し、２）アセンブリの上部または底部のどちらかでの膜またはウィッキング表面への圧力損傷を回避する機能に有利に役立つことが明らかでなければならない。再び、詳細１１０８は、膜１００５が取り除かれた状態の同じ上部アセンブリを示す。波状プレートアセンブリ１１０１の表面積は、システムの全体的な空気処理容量にとって重要であるので、上述されたように、水平方向と垂直方向の両方で複数の波状プレートを積み重ねることは容易でなければならない。造作１１０４、１１０５、および１１０６は、プレートを位置合わせし、固定することによってプレートの積み重ねを可能にする。かかる造作は、多くの形状およびサイズを有することがあることが、当業者に明らかでなければならない。
【００７６】
図１１Ｂは、波状プレートが水平空気流を受け入れている、図５に類似するシステムセットアップを示す。図中、波状プレートは、通過する空気を２回処理するように２つのスタックを形成する。入射空気に対して小さい角度で波状プレートを設置することによって、空気は波状プレートの表面で液体乾燥剤とより容易に相互作用する。係る液体乾燥剤は、上述されたように膜の背部に、または湿潤材料内に配置できる。垂直方向に波状の向きを維持することによって、波状プレートの熱膨張および熱収縮によって引き起こされる熱応力は大幅に削減される。
【００７７】
図１１Ｃは、図１１Ｂにおいて示すセットアップを上から見下ろす図である。
【００７８】
図１１Ｄは、２回実施された図１１Ｂからの波状プレートの二重セットを示す。第１のセットは屋外から入ってくる空気を処理し、この入ってくる空気の二重処理を実行する。第２のセットは、空間からの還気を受け入れ、やはり還気を２回処理する。かかるセットアップでは、エネルギー（水蒸気および熱エネルギー）の回収は、完全に近いことがある。このセットアップは、依然として熱エネルギーを追加または除去することを可能にし、乾燥剤を通して、プレートシステムを通ってくる空気に水を追加できるようにし、それによって入ってくる空気の加熱または冷却を強化する一方で、エネルギーの回収を可能にする。従来のエネルギー回収システムは、通常、熱エネルギーまたは水の追加または除去を可能にしない。
【００７９】
図１１Ｅは、先行技術の乾燥剤冷却システムを示す。プレート１１３４のスタックが（通常、約０．２５インチ離れて）設置され、その背部を流れる水１１３３を有する膜１１３１によって覆われている。プレートの反対の部位は、第２の膜１１３５を含み、膜の背部では液体乾燥剤が流れている。入ってくる空気１１３６は、空気中の水蒸気が膜１１３５を通して液体乾燥剤の中に吸収されるため、除湿される。プレートの出口で、除湿された空気１１３７は、冷却されている空間に向かって部分的に向けられ一部は逆方向１１３８で向けられる。この二次空気流１１３８は、相対的に乾燥しており、膜１１３５の背部で水１１３２から水蒸気を効果的に吸収できる。水蒸気が膜を通して空気の中へ吸収されることは、迂回された空気の冷却効果につながる。この冷気は、同様に、水１１３３を冷却する。冷気は、次いで液体乾燥剤だけではなくプレートも熱的に冷却し、それが最終的に主要な気流が冷却されることにつながる。この手法は、フロリダ、マイアミ等においてみられるような、通常冷却塔さえも機能しないような湿度レベルおよび温度が相対的に高い気候で蒸発冷却を発生できるようにする。最初に入ってくる空気を乾燥させ、次いで膜を通る間接的な蒸発冷却を使用することによって、蒸発を使用して、システムは冷却効果を生じさせることができる。二次空気が外気と混合するのを抑制するために、二次空気は、図面に垂直な方向１１４０でプレートスタックの端部近くでダイバータによって迂回させられる。図中に示すように、膜／液体層は反射している―水は、水に面し、乾燥剤はプレートのそれぞれについて乾燥剤に面する必要がある。これが、かかるプレートスタックを製造するための課題を生じさせる。
【００８０】
図１１Ｆは、液体乾燥剤および水のための交互の構造体を提供するために波状プレート１１４７が使用される図１１Ｅの概念の実施形態を示す。いくつかの実施形態では、波状プレートは、熱伝導性プラスチックを使用して作られる。波状プレートは隆起１１４６を含み、膜１１３１および１１３５を支持する。液体乾燥剤は、チャンネル１１４１を通って波状プレートセットに進入しり、チャンネル１１４４を通って存在する。水はチャンネル１１４２を通って進入し、チャンネル１１４３を通って出る。調整可能に接続された空気ダイバータ１１４５は、制御可能な量の空気を採取し、それを逆方向１１３７で向ける。迂回した空気１１３８は、膜１１３５の背部から水を吸収する。ダイバータ１１３９は、プレートの間の開口部の上部を閉じ、垂直方向で空気流１１４０を向けさせる。波状プレート１１４７の底部よび上部は、図１０Ａに設計が類似する射出成形構成部品１００６の中に差し込まれる。
【００８１】
図１１Ｇは、図１１Ｆの詳細を示し、波状プレート上の隆起１１４６に取り付けられる膜１１３１および１１３５を有する波状プレート１１４７のクローズアップ。波状プレートの対向する面に液体を提供するために、穴１１５０および１１５１は、波状プレート１１４７の交互となる側面にアクセスを提供するように設けられる。液体乾燥剤は、穴１１５２を通して排水溝１１４４に進入する。図に示すように、波状プレート１１４７は、波状プレートが交互に逆さまに反転されている点を除き、概して同一となるように作ることができる。
【００８２】
図１１Ｈは、波状プレート１４７の詳細を示す。波状プレートは、交互に逆さまに反転され、対向する接続部を水供給ラインおよび乾燥剤供給ラインに提供する。図中で見ることができるように、隆起１１４６は、膜にサポートを提供し、熱伝導性表面１１３４が、波状プレートの反対側に熱伝導性経路を提供する。穴１１５３は、図１０Ａの構成部品１０１３の穴と同様に、液体の均一な分散を提供する。
【００８３】
本明細書に説明される多様な実施形態では、波状プレート構造体は、液体乾燥剤を熱伝達流体に同時に露呈する一方で、膜を通る気流に液体乾燥剤を露呈するために使用される。また、多様な交互構造体は、これらの機能を実行するために使用できる。たとえば、図１１Ｉおよび図１１Ｊは、液体乾燥剤を熱伝達流体に同時に露呈する一方で、膜を通る気流に液体乾燥剤を露呈するための管状構造体を示す。構造体は、たとえば熱的にドーピングされたポリマー押出品等から等、任意の適当な熱伝導性材料から作ることができる複数の管１１８１を含む。管の内壁は隆起１１８４を特徴とし、膜が管まで小さい距離保持され、その結果液体乾燥剤が、壁とこのように作成されたチャンネル１１８３内で図の平面に垂直な膜との間を通過できるように、膜１１８２を隆起の上部に接合できるようにする。空気は、このようにして、管１１８６の中心を通すことができる。一方、熱伝達流体は、管の間の概して三角形の部分１１８５を通すことができる。熱伝達流体は、このようにして熱伝導性の壁を通して乾燥剤容器を加熱できる。管状構造体の他の形状および配置も考案できることが理解されるべきである。また、図１１Ｉおよび図１Ｊは、以前の実施形態でのように、空気と乾燥剤との間により優れた相互作用を達成するように機能し、と同時に構造体の垂直方向での熱膨張に起因する応力を削減する管に対してなんらかの波状形状を適用することが可能であるだろうことも示す。
【００８４】
図１１Ｌは、１つまたは複数の実施形態に係る熱伝導性表面１１９２の交互の六角形構造の上面図である。図１１Ｋは、六角形構造体を形成する六角形要素の内の１つの三次元図である。構造体内の各六角形要素は、熱伝導性面１１９２を含む。隆起１１９４は、膜１１９１を熱伝導性表面に実質的に平行に取り付けることを可能にする。要素のいくつかの中の膜１１９１と壁１１９２との間のチャンネルは、図１１Ｅに説明されるシステムに対して同様に蒸発冷却機能を実行するために熱伝達液体の通過、または交互に水の通過のために使用できる。図１１Ｂに示される例では、膜１１９１と、灰色の陰影がつけられた壁１１９２との間のチャンネル付きの六角形要素は水を含み、他の六角形要素内のチャンネルは液体乾燥剤を含む。このようにして、チャンネル１１９５内の空気は、膜を通して液体乾燥剤に露呈することができる。一方、すでに処理された空気１１９６は、膜を通して水に露呈できる。
【００８５】
図１２は、上述された波状プレートアセンブリをどのようにして完全なソーラー空調システムの中に統合できるのかを示す。エンクロージャ１２０１は、風雨からの乾燥剤空気構成部品の保護を提供する。システムは、コンディショナ５０１およびリジェネレータ５０２を含む。ポンプ６０１は、コンディショナおよびリジェネレータに乾燥剤の流れを提供する。ブロワ１２０９は、建物の中におよび建物の外に空気を移動する。外気５０３は、波状プレートによって処理され、処理された空気５０４を建物の中に移動する。建物からの還気５０５は、熱および水蒸気を吸収することができ、５０６Ａで排出される。小さい任意選択のチラー１２０３は、必要とされる場合顕熱冷却を提供する。ソーラーインバータ１２０２は、一連のソーラーモジュール１２０５から生じる電気を反転できる。（それが従来のエアコンディショナであるのか、それとも乾燥剤エアコンディショナであるのかに関わりなく）ソーラーインバータを空調システムに統合するための重要な優位性がある。つまり、屋上空調ユニットは、当該ユニットに到達する重要な電気供給ラインを有する。交換空調ユニットの中にインバータを統合することによって、ＰＶモジュールまたはＰＶＴモジュールの設置は、劇的に簡略化される。通常、ソーラーインバータは、建物内部のどこかに配置され、電気回線は屋根からインバータまで通り、相当量のコストおよび作業を生じさせる。エアコンディショナまでの既存の送電線は、建物に電力を供給するためにインバータによってバックフィードすることができるので、エアコンディショナの内部にソーラーインバータを配置することによって、建物の中にどのような電気ケーブル布線を通す必要もない。また、図中には、ＰＶ熱モジュールが十分な温度または動力を提供しないときに使用できる補足の湯沸かし器が示されている。さらに、ソーラーモジュール１２０５は、アクセス熱水を容易に保管できるように貯水タンク１２０６を有することができる。このシステムでは、熱水タンク１２０６は、ＰＶＴモジュールにバラストを提供するために機能する。通常、コンクリートブロックまたは類似するバラストが、平らな屋根の上でソーラーモジュールを抑えるために提供されるだろう。しかしながら、１２０６のような薄い平らなタンクを使用することによって、２つの目的、つまりバラストだけではなく熱水の保管を達成する。各ソーラーモジュールが独自の貯蔵タンクを有することができることがさらに留意されるべきである。ＰＶＴモジュール１２０５の下方にタンク１２０６を統合することによって、どのようなラインも建物に入ること、または建物内のどこかにタンクまたはインバータを設置することを必要とせずに、すべての送電線１２０７および熱伝達流体ライン１２０８を乾燥剤システム１２００に導くことができ、それによってシステムのための設置時間を大幅に改善する。
【００８６】
図１３Ａは、以前の図に示されるかかる保管システムがどのようにして使用できるのかを示す。その日の始まり１３０１に、ＰＶＴモジュール１３０４は、太陽熱の放射線を受け取り始める１３０６。ＰＶＴモジュールの真下の保管タンク１３０５は、一般に冷水（またはなんらかの他の熱伝達流体）で充填される。ＰＶＴモジュールは、ソーラー空調システム１２００に、および特にリジェネレータ１３１０に向けられる熱水を生成し始める。顕熱冷却も提供される必要があるので、冷水タンクの内の１つがコンディショナ１３０９に接続される。日が進むにつれて１３０２、ＰＶＴモジュールは、タンクのいくつかを充填し始めるために使用できる余分な熱水を生成する。接続１３０７および１３０８が、正しい数のタンクがエアコンディショナ１２００に接続されるように行荒れる。日の最後に１３０３、タンクの大部分またはすべてが熱水を収容している。この熱水は、いま、図１３Ｂに示されるように、ライン１３１６を通してリジェネレータに熱水タンクを接続することによって、夕方および夜の間にリジェネレータを運転し続けるために使用できる。ＰＶＴモジュールは、放射１３１４による開口熱で相対的に効率的であるため、いま、ＰＶＴモジュールは、ライン１３１５によってコンディショナに直接的に接続できる。真夜中１３１２には、ＰＶＴモジュールからの放射は、夜の終わりまでにすべての熱水が使われ、冷水がモジュールの真下のタンクを充填するように、タンク内での保管のために冷水を作り始めるために使用できる。これによって、サイクルは再び新たに始めることができる。事実上、この配置は、冷水生成および熱水生成の昼から夜へのシフトを可能にし、これによって図１２の小型チラー１２０３等の任意の顕熱冷却システムに対する必要性を排除できる。
【００８７】
図１４Ａは、なんらかのレベルの詳細で、図１２からのソーラーＰＶＴモジュールの実施形態を示す。シリコンまたは薄膜のどちらかをベースにしたＰＶ積層板１４０１は、電力を発生させる。保管タンク１４０２は、バラストシステムだけではなく熱水保管容器としても使用される。図１４Ｂは、システムの切り出しカットアウトを示す。積層板１４０１の背部の一連のフィルムチャンネル１４０５は、積層板から熱を収集し、伝達流体を加熱する。主要熱水チャンネル１４０４が、水を温度調節弁アセンブリ１４０３まで下げる。温度調節弁は、熱水を、メインマニホールド１４０６に直接的に、または保管タンク１４０２のどちらかに向かわせることができる。温度調節弁は、自動的にまたはソフトウェア制御によってのどちらかで動作できる。
【００８８】
図１５Ａおよび図１５Ｂは、ＰＶＴモジュールの真下の獲得タンクの別の  使用を示す。保管タンクは、この場合、可動蓋１５０および本体１５０２を有する。ＰＶ積層板１５０３の側面サポートおよび背面サポート１５０４は、タンクおよびＰＶ積層板に取り外し自在に接続される。蓋１５１を取り外した後、ソーラーモジュール全体および支持構造物は、タンク本体内部に入れ、それによってソーラーモジュールを保護する。出荷用コンテナとしてタンクのこの交互の温度の使用は、たとえば遠隔軍事のために発生するように、ソーラーモジュールをたとえば規則的にセットアップし、解体しなければならないときに非常に役立つことがある。事実上、タンクは、いま、３つの機能、つまり出荷用コンテナ、保管タンクおよびバラストシステムに役立つ。
【００８９】
図１６Ａは、極端な夏季運転のために乾燥剤システムに統合されたソーラー空調のセットアップの概略図を明示する。コンディショナ５０１からの乾燥剤のすべてがリジェネレータ５０２に送られる。プレート構造体の優位性は、事実上、プレートセット５０１および５０２が、空気と、液体乾燥剤と、熱伝達流体との間の３方熱交換器であるという点である。これによって、ＰＶＴモジュールを２つの場所で連結することができる。つまり、１６０１で熱伝達流体を直接的に加熱する、または１６０２で熱交換器を通して乾燥剤を加熱する。同様に、顕熱冷却用の常温接続部は、乾燥剤側１６０４または熱伝達流体側１６０３のどちらかで作ることができる。
【００９０】
図１６Ｂは、夏季の極端ではない運転用のセットアップを示す。前のケースとの主要な相違点は、乾燥剤の一部だけが熱交換器を通して送られる点である。１６０９および１６１０での乾燥剤の流れは、乾燥剤の一部だけしかリジェネレータに送られないように調整できる。前のケースでのように、ＰＶＴモジュールは、２つの場所で、つまり乾燥剤側１６０６で、および熱伝達流体側１６０５で連結できる。再び、常温接続部は乾燥剤１６０８または熱伝達流体１６０７のどちらかで通ることができる。全ての熱源および低熱源が、図中のＰＶＴモジュールまたは低熱源に並列でまたは直列で同じラインの中に連結される他のソースにおって補足できることが、統合者に明らかになるだろう。
【００９１】
図１７Ａは、極端な状態での冬季暖房用の液体乾燥剤システムのセットアップを示す。出ていく空気の能動冷却は必要ではないので、低熱源は図面から省略されている。再び、ＰＶＴモジュールは、乾燥剤側１７０５または熱伝達流体側１７０６に連結できる。加熱された乾燥剤は水蒸気も放つので、乾燥剤の高濃度および乾燥剤塩分の結晶化の可能性を妨げるために、追加の水が１７０７で追加されなければならない場合がある。さらに、処理された空気５０４は、１７０４で、ＰＶＴモジュールまたは別の熱源で予熱することによってより効率的に再び行うことができる追加の加湿１７０３を必要とする場合がある。
【００９２】
図１７Ｂは、乾燥剤の一部だけが、１７０８および１７０９で熱交換器を通して送られる極端ではない冬季状況を除き、図１７Ａに類似するセットアップを示す。
【００９３】
図１８Ａは、図１３ＡからのＰＶＴモジュールアレイをどのようにして液体乾燥剤システムに接続できるのかを示す。ＰＶＴモジュール１８０４は、熱を受け取り、高温の熱伝達流体は、乾燥剤リジェネレータ５０２と高温の保管システム１８０３の両方に送られる。低温側は、常温の保管タンク１８０５から冷水を引き出すことができる。      夜に、図１８Ｂは、リジェネレータが現在どのようにして高温の保管タンク１８０３から引き出しているのかを示すのに対し、コンディショナは、同じタンクで冷水を常温の保管タンク１８０５に提供するＰＶＴモジュール１８０４を通して熱を放出している。
【００９４】
図１８Ａおよび図１８からのセットアップは、たとえば、砂漠でのまたはカリフォルニアの中心の谷での場合のように、夜の温度と昼間の温度との間に大きな温度差があるときにうまく作用する。ただし、他の天候では、温度が偶然起こる可能性はそれほどはなく、追加の潜熱冷却が依然として必要とされることがある。上述されたように、かかる顕熱冷却は、小さなチラーまたはヒートポンプを備えることができる。ペルチェ冷却または蒸発冷却塔の他の冷却手段が利用できることが、当業者に明らかでなければならない。フロリダ、マイアミ等における天候では、蒸発冷却は、すでに高い湿度レベルのため、夏季では効果的ではない。
【００９５】
図１９Ａは、除湿された空気５０４の一部を使用し、それをプレート構造体１９０４の第３のセットに向ける代替冷却方法を示す。迂回した空気流１９０３はすでに処理され、湿度が低い。乾燥剤の代わりに、プレート構造体の第３のセットは、その表面上、および膜またはウィッキング面の後方に流れる水を有し、プレート１９０７の内部に熱伝達流体を有する。迂回した空気は、いま、波状プレート間で向けられ、事実上、波状プレートを使用する蒸発チラーとして知られていることを生じさせる。水は、１９０５でプレート構造体の第３のセットに供給され、蒸発しない水はライン１９０９を通してプレートの上部に戻される。迂回した空気１９０３の一部は、空気の量が可変であるように、ルーバーまたは導風板または他のなんらかの適当な機構で調整できる。空気量を変えると、進入する空気５０４によって建物内で達成される温度が調節される。図１８Ｂに示されるように、ＰＶＴモジュール１８０７は、冷却効果を強化するために夜に使用することができ、冷水はタンク１８０５に保管できる。また、コンディショナ５０１の真下に（部分的に）プレート構造体１９０４の第３のセットを配置することも考えられるだろう。これは全体的なスタックの高さを高め、反対方向で空気５０４を向き直す必要性を否定する。逆に図面の平面の中から、および水平流パターンで波状プレートの第３のセットの中に空気５０４を迂回させることも可能だろう。コンディショナプレート５０１の真下に波状プレートの第３のセットを配置することは、図２０Ａに示されるように冬季運転のための空気流を逆にすることが不可能になる点である。ただし、空気５０４の一部を図面の平面に垂直に引き出し、波状プレート１９０４の第３のセットを通して水平にそれを送ることは、依然としてプレートの第３のセット内の空気を、図２０Ｂに示されるように20B冬季暖房に使用できるようにする。
【００９６】
プレートの第３のセットに加えて、図１９Ａは、乾燥剤システムに対する別の改善策を示す。乾燥剤保管システム１９０２は、流量が低く、乾燥剤が沈殿するのに十分な時間を有する場合、低濃度の乾燥剤は濃縮乾燥剤から物理的に分離するという事実を使用する。言い換えると、そのままにされると、タンク１９０２内の濃度は上から下に移動するにつれ増加する傾向がある。乾燥剤ラインをタンクの側面に沿って適切な高さで接続することによって、この効果を利用することができる。また、垂直に調整可能な排水装置１９０８を使用してタンク内の可変高さから乾燥剤を引き出すこともできる。排水装置１９０８を上方に移動することによって、システムはより低い濃度の乾燥剤を引き出し、その結果除湿は減少する。事実上、これは、システムに建物内での湿度に対する制御能力を与える。排水装置１９０８を引き下げると、建物内の湿度は減少するが、再生のコストもより高くなる。実質的に、これはいま、ＰＶＴモジュール１８０４が十分な熱を生成しないときに使用される補足の暖房システムを調整することによって、システムに、空気の温度に対する独立した制御を与える。
【００９７】
特定の実施形態に関連して説明された（たとえばタンク１９０２等の）多様な特長および要素が、明示的には示されていないが他の実施形態でも実装できることが理解されるべきである。
【００９８】
図１９Ｂは、冷却水をコンディショナ５０１に提供するために機能する波状プレート１９０４の第３のセットが、現在では、冷却水１９５６を１つまたは複数の天井パネル１９５５、いわゆる「冷却天井」に対して提供している図１９Ａのシステムを示す。この手法によって、プレートの第３のセットで生成される冷却水は、統合された手法で顕熱空間冷却も提供できるようになる。冷却され、乾燥した空気５０４および１９５２は、通常、一連のダクト１９５３を通って誘導され、建物１９５１内の空間１９５２に届けられる。この手法によって、プレートセットのプレート数を変えることによって、および同様に空間の湿度に影響を及ぼす乾燥剤濃度を調整することによって、潜熱冷却および顕熱冷却に対する建物の要件のバランスを容易に取ることができるようになる。冷却天井プレートの代わりに、一連のファンコイルまたは他の適当な空気熱交換器への液体が配備できることが、当業者に明らかでなければならない。
【００９９】
図２０Ａは、冬季暖房用のセットアップ以外の図１９Ａからのシステムを示す。多くの場合、冬季のヒータ容量は夏季の冷房容量よりもはるかに大きくなる必要があるので、いま、入ってくる空気の加熱の一部として波状プレートの第３セットを使用できる。プレートの第３のセットの表面上に水を流す代わりに、システムは、いま液体乾燥剤を使用して、空気を処理している。冬季モードでは、補足の加熱器１９０１を使用する必要はなく、熱がループ２００１の中の熱伝導流体に適用される必要もない。代わりに、補足の加熱器２００３が、コンディショナ波状プレートセット５０１および１９０４内の熱伝達流体を加熱するために使用できる。追加の予熱器コイル２００６は、進入する空気５０３および１９０６を加熱するために使用できる。リジェネレータ５０２に進入する乾燥剤２００２は、出ていく空気５０５から熱および水蒸気を採取している。図１７Ａについて説明されたように、これは、配管２００４を通る乾燥剤がこの熱および水をコンディショナに運ぶので、コンディショナに対する加熱要件を削減するために役立つ。ライン２００５は、いま、波状プレートの第３セットにも到達するように乾燥剤を接続する。冬季の状態は多くの場合、加湿が発生することを必要とするので、追加の水が、夏季モードで蒸発冷却に使用されるのと同じシステム１９０５、または追加の加湿器１７０３のどちらかによって追加できる。
【０１００】
図２０Ｂは、ファン２３によって押し進められる冬季暖房中に、空気２０５１が、プレート１９０４の第３のセットを通して実質的に垂直方向でどのように流れるのかを示す。夏の冷房中、空気５０４は、矢印２０５２に続く図面の平面の中から、図面の平面の後方および波状プレート１９０４の第３のセットの背部に実質的に位置するファン２９５４による実質的に水平の流れ方向に向けられる。この手法が、図２０Ａに説明される手法に優る優位点は、反転可能な空気ファンに対する必要性がないという点である。代わりに、冬季ファン２５０３が、暖房シーズン中に称され、夏季ファン２５０４が冷房シーズン中に使用される。コンディショナ上のファン２５０５は、つねに空気を同じ垂直の流れで向けている。この手法の追加の優位点は、冬季のヒータ容量の増加に加えて、プレートの第３のセットの全体的な領域が、冬季と夏季の両方で積極的に使用されるという点である。図１１Ｅに示される手法は、不利な点として、１）それが冬季暖房支援のために反転可能ではない、２）特に水チャンネル１１３８のための有効面積が、空気が蒸発チャンネル１１３８を通って流れる様式のために縮小される、および３）蒸発チャンネル１１３８の、乾燥剤チャンネル１１３７に対する比率が固定されており、おそらくより少ない蒸発が必要とされ（顕熱冷却）、より多くの除湿が必要とされる（潜熱冷却）気候にシステムを採用するために与えられる柔軟性が少ないという点を有する。蒸発チャンネルをプレートの第３のセットに分離することによって、多様な気候条件にシステムを採用するための柔軟性が高められる。
【０１０１】
図２１Ａは、１つまたは複数の実施形態に係るプレート熱交換器を示す。これらの空調システムで使用される乾燥剤は、通常金属に対して腐食性であるので、通常の熱交換器―通常、金属で構築されている―は、通常はコストにマイナス影響を及ぼす、腐食性の仕事のために材料が特に選択されていない限り、容易に使用することはできない。ユニット全体がプラスチックから作られる平板構造を使用することによって、コストは、通常削減できる。乾燥剤は２つの場所で熱交換器に進入する。たとえば高温の乾燥剤は２１０１で進入し、２１０３で常温の乾燥剤として出る。常温の乾燥剤は２１０２で進入し、２１０４で高温の乾燥剤として出る。ハウジング２１０５は、熱伝導性の面２１１０を有するプレート２１０６アセンブリを収容している。プレート２１０６の内部の障害物２１０９が乾燥剤のために長い入り組んだ経路を作り出す。垂直分離器２１０７が、プレート内部の流体に反対の方向で流れる流体ように長い入り組んだ経路を作り出す。垂直分離器２１０７内の切欠き２１０８は、対向する流体をお上下方向および左右方向に押しやる。熱伝導性のプラスチック平板の他の構築手法が熱交換器として使用できることが、当業者にとって明らかになる。
【０１０２】
図２１Ｂは、熱交換器用の熱伝導性プラスチックプレートの代替配置を示す。熱交換器２１５０は、熱伝導性プラスチックプレート２１５５および２１５７から形成されるスタックを含む。常温の液体は２１５１で進入し、プレートアセンブリを通って加熱され、２１５２で高温液体として出る。高温液体は２１５３で進入し、２１５４において常温で出てゆく。プレートのそれぞれは、偶数のプレート２１５５がプレート２１５５の左下から右上への流れを可能にするように向けら得るシール２１５６を含み、奇数番号付きのプレート２１５７は、右下から左上への流れを可能にする鏡像シール２１５６’を有する。乱流隆起２１５８は、液体が入口から出口に移動するときに、液体の流れを上下させ、それによって次のチャンネル内の液体とより優れた熱交換を生じさせる。乱流隆起は、たとえばプラスチックを熱成形するまたは鋳造することによって等、それらをプラスチックプレート２１５５および２１５７の中に形成することによって作成できる。代わりに、プラスチックプレートの成形コストは多大となるので、プレート２１５５および２１５７に対して接着された接着剤ライン２１５８に接着剤システムを使用することができる。かかる接着剤ラインは、たとえば3M  CorporationのMarine  5200ポリウレタン接着剤を使用することによって等、単純なＸＹロボット接着システムによって形成できる。シーラントライン２１５６および２１５６’も、プラスチックが積み重ねられるときに、接着剤ラインは互いを支え、シールラインが上部プレートと下部プレートとの間の距離を埋めるように、シーラントラインの高さが乱流ライン２１５５および２１５７の高さの約２倍になるだろうという点を除き、同じ接着システムを使用して形成できる。
【０１０３】
図２１Ｃは、プレート構造体の断面概略図、および図２１Ｂに示されたように接着剤構造体を使用して流体熱交換器に対する流体を構築する際に関与する例示的な製造ステップである。図２１Ｂに示されるように、ステップＡで、好ましくは熱伝導性、非腐食性材料から作られるプレート２１５５は、最初に、プレートの片側で所定のパターンで接着剤隆起２１５８を均一に適用できる機械の中に設置される。接着剤隆起が硬化した後（ステップＢ）、プレートは反転され、接着剤隆起２１５８の第２のセットが同様なパターンまたは異なるパターンでプレートの反対側に適用される（ステップＣ）。したがって、多くの類似するプレートは、このようにして構築される。多くのプレートが硬化した後（ステップＤ）、熱交換器の基部２１６１が位置決めされ、基部に対する密封用である接着剤パターン２１５６が適用される。硬化が発生する前に、第１のプレート２１５５は第１のプレートの下側に付着するようにシールの上に設置される（ステップＥ）。このプロセスステップは、他のプレートで繰り返される（ステップＦ）。最後に、上部プレート２１６２は、接着剤シール２１５６’とともに設置される（ステップＧ）。この構築プロセスの優位点は、金属だけではなく、異なる材料、プラスチックで熱交換器装置を作ることが非常に容易であり、実質的にはセットアップまたはツーリングのコストはかからないという点である。さらに、プレートを単に拡大し、接着剤機会をプログラミングし直すことによって熱交換器のサイズを容易に変更できる。従来の熱交換器は、通常、形成された金属板を使用するので、あらゆるサイズ変更は金属を形成するための新しい金型を必要とすることがある。また、これらの熱交換器は、多くの場合、鋳造ウレタンガスケットを利用するため、サイズ変更は多くの場合新しい鋳造モールドも必要とする。
【０１０４】
特定の状況では、外気中の水蒸気を捕捉し、それをたとえば液状水分に変換し、飲料水を生成することが望ましいだろう。図２２は、２セットの波状プレートがエンクロージャ２２０１の中に統合されている配置を示す。第１の波状プレートセット２２０２は―以前のように―熱源２２１１によって生成される高温熱伝達流体を有する。ソース２２０３からの乾燥剤は、波状プレート２２０１の表面に向けられる。ソース２２０３からの熱は、水蒸気を波状プレートの表面上の乾燥剤から変化させる。ファン２２０６によってプレートの間で駆動される空気２２０５は、水蒸気を吸収し、システムの右側に移動される。完全なシステムが封入され、空気は漏れ出ることはできないので、エンクロージャ２２０１内の相対湿度は１００％近くに達する。加熱されると、湿り空気２２０５は波状プレートの第１のっセットから出て、飽和状態に近くなる。その同じ空気が波状プレート２２０７の第２のセットに達すると、冷水ループ２２０８によって、水蒸気は波状プレート２２０７の表面で凝縮し、次いで２２１０でシステムの中から流れ出る液状水分の形で波状プレート２２０７の底部で収集される。冷却器空気２２０４は、波状プレート２２０７の底部を出て、波状プレート２２０２の第１のセットまで戻される。波状プレートの第１のセットで、冷却器空気は再び加熱され、再びサイクルをやり直して乾燥剤からの水蒸気を吸収する。削減された圧力で、図２２のシステムを操作するように、真空ポンプ２０９を追加することが可能である。これは必須温度を引き下げ、第１の波状プレートセット２２０２上の乾燥剤からの水蒸気を進化させるだろうが、システムをさらに複雑化するだろう。たとえば、出口２２１０でシステムから凝縮水を回収し、波状プレート２２０２の第１のセット上での乾燥剤の還流を妨げるために、またポンプ機構を追加しなければならないだろう。空気熱交換器２２１２に対する荷に選択の空気が追加できるだろうが、それは、回収がより困難となるだろう熱交換器内での凝縮につながるだろう。波状プレート２２０７内での凝縮が、波状プレート２２０２に比較して相対的に冷たい金属板のセット等、他で達成できるだろうことが、当業者に対して明らかでなければならない。凝縮プロセスに関与する乾燥剤はないので、金属板等の任意の適切な材料が、凝縮構成部品のために使用できる。
【０１０５】
図２３は、温室効果ガスの除湿のために液体乾燥剤合を使用するシステムを示す。コンディショナ２３２２および２３２３は、やはり図１Ａおよび図１Ｂに示されるような液体乾燥剤コンディショナを含む。スプレーヘッド２３１４は、温室効果ガス空気２３１７を除湿する冷却塔充填２３１５の中に乾燥剤を噴霧する。希釈乾燥剤２２３１６は、収集バス２３１８の中に流れ落ちる。乾燥剤２３２４の内のいくらかは、熱交換器２３２０を通ってポンプ移送され、リジェネレータ２３０１に達する。任意付加的に、乾燥剤は、リジェネレータの一部である乾燥剤コレクタ２３０４に達する前に、ＰＶＴモジュール熱源２３１９によって加熱することもできる。コレクタ２３０４内の濃縮乾燥剤のいくらかは、濾過材２３０３に噴霧される前に、熱交換器２３０６へ、および／または任意選択のＰＶＴモジュール暖房システム２３０５を通してポンプ移送される。また、濾過材２３０３は、空気を通過させながら、大きな面積上で乾燥剤を広げることができる。空気２３０２は、濾過材を通してファン２３０９によってポンプ移送され、高温の乾燥剤から水蒸気を採取する。高温で湿った空気は、次いで冷水が２３２１で空気の中に噴霧されるリジェネレータの他方の側に輸送される。水は空気から凝縮し、収集バス３１０の中に集まる。水のいくらかはライン２３１２を通して熱交換器２３１３にポンプ移送される。熱交換器２３１３で、水は、コンディショナ２３２２および２３２３を通ってくる気流によって冷却される。２３１１で余分な水が排出される。システムのための熱は、湯沸かし器２３０８によって、または任意選択でＰＶＴモジュール２３０７によって提供される。乾燥剤の腐食が湯沸かし器による直接的な加熱を可能にしないため、熱交換器２３０６が必要とされる。
【０１０６】
図２４Ａは、はるかに効率的な水分発生システムを示す。波状プレートコンディショナ２４０５は、進入する空気２４０６を処理し、以前のように、波状プレートの表面上を流れる乾燥剤の中に水分を吸収する。出て行く空気２４０７は、進入する空気２４０６よりも暖かく、乾燥している。希釈乾燥剤は、熱交換器２４０４を通しておよび任意選択のＰＶＴモジュール加熱器２４０３を通って、上述される水回収システム２２００にポンプ移送される。波状プレートは、実質的に三方向熱交換器を含むので、システム２４００は、はるかに簡略な場合がある。湯沸かし器２４０２およびオプションのＰＶＴモジュール２４０１は、熱交換器を必要することなく、水回収システム２２００の内部の波状プレートを通って流れる熱伝達流体２４０９を加熱する。同様に、２４０８の冷却液は、追加の熱交換器なしにコンディショナ波状プレート２４０５を通って直接的に流れることができる。また、コンディショナ内の空気流はあまり妨害されていないので、および波状プレートでの加熱および冷却は原位置で行われるので、このより簡略なシステムは、よりエネルギー効率が高い。その結果、ＰＶＴモジュール等のより低温の熱源を使用できる。水は、２４１０で再び回収される。
【０１０７】
希釈液体乾燥剤の再生は、好ましくは、低温でだけではなく高効率で実行される必要がある。高い効率を有するが、一般には高温を要する多重効用再生が当該技術分野においては既知である。高再生温度は、「廃」エネルギー源または太陽エネルギー源を使用することを困難または不可能にする。一般的に、より低温の廃エネルギーの方が、高温のはいエネルギーよりもより容易にかつ安価に入手できる。図２４Ｂは、図２２からの水回収システムおよび図１９Ａの間接冷却システムの組み合わせを示す。水回収システム２２００をリジェネレータプレートセット５０２に組み合わせることによって、乾燥剤の再生は、多重効用リジェネレータとして知られるものになる。希釈乾燥剤５１１は、最初に、水回収システム２２００内部のプレートに向けられる。波状プレート内部では、熱水２４０９が提供され、液体乾燥剤からの水を蒸発させる。液体乾燥剤は、より高い濃度で水生成器で出て、５１５でプレートに向けられる。水生成器２２００内部の熱水蒸気は水ループ２４０８を加熱し、水ループは同様にリジェネレータの波状プレート５０２を加熱する。濃縮乾燥剤５１２は、次いで熱交換器１３を通って戻され、コンディショナで再利用される。このシステムの１つの優位性は、それが、低温で動作しながらも、単一効果リジェネレータよりも高い効率で生成できるという点である。さらに、回収された水２４１０は、水ライン２４５１および任意選択の冷却器２４５２を通って、図１９Ａからの間接冷却システムの蒸発部分に向けることができ、それによって水供給源を提供する必要性を削減するまたは排除する。
【０１０８】
図２５は、なんらかの追加改善策のある図２４Ａのシステムを示す。乾燥剤のすべてをリジェネレータ２２００に送るのではなく、分離器２５０１が分離器の上部近くの最も濃縮されていない乾燥剤を再生のために送り、最も濃縮された乾燥剤を再びコンディショナ内で使用できるようにする。化石燃料の燃焼によって、一般に二酸化炭素および水蒸気が生成される。他の燃焼副産物は、ＮＯｘおよびＳＯｘ等の汚染物質および他の残留副産物である。ガス燃焼器２５０２は、それが温室効果ガスの内部等の処理空間で使用される場合にこれらのガスを生成する。熱水コイル２５０３は、燃焼器によって生成される熱の大部分を吸収する。熱水は、リジェネレータ２２００で使用される。水蒸気、ＣＯ２、ならびにＮＯｘおよびＳＯｘ等の汚染物質は、熱水コイルを通過し、波状プレート２４０５に進入する。ＣＯ２は、温室効果ガスで所望されるが、水蒸気および他の汚染物質は所望されない。実質的には、波状プレートは、燃焼排気中の水分を吸収することによって復水ボイラとして知られるものとして機能し、それによって追加の熱が放出され、全体的な燃焼プロセスがより効率的になる。しかし、復水ボイラとは異なり、乾燥剤は燃焼器流出物中の汚染のいくらかも吸収できる。乾燥剤はこれらの汚染物質を水とともにリジェネレータ２２００に運ぶ。リジェネレータでは、補足フィルタ２４１１が利用され、乾燥剤の中から、またはリジェネレータ内の気流の中からこれらの汚染物質を濾過することができる。図２５の配置は、天然ガスほど清潔に燃焼しないバイオガス等の燃料の燃焼を可能にする。図中にやはり示されるのは、水の凝縮を助けるために追加できる追加の外部冷却２５０４である。
【０１０９】
図２６は、前の図で説明される概念のいくつかも、どのようにして図１７で説明される冬季暖房システムに統合できるのかを示す。湯沸かし器２６０２は、ガス燃焼器２６０１を使用する。加熱された水２６０４は、ＰＶＴモジュール１７０６によっても加熱され、コンディショナ５０１を加熱できる。リジェネレータ５０１の表面上の乾燥剤は、水蒸気ならびにＮＯｘおよびＳＯｘ等の他の汚染物質、ならびに他の残留副産物を吸収する。乾燥剤は、乾燥剤の中の汚染物質のいくらかを捕捉できる任意選択フィルタ２６０３を通して水回収システム２２００に運ばれる。２６０８で回収された水は排出することができる、もしくはＰＶＴモジュール１７０４または他のなんらかの熱源によって任意洗濯で予熱できるライン２６０９を通して加湿器１７０３に転用できる。リジェネレータ２２００内での水の凝縮のための常温ループは、外部冷却コイル２６０７によって冷却できるが、ライン２６０６によって波状プレート５０２に水を流すことによっても冷却できる。
【０１１０】
図２７Ａおよび図２７Ｂは、温室効果ガス燃焼のための図２４Ａセットアップからの乾燥剤システムの三次元の斜視図を示す。図２７Ａは、乾燥剤コンディショナ波状プレート２４０５を含むエンクロージャ２７０１を示す。ファン２７０１は、乾燥剤コンディショナを通して空気を移動できる。図２７Ｂは、内部構成部品を示すために提供されるいくつかの開口部がる銅システムの後面図を示す。リジェネレータプレート２２０２は、湯沸かし器２４０２から熱水を受け取る。熱交換器２４０４は、高温の乾燥剤および常温の乾燥剤を分離する。凝縮器プレート２２０７が、システムから水を収集する。
【０１１１】
図２８は、湯沸かし器２２００をどのようにして塩分除去システムで使用できるのかを示す。海水２８０３は、反対側に濃縮乾燥剤２８０４を有する膜２８０１のセットの中に誘導される。乾燥剤は、膜を通って乾燥剤の中に水２８０２を引き寄せる呼び流体として機能する。ＰＶＴモジュール２８０６のオプションのセットは、乾燥剤のいくらかを予熱できる。希釈乾燥剤は、いま、熱交換器２８１１を通ってリジェネレータ２２００にポンプ移送される。暖房システム２８０７は、リジェネレータ波状プレート２８１３内で使用される伝達流体にもなることがある。熱伝達流体は、ＰＶＴモジュール２８１２によっても加熱できる。また、乾燥剤は、ＰＶＴモジュール２８１０によっても加熱できる。外部冷却ループ２８０８は、凝縮器プレート２８１４を冷却するために利用できる。純水が、点２８０９で回収される。溶液ポンプ動力を非常に低く保つことができるので、説明されたシステムの優位点は、それが、浸透性を使用する塩分除去システムよりもはるかに低い動力レベルで動作できる点である。
【０１１２】
このようにしていくつかの実施形態を説明してきたが、多様な改変形態、変形形態、および改善策が容易に統合者の頭に思い浮かぶだろうことが理解されるべきである。かかる改変形態、変形形態および改善策は、本開示の一部を形成することを目的とし、本開示の精神および範囲内にあることを目的とする。本明細書に提示された幾つかの例は、機能または構造上の要素の特定の組合せを含んでいるが、それらの機能および要素が、同じ目的または異なる目的を達成するために他の方法で組みわせられ得ることが理解されるべきである。特に、一実施形態に関連して説明される行為、要素、および特長は、他の実施形態の類似する役割または他の役割から排除されることは意図されていない。さらに、本明細書に説明された要素および構成要素は、追加構成要素にさらに分割されてよい、または同じ機能を実行するためのより少ない構成要素を形成するためにともに結合されてよい。したがって、前記説明および添付図面は、ほんの一例としてであり、制限的であることを目的としていない。なお、本願について特許法１８４条の４第１項の規定に基づいて提出した国際出願翻訳文提出書に記載されていた出願当初の請求項と同一の記載を以下に付記する。
＜付記１＞
建物空間に進入する気流を冷却するための乾燥剤空調システムであって、
実質的に垂直向きで配置される複数の構造体を含むコンディショナであって、各構造体は、液体乾燥剤が横切って流れることが可能な少なくとも１つの表面を有し、前記気流は、前記液体乾燥剤が前記気流を除湿するように前記構造体を通って流れ、または前記構造体の間を流れ、各構造体が、前記少なくとも１つの表面の下端に、乾燥剤コレクタをさらに含み、前記乾燥剤コレクタは、前記構造体の前記少なくとも１つの表面を横切って流れた液体乾燥剤を収集するためのものである、コンディショナと、
前記コンディショナ内の前記乾燥剤コレクタから液体乾燥剤を受け取るためのリジェネレータであって、前記リジェネレータは実質的に垂直向きで配置される複数の構造体を含み、各構造体は、前記液体乾燥剤が横切って流れることができる少なくとも１つの表面を有し、前記気流が前記構造体を通って流れ、または前記構造体の間を流れ、前記液体乾燥剤に水を脱着させ、各構造体は、前記構造体の下端に、乾燥剤コレクタをさらに含み、乾燥剤コレクタは、前記構造体の前記少なくとも１つの表面を横切って流れた液体乾燥剤を収集するためのものであり、前記リジェネレータは、前記リジェネレータ内の前記液体乾燥剤を加熱するために使用される熱伝達流体を加熱するための太陽光―熱（ＰＶＴ）モジュールをさらに備える、リジェネレータと、
前記コンディショナと前記リジェネレータとの間で接続され、前記リジェネレータから前記コンディショナに流れる前記液体乾燥剤から、前記コンディショナから前記リジェネレータに流れる前記液体乾燥剤に熱を伝達するための熱交換器と、
前記コンディショナと前記リジェネレータとの間で前記液体乾燥剤を循環させるための装置と、
を備える乾燥剤空調システム。
＜付記２＞
前記コンディショナで使用される前記液体乾燥剤を冷却するための低熱源をさらに備える、付記１に記載の乾燥剤空調システム。
＜付記３＞
前記リジェネレータおよび前記コンディショナ内の前記複数の構造体のそれぞれが、熱伝達流体が通って流れることができる通路を含み、前記コンディショナが、前記コンディショナ内の前記熱伝達流体を冷却するための低熱源をさらに備える、付記１に記載の乾燥剤空調システム。
＜付記４＞
前記液体乾燥剤および前記熱伝達流体が、前記コンディショナおよび前記リジェネレータ内の一般に反対の方向で流れる、付記３に記載の乾燥剤空調システム。
＜付記５＞
前記コンディショナから前記リジェネレータに流れる前記液体乾燥剤をさらに加熱するためのＰＶＴモジュールをさらに備える、付記１に記載の乾燥剤空調システム。
＜付記６＞
前記リジェネレータから前記コンディショナに流れる前記液体乾燥剤をさらに冷却するための低熱源をさらに備える、付記１に記載の乾燥剤空調システム。
＜付記７＞
前記コンディショナから前記リジェネレータに流れる前記液体乾燥剤をさらに加熱するため、および前記リジェネレータから前記コンディショナに流れる前記液体乾燥剤をさらに冷却するためのヒートポンプをさらに備える、付記１に記載の乾燥剤空調システム。
＜付記８＞
前記コンディショナで使用される前記液体乾燥剤の実質的にすべてが、前記熱交換器を通して前記リジェネレータに移される、付記１に記載の乾燥剤空調システム。
＜付記９＞
前記コンディショナで使用される前記液体乾燥剤の一部が、前記熱交換器を通して前記リジェネレータに移され、前記液体乾燥剤の前記残りが、前記熱源によって冷却され、前記コンディショナに戻される、付記１に記載の乾燥剤空調システム。
＜付記１０＞
前記構造体が、前記温度勾配に一般的に平行である方向で自由に膨張または収縮し、前記構造体に対する熱誘導応力を緩和できるように、前記複数の構造体が、前記コンディショナおよびリ前記ジェネレータ内に確保される、付記１に記載の乾燥剤空調システム。
＜付記１１＞
前記液体乾燥剤と前記気流との間で、前記コンディショナおよび前記リジェネレータ内の各構造体の前記外面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記１に記載の乾燥剤空調システム。
＜付記１２＞
前記液体乾燥剤の前記表面張力および材料の前記シートの特性が、前記液体乾燥剤の乾燥剤コレクタへの移送を容易にする、付記１１に記載の乾燥剤空調システム。
＜付記１３＞
各構造体で、材料の前記シートの下縁が、液体乾燥剤の圧力上昇を削減するために、前記構造体の下位部に固定して接続されていない、付記１１に記載の乾燥剤空調システム。
＜付記１４＞
材料の前記シートが、膜または親水性材料を備える、付記１１に記載の乾燥剤空調システム。
＜付記１５＞
材料の前記シートが、疎水性微細孔膜を備える、付記１１に記載の乾燥剤空調システム。
＜付記１６＞
材料の前記シートが、疎水性材料の層および親水性材料の層を、前記疎水性材料と前記構造体の前記少なくとも１つの表面との間に備える、付記１１に記載のシステム。
＜付記１７＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記１１に記載の乾燥剤空調システム。
＜付記１８＞
各構造体が、熱伝達流体が、前記熱伝達流体と前記液体乾燥剤または前記気流との間で熱の伝達のために流れることができる内部通路を含む、付記１７に記載の乾燥剤空調システム。
＜付記１９＞
各構造体の材料の前記シートに１つまたは複数の通気孔をさらに備え、液体乾燥剤が、材料の前記シートと前記構造体との間で自由に流れ、真空封止を抑制できるようにする、付記１１に記載の乾燥剤空調システム。
＜付記２０＞
前記複数の構造体が、実質的に垂直向きで配置され、離間される複数のプレートアセンブリを備え、隣接するプレートアセンブリ間での前記気流の流れを可能にする、付記１に記載の乾燥剤空調システム。
＜付記２１＞
各プレートアセンブリが、入り組んだプレートを含む、付記２０に記載の乾燥剤空調システム。
＜付記２２＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記１に記載の乾燥剤空調システム。
＜付記２３＞
前記構造体に進入する前記気流内で乱流を引き起こすための装置をさらに備える、付記１に記載の乾燥剤空調システム。
＜付記２４＞
前記建物空間に進入する前記気流が、前記コンディショナを通って一般に水平方向で流れ、前記建物空間からの還気流または外気が前記リジェネレータを通って一般に水平方向で流れる、付記１に記載の乾燥剤空調システム。
＜付記２５＞
前記建物空間に進入する前記気流が、前記コンディショナを通って一般に垂直方向で流れ、前記建物空間からの還気流または外気が前記リジェネレータを通って一般に垂直方向で流れる、付記１に記載の乾燥剤空調システム。
＜付記２６＞
各構造体が、熱伝導性プラスチック材料を備える、付記１に記載の乾燥剤空調システム。
＜付記２７＞
前記リジェネレータおよび前記コンディショナが物理的に分離され、分割空調システムを形成する、付記１に記載の乾燥剤空調システム。
＜付記２８＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記１に記載の乾燥剤空調システム。
＜付記２９＞
建物空間に進入する気流を加熱するための乾燥剤空調システムであって、
実質的に垂直向きで配置される複数の構造体を含むコンディショナであって、各構造体は、液体乾燥剤が横切って流れることができる少なくとも１つの表面を有し、前記気流は、前記液体乾燥剤が前記気流を除湿するように前記構造体を通って流れ、または前記構造体の間を流れ、各構造体が、前記少なくとも１つの表面の下端に、乾燥剤コレクタをさらに含み、前記乾燥剤コレクタは、前記構造体の前記少なくとも１つの表面を横切って流れた液体乾燥剤を収集するためのものであり、前記コンディショナが前記液体乾燥剤を加熱するために使用される熱伝達流体を加熱するための太陽光―熱（ＰＶＴ）モジュールをさらに備える、コンディショナと、
前記コンディショナから液体乾燥剤を受け取り、前記液体乾燥剤を加湿し、前記コンディショナに前記液体乾燥剤を戻すためのリジェネレータであって、前記リジェネレータは実質的に垂直向きで配置される複数の構造体を含み、各構造体は、前記液体乾燥剤が横切って流れることができる少なくとも１つの表面を有し、前記気流が前記構造体を通って流れ、または前記構造体の間を流れ、前記液体乾燥剤に水を吸収させ、各構造体は、前記構造体の下端に、乾燥剤コレクタをさらに含み、前記乾燥剤コレクタは、前記構造体の前記少なくとも１つの表面を横切って流れた液体乾燥剤を収集するためのものである、リジェネレータと、
前記コンディショナと前記リジェネレータとの間で接続され、前記コンディショナから前記リジェネレータに流れる前記液体乾燥剤から、前記リジェネレータから前記コンディショナに流れる前記液体乾燥剤に熱を伝達するための熱交換器と、
前記コンディショナと前記リジェネレータとの間で前記液体乾燥剤を循環させるための装置と、
を備える乾燥剤空調システム。
＜付記３０＞
前記リジェネレータから前記コンディショナに流れる前記液体乾燥剤をさらに加熱するためのＰＶＴモジュールをさらに備える、付記２９に記載の乾燥剤空調システム。
＜付記３１＞
前記リジェネレータから前記コンディショナに流れる前記液体乾燥剤をさらに加熱するため、および前記コンディショナから前記リジェネレータに流れる前記液体乾燥剤をさらに冷却するためのヒートポンプをさらに備える、付記２９に記載の乾燥剤空調システム。
＜付記３２＞
前記コンディショナで使用される前記液体乾燥剤の実質的にすべてが、前記熱交換器を通して前記リジェネレータに移される、付記２９に記載の乾燥剤空調システム。
＜付記３３＞
前記コンディショナで使用される前記液体乾燥剤の一部が、前記熱交換器を通して前記リジェネレータに移され、前記液体乾燥剤の前記残りが、前記ＰＶＴモジュールによって加熱され、前記コンディショナに戻される、付記２９に記載の乾燥剤空調システム。
＜付記３４＞
前記リジェネレータおよび前記コンディショナの前記複数の構造体のそれぞれが、熱伝達流体が流れることができる通路を含む、付記２９に記載の乾燥剤空調システム。
＜付記３５＞
前記液体乾燥剤および前記熱伝達流体が、前記コンディショナおよび前記リジェネレータ内で一般に反対方向で流れる、付記３４に記載の乾燥剤空調システム。
＜付記３６＞
前記構造体が、前記温度勾配に一般的に平行である方向で自由に膨張または収縮し、前記構造体に対する熱誘導応力を緩和できるように、前記複数の構造体が、前記コンディショナおよびリ前記ジェネレータ内に確保される、付記２９に記載の乾燥剤空調システム。
＜付記３７＞
前記液体乾燥剤と前記気流との間で、前記コンディショナおよび前記リジェネレータ内の各構造体の前記外面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記２９に記載の乾燥剤空調システム。
＜付記３８＞
前記液体乾燥剤の前記表面張力および材料の前記シートの特性が、前記液体乾燥剤の乾燥剤コレクタへの移送を容易にする、付記３７に記載の乾燥剤空調システム。
＜付記３９＞
各構造体で、材料の前記シートの下縁が、液体乾燥剤の圧力上昇を削減するために、前記構造体の下位部に固定して接続されていない、付記３７に記載の乾燥剤空調システム。
＜付記４０＞
材料の前記シートが、膜または親水性材料を備える、付記３７に記載の乾燥剤空調システム。
＜付記４１＞
材料の前記シートが、疎水性微細孔膜を備える、付記３７に記載の乾燥剤空調システム。
＜付記４２＞
材料の前記シートが、疎水性材料の層および親水性材料の層を、前記疎水性材料と前記構造体の前記少なくとも１つの表面との間に備える、付記３７に記載のシステム。
＜付記４３＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記３７に記載の乾燥剤空調システム。
＜付記４４＞
各構造体が、熱伝達流体が、前記熱伝達流体と前記液体乾燥剤または前記気流との間で熱の伝達のために流れることができる内部通路を含む、付記４３に記載の乾燥剤空調システム。
＜付記４５＞
各構造体の材料の前記シートに１つまたは複数の通気孔をさらに備え、液体乾燥剤が、材料の前記シートと前記構造体との間で自由に流れ、真空封止を抑制できるようにする、付記３７に記載の乾燥剤空調システム。
＜付記４６＞
前記複数の構造体が、実質的に垂直向きで配置され、離間される複数のプレートアセンブリを備え、隣接するプレートアセンブリ間での前記気流の流れを可能にする、付記２９に記載の乾燥剤空調システム。
＜付記４７＞
各プレートアセンブリが、入り組んだプレートを含む、付記４６に記載の乾燥剤空調システム。
＜付記４８＞
前記複数の構造体が、実質的に垂直向きで配置される複数の管状部材を備え、管状部材の内の少なくともいくつかが、前記液体乾燥剤が流れることができる環状の通路、および前記気流が流れることができる、前記環状通路によって取り囲まれる中心通路を含む、付記２９に記載の乾燥剤空調システム。
＜付記４９＞
前記構造体に進入する前記気流内で乱流を引き起こすための装置をさらに備える、請求
項２９に記載の乾燥剤空調システム。
＜付記５０＞
各構造体が、熱伝導性プラスチック材料を備える、付記２９に記載の乾燥剤空調システム。
＜付記５１＞
前記建物空間に進入する前記気流が、前記コンディショナを通って一般に水平方向で流れ、前記建物空間からの還気流または外気が前記リジェネレータを通って一般に水平方向で流れる、付記２９に記載の乾燥剤空調システム。
＜付記５２＞
前記建物空間に進入する前記気流が、前記コンディショナを通って一般に垂直方向で流れ、前記建物空間からの還気流または外気が前記リジェネレータを通って一般に垂直方向で流れる、付記２９に記載の乾燥剤空調システム。
＜付記５３＞
前記リジェネレータおよび前記コンディショナが物理的に分離され、分割空調システムを形成する、付記２９に記載の乾燥剤空調システム。
＜付記５４＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記２９に記載の乾燥剤空調システム。
＜付記５５＞
建物空間に進入する気流を処理するための乾燥剤空調システムであって、
前記気流を除湿するための液体乾燥剤、および前記液体乾燥剤を冷却するための熱伝達流体を活用するコンディショナと、
前記コンディショナに接続された、前記コンディショナから前記液体乾燥剤を受け取るためのリジェネレータであって、前記リジェネレータが熱伝達流体を使用して前記液体乾燥剤を加熱し、前記液体乾燥剤に水を脱着させる、リジェネレータと、
前記乾燥剤空調システムを動作する際に使用される電力を発電するための太陽光―熱（ＰＶＴ）モジュールであって、前記ＰＶＴモジュールが、日中前記リジェネレータで活用される熱伝達流体を加熱し、夜に熱伝達流体から熱を放射することによって前記コンディショナで使用される前記熱伝達流体を冷却するように構成される、太陽光―熱モジュールと、
前記ＰＶＴモジュールによって加熱される前記熱伝達流体を保管し、前記ＰＶＴモジュールによって冷却される前記熱伝達流体を保管するための１つまたは複数のタンクと、
前記コンディショナと前記リジェネレータとの間で接続され、前記リジェネレータから前記コンディショナに流れる前記液体乾燥剤から、前記コンディショナから前記リジェネレータに流れる前記液体乾燥剤に熱を伝達するための熱交換器と、
を備え、
前記リジェネレータが、日中、前記ＰＶＴモジュールによって加熱される熱伝達流体を使用し、夜には前記第１のタンクに保管されている前記熱伝達流体を使用するように構成され、
前記コンディショナが、夜に、前記ＰＶＴモジュールによって冷却される熱伝達流体を使用し、日中は前記第２のタンクに保管されている前記熱伝達流体を使用するように構成される、
乾燥剤空調システム。
＜付記５６＞
前記コンディショナが、実質的に垂直向きに配置される複数の構造体を備え、各構造体が、前記液体乾燥剤が横切って流れることができる少なくとも１つの表面を有し、前記気流が、前記液体乾燥剤が前記気流を除湿するように前記構造体を通ってまたは前記構造体の間を流れ、各構造体が、前記少なくとも１つの表面の下縁に、前記構造体の前記少なくとも１つの表面を横切って流れた液体乾燥剤を収集するための乾燥剤コレクタをさらに含む、付記５５に記載の乾燥剤空調システム。
＜付記５７＞
前記コンディショナで使用される前記液体乾燥剤を冷却するための低熱源をさらに備える、付記５５に記載の乾燥剤空調システム。
＜付記５８＞
前記複数の構造体のそれぞれが、熱伝達流体が通って流れることができる通路を含み、前記熱伝達流体を冷却するための低熱源をさらに備える、付記５６に記載の乾燥剤空調システム。
＜付記５９＞
前記液体乾燥剤および前記熱伝達流体が、前記コンディショナ内で一般に反対方向で流れる、付記５８に記載の乾燥剤空調システム
＜付記６０＞
前記構造体が、前記温度勾配に一般的に平行である方向で自由に膨張または収縮し、前記構造体に対する熱誘導応力を緩和できるように、前記複数の構造体が、前記コンディショナ内で確保される、付記５６に記載の乾燥剤空調システム。
＜付記６１＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記５６に記載の乾燥剤空調システム。
＜付記６２＞
前記液体乾燥剤の前記表面張力および材料の前記シートの特性が、前記液体乾燥剤の乾燥剤コレクタへの移送を容易にする、付記６１に記載の乾燥剤空調システム。
＜付記６３＞
各構造体で、材料の前記シートの下縁が、液体乾燥剤の圧力上昇を削減するために、前記構造体の下位部に固定して接続されていない、付記６１に記載の乾燥剤空調システム。
＜付記６４＞
材料の前記シートが、膜または親水性材料を備える、付記６１に記載の乾燥剤空調システム。
＜付記６５＞
材料の前記シートが、疎水性微細孔膜を備える、付記６１に記載の乾燥剤空調システム。
＜付記６６＞
材料の前記シートが、疎水性材料の層および親水性材料の層を、前記疎水性材料と前記構造体の前記少なくとも１つの表面との間に備える、付記６１に記載のシステム。
＜付記６７＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記６１に記載の乾燥剤空調システム。
＜付記６８＞
各構造体が、熱伝達流体が、前記熱伝達流体と前記液体乾燥剤または前記気流との間での熱の伝達のために流れることができる内部通路を含む、付記６７に記載の乾燥剤空調システム。
＜付記６９＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記61に記載の乾燥剤空調システム。
＜付記７０＞
前記複数の構造体が、実質的に垂直向きで配置され、離間される複数のプレートアセンブリを備え、隣接するプレートアセンブリ間での前記気流の流れを可能にする、付記５６に記載の乾燥剤空調システム。
＜付記７１＞
各プレートアセンブリが、入り組んだプレートを含む、付記７０に記載の乾燥剤空調システム。
＜付記７２＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記５６に記載の乾燥剤空調システム。
＜付記７３＞
前記コンディショナ内の構造体を通ってまたは前記構造体の間を流れる気流内で乱流を引き起こすための装置をさらに備える、付記５６に記載の乾燥剤空調システム。
＜付記７４＞
各構造体が、熱伝導性プラスチック材料を備える、付記５６に記載の乾燥剤空調システム。
＜付記７５＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記５５に記載の乾燥剤空調システム。
＜付記７６＞
前記リジェネレータが、実質的に垂直向きで配置される複数の構造体を含み、各構造体は、前記液体乾燥剤が横切って流れることができる少なくとも１つの表面を有し、前記気流が前記構造体を通ってまたは前記構造体の間を流れ、前記液体乾燥剤に水を脱着させ、各構造体は、前記構造体の下端に、前記構造体の前記少なくとも１つの表面を横切って流れた液体乾燥剤を収集するための乾燥剤コレクタをさらに含む、付記５５に記載の乾燥剤空調システム。
＜付記７７＞
前記構造体が、前記温度勾配に一般的に平行である方向で自由に膨張または収縮し、前記構造体に対する熱誘導応力を緩和できるように、前記複数の構造体が、前記コンディショナ内で確保される、付記７６に記載の乾燥剤空調システム。
＜付記７８＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記７６に記載の乾燥剤空調システム。
＜付記７９＞
前記液体乾燥剤の前記表面張力および材料の前記シートの特性が、前記液体乾燥剤の乾燥剤コレクタへの移送を容易にする、付記７８に記載の乾燥剤空調システム。
＜付記８０＞
各構造体で、材料の前記シートの下縁が、液体乾燥剤の圧力上昇を削減するために、前記構造体の下位部に固定して接続されていない、付記７８に記載の乾燥剤空調システム。
＜付記８１＞
材料の前記シートが、膜または親水性材料を備える、付記７８に記載の乾燥剤空調システム。
＜付記８２＞
材料の前記シートが、疎水性微細孔膜を備える、付記７８に記載の乾燥剤空調システム。
＜付記８３＞
材料の前記シートが、疎水性材料の層および親水性材料の層を、前記疎水性材料と前記構造体の前記少なくとも１つの表面との間に備える、付記７８に記載のシステム。
＜付記８４＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備える、付記７８に記載の乾燥剤空調システム。
＜付記８５＞
各構造体が、熱伝達流体が、前記熱伝達流体と前記液体乾燥剤または前記気流との間での熱の伝達のために流れることができる内部通路を含む、付記８４に記載の乾燥剤空調システム。
＜付記８６＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記７８に記載の乾燥剤空調システム。
＜付記８７＞
前記リジェネレータ内の前記複数の構造体が、実質的に垂直向きで配置され、離間される複数のプレートアセンブリを備え、隣接するプレートアセンブリ間での前記気流の流れを可能にする、付記７６に記載の乾燥剤空調システム。
＜付記８８＞
各プレートアセンブリが、入り組んだプレートを含む、付記８７に記載の乾燥剤空調システム。
＜付記８９＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記７６に記載の乾燥剤空調システム。
＜付記９０＞
前記コンディショナまたは前記リジェネレータ内の前記複数の構造体が、構造体の複数のセットを備え、構造体の前記セットが垂直に積み重ねられ、前記気流をさらに処理するか、または水平に積み重ねられ、前記乾燥剤空調システムの容量を増す、付記７６に記載の乾燥剤空調システム。
＜付記９１＞
前記リジェネレータおよび前記コンディショナが物理的に分離され、分割空調システムを形成する、付記５５に記載の乾燥剤空調システム。
＜付記９２＞
前記システムが車両内に設置可能である、付記５５に記載の乾燥剤空調システム。
＜付記９３＞
建物空間に進入する気流を処理するための乾燥剤空調システムであって、
前記気流を加湿するための液体乾燥剤、および前記液体乾燥剤を加熱するための熱伝達流体を活用するコンディショナと、
前記コンディショナに接続された、前記コンディショナから前記液体乾燥剤を受け取るためのリジェネレータであって、前記リジェネレータが前記液体乾燥剤を加湿し、前記液体乾燥剤を冷却するための熱伝達流体を使用する、リジェネレータと、
前記乾燥剤空調システムを動作する際に使用される電力を発電するための太陽光―熱（ＰＶＴ）モジュールであって、前記ＰＶＴモジュールが、日中前記コンディショナで活用される熱伝達流体を加熱し、夜に前記熱伝達流体から熱を放射することによって前記リジェネレータで使用される熱伝達流体を冷却するように構成される、太陽光―熱モジュールと、
前記ＰＶＴモジュールによって加熱される前記熱伝達流体を保管し、前記ＰＶＴモジュールによって冷却される前記熱伝達流体を保管するための１つまたは複数のタンクと、
前記コンディショナと前記リジェネレータとの間で接続され、前記コンディショナから前記リジェネレータに流れる前記液体乾燥剤から、前記リジェネレータから前記コンディショナに流れる前記液体乾燥剤に熱を伝達するための熱交換器と、
を備え、
前記コンディショナが、日中、前記ＰＶＴモジュールによって加熱される熱伝達流体を使用し、夜には前記第１のタンクに保管されている前記熱伝達流体を使用するように構成され、
前記リジェネレータが、夜に、前記ＰＶＴモジュールによって冷却される熱伝達流体を使用し、日中は前記第２のタンクに保管されている前記熱伝達流体を使用するように構成される、
乾燥剤空調システム。
＜付記９４＞
前記コンディショナが、実質的に垂直向きで配置される複数の構造体を備え、各構造体は、前記液体乾燥剤が横切って流れることができる少なくとも１つの表面を有し、前記気流は、前記液体乾燥剤が前記気流を加湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、付記９３に記載の乾燥剤空調システム。
＜付記９５＞
前記液体乾燥剤を加熱するための熱源をさらに備える、付記９３に記載の乾燥剤空調システム。
＜付記９６＞
前記複数の構造体のそれぞれが、熱伝達流体が通って流れることができる通路を含み、前記熱伝達流体を加熱するための熱源をさらに備える、付記９４に記載の乾燥剤空調システム。  
＜付記９７＞
前記液体乾燥剤および前記熱伝達流体が、前記コンディショナ内で一般に反対方向で流れる、付記９６に記載の乾燥剤空調システム。
＜付記９８＞
前記構造体が、前記温度勾配に一般的に平行である方向で自由に膨張または収縮し、前記構造体に対する熱誘導応力を緩和できるように、前記複数の構造体が、前記コンディショナ内で確保される、付記９４に記載の乾燥剤空調システム。
＜付記９９＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記９４に記載の乾燥剤空調システム。
＜付記１００＞
前記液体乾燥剤の前記表面張力および材料の前記シートの特性が、前記液体乾燥剤の乾燥剤コレクタへの移送を容易にする、付記９９に記載の乾燥剤空調システム。
＜付記１０１＞
各構造体で、材料の前記シートの下縁が、液体乾燥剤の圧力上昇を削減するために、前記構造体の下位部に固定して接続されていない、付記９９に記載の乾燥剤空調システム。
＜付記１０２＞
材料の前記シートが、膜または親水性材料を備える、付記９９に記載の乾燥剤空調システム。
＜付記１０３＞
材料の前記シートが、疎水性微細孔膜を備える、付記９９に記載の乾燥剤空調システム。
＜付記１０４＞
材料の前記シートが、疎水性材料の層および親水性材料の層を、前記疎水性材料と前記構造体の前記少なくとも１つの表面との間に備える、付記９９に記載のシステム。
＜付記１０５＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記９９に記載の乾燥剤空調システム。
＜付記１０６＞
各構造体が、熱伝達流体が、前記熱伝達流体と前記液体乾燥剤または前記気流との間で熱の伝達のために流れることができる内部通路を含む、付記１０５に記載の乾燥剤空調システム。
＜付記１０７＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記９９に記載の乾燥剤空調システム。
＜付記１０８＞
前記複数の構造体が、実質的に垂直向きで配置され、離間される複数のプレートアセンブリを備え、隣接するプレートアセンブリ間での前記気流の流れを可能にする、付記９４に記載の乾燥剤空調システム。
＜付記１０９＞
各プレートアセンブリが、入り組んだプレートを含む、付記１０８に記載の乾燥剤空調システム。
＜付記１１０＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記９４に記載の乾燥剤空調システム。
＜付記１１１＞
前記コンディショナ内の前記構造体を通って、または前記構造体の間を流れる前記気流で乱流を引き起こすための装置をさらに備える、付記９４に記載の乾燥剤空調システム。
＜付記１１２＞
各構造体が、熱伝導性プラスチック材料を備える、付記９４に記載の乾燥剤空調システム。
＜付記１１３＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記９３に記載の乾燥剤空調システム。
＜付記１１４＞
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記液体乾燥剤に水を吸収させ、各構造体が、前記構造体の下端に、前記構造体の前記少なくとも１つの表面を横切って流れた液体乾燥剤を収集するための乾燥剤コレクタをさらに含む、付記９３に記載の乾燥剤空調システム。
＜付記１１５＞
前記構造体が、前記温度勾配に一般的に平行である方向で自由に膨張または収縮し、前記構造体に対する熱誘導応力を緩和できるように、前記複数の構造体が、前記コンディショナ内で確保される、付記１１４に記載の乾燥剤空調システム。
＜付記１１６＞
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記１１４に記載の乾燥剤空調システム。
＜付記１１７＞
前記液体乾燥剤の前記表面張力および材料の前記シートの特性が、前記液体乾燥剤の乾燥剤コレクタへの移送を容易にする、付記１１６に記載の乾燥剤空調システム。
＜付記１１８＞
各構造体で、材料の前記シートの下縁が、液体乾燥剤の圧力上昇を削減するために、前記構造体の下位部に固定して接続されていない、付記１１６に記載の乾燥剤空調システム。
＜付記１１９＞
材料の前記シートが、膜または親水性材料を備える、付記１１６に記載の乾燥剤空調システム。
＜付記１２０＞
材料の前記シートが、疎水性微細孔膜を備える、付記１１６に記載の乾燥剤空調システム。
＜付記１２１＞
材料の前記シートが、疎水性材料の層および親水性材料の層を、前記疎水性材料と前記構造体の前記少なくとも１つの表面との間に備える、付記１１６に記載のシステム。
＜付記１２２＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備える、付記１１６に記載の乾燥剤空調システム。
＜付記１２３＞
各構造体が、熱伝達流体が、前記熱伝達流体と前記液体乾燥剤または前記気流との間で熱の伝達のために流れることができる内部通路を含む、付記１２２に記載の乾燥剤空調システム。
＜付記１２４＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記１１６に記載の乾燥剤空調システム。
＜付記１２５＞
前記リジェネレータ内の前記複数の構造体が、実質的に垂直向きで配置され、離間される複数のプレートアセンブリを備え、隣接するプレートアセンブリ間での前記気流の流れを可能にする、付記１１４に記載の乾燥剤空調システム。
＜付記１２６＞
各プレートアセンブリが、入り組んだプレートを含む、付記１２５に記載の乾燥剤空調システム。
＜付記１２７＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記１１４に記載の乾燥剤空調システム。
＜付記１２８＞
前記コンディショナまたは前記リジェネレータ内の前記複数の構造体が、構造体の複数のセットを備え、構造体の前記セットが垂直に積み重ねられ、前記気流をさらに処理する、または水平に積み重ねられ、前記乾燥剤空調システムの容量を増す、付記１１４に記載の乾燥剤空調システム。
＜付記１２９＞
前記リジェネレータおよび前記コンディショナが物理的に分離され、分割空調システムを形成する、付記９３に記載の乾燥剤空調システム。
＜付記１３０＞
前記システムが車両内に設置可能である、付記９３に記載の乾燥剤空調システム。
＜付記１３１＞
建物空間に進入する気流を処理するための乾燥剤空調システムであって、
暖気運転モードで前記気流を除湿するため、および寒気運転モードで前記気流を加湿するための液体乾燥剤を活用するコンディショナと、
前記コンディショナに接続された、前記コンディショナから前記液体乾燥剤を受け取るためのリジェネレータであって、前記リジェネレータは、暖気運転モードで水を脱着させ、寒気運転モードで水を吸収させる、リジェネレータと、
前記コンディショナを通って前記気流を移動するための装置と、
前記コンディショナおよび前記リジェネレータを通して前記液体乾燥剤を循環させるための装置と、
前記暖気運転モードで前記リジェネレータに導入される液体乾燥剤を加熱するため、および前記寒気運転モードで前記コンディショナに導入される液体乾燥剤を加熱するための太陽光―熱（ＰＶＴ）モジュールであって、前記ＰＶＴモジュールが、前記乾燥剤空調システムを操作する際に使用される電力を発電するための１つまたは複数の太陽電池も含む、太陽光―熱モジュールと、
を備える乾燥剤空調システム。
＜付記１３２＞
前記建物空間に進入する前記気流が、前記コンディショナを通って実質的に水平方向で流れ、前記建物空間からの還気流または外気が前記リジェネレータを通って実質的に水平方向で流れる、付記１３１に記載の乾燥剤空調システム。
＜付記１３３＞
前記建物空間に進入する前記気流が、前記コンディショナを通って実質的に垂直方向で流れ、前記建物空間からの還気流または外気が前記リジェネレータを通って実質的に垂直方向で流れる、付記１３１に記載の乾燥剤空調システム。
＜付記１３４＞
前記コンディショナおよび前記リジェネレータがそれぞれ、液体乾燥剤を保持し、液体乾燥剤を気流に露呈するための濾過材を含み、前記コンディショナおよび前記リジェネレータがそれぞれ、前記濾過材の上に前記乾燥剤を噴霧するための１つまたは複数のスプレーヘッドを含む、付記１３１に記載の乾燥剤空調システム。
＜付記１３５＞
ヒートポンプまたは低熱源をさらに備え、前記暖気運転モードでは、前記コンディショナからの液体乾燥剤が、前記ＰＶＴモジュールまたはヒートポンプによって加熱され、前記リジェネレータに移され、前記リジェネレータからの前記液体乾燥剤が、前記低熱源または前記ヒートポンプによって冷却され、前記コンディショナに移される、付記１３１に記載の乾燥剤空調システム。
＜付記１３６＞
ヒートポンプまたは低熱源をさらに備え、前記暖気運転モードでは、前記コンディショナからの液体乾燥剤が、前記低熱源または前記ヒートポンプによって冷却され、前記コンディショナのスプレーヘッドに移され、前記リジェネレータからの前記液体乾燥剤が、前記ＰＶＴモジュールまたは前記ヒートポンプによって加熱され、前記リジェネレータに移される、付記１３１に記載の乾燥剤空調システム。
＜付記１３７＞
ヒートポンプまたは低熱源をさらに備え、前記寒気運転モードでは、前記コンディショナからの液体乾燥剤が、前記低熱源または前記ヒートポンプによって冷却され、前記リジェネレータのスプレーヘッドに移され、前記リジェネレータからの前記液体乾燥剤が、前記ＰＶＴモジュールまたは前記ヒートポンプによって加熱され、前記コンディショナのスプレーヘッドに移される、付記１３１に記載の乾燥剤空調システム。
＜付記１３８＞
ヒートポンプまたは低熱源をさらに備え、前記寒気運転モードでは、前記コンディショナからの液体乾燥剤が、前記ＰＶＴモジュールまたは前記ヒートポンプによって加熱され、前記リジェネレータのスプレーヘッドに移され、前記リジェネレータからの前記液体乾燥剤が、前記低熱源または前記ヒートポンプによって冷却され、前記コンディショナのスプレーヘッドに移される、付記１３１に記載の乾燥剤空調システム。
＜付記１３９＞
水蒸気を加えるための加湿器、および前記寒気運転モードで前記コンディショナによって処理される前記気流に熱を加えるための別のＰＶＴモジュールをさらに備える、付記１３１に記載の乾燥空調システム。
＜付記１４０＞
熱交換器をさらに備え、液体乾燥剤が、前記リジェネレータと前記コンディショナの間で、前記熱交換器を通じて交換される、付記１３１に記載の乾燥剤空調システム。
＜付記１４１＞
前記環境から空調システム構成部品を保護するための外部エンクロージャと、
前記１つまたは複数の太陽電池によって発電される直流電気を交流電気に反転させるための、前記１つまたは複数の太陽電池に結合されたソーラーインバータであって、前記ソーラーインバータが、前記空調システムの前記外部エンクロージャ内に位置決めされる、ソーラーインバータと、
をさらに備える、付記１３１に記載の乾燥剤空調システム。
＜付記１４２＞
前記ＰＶＴモジュールが、前記１つまたは複数の太陽電池の真下に、前記ＰＶＴモジュールによって加熱される熱伝達流体を保管し、前記ＰＶＴモジュールにとってのバラストとして機能するための貯水タンクを備える、付記１３１に記載の乾燥剤空調システム。
＜付記１４３＞
前記ＰＶＴモジュールが、熱伝達流体を加熱するための熱ユニット、および熱伝達流体を保管するための保管タンクを備え、前記熱ユニットおよび前記保管タンクが前記保管タンク上で切り離し自在に取り付けられ、前記保管タンクが、前記ＰＶＴモジュールが分解された状態にあるときに前記１つまたは複数の太陽電池および前記熱ニットを保管するように構成される、付記１３１に記載の乾燥剤空調システム。
＜付記１４４＞
前記保管タンク上に、前記１つまたは複数の太陽電池および前記熱ユニットを取り付けるための取り外し可能な支持物をさらに備える、付記１３１に記載の乾燥剤空調システム。
＜付記１４５＞
前記建物空間に進入する空気を予熱し、前記乾燥剤空調システムを操作する際に使用される電力を発電するためのＰＶＴモジュールをさらに備える、付記１３１に記載の乾燥剤空調システム。
＜付記１４６＞
前記寒気運転モードで前記コンディショナによって処理される前記気流を加湿するための加湿器、および前記加湿器に提供される水を予熱し、前記乾燥剤空調システムで使用される電力を発電するＰＶＴモジュールをさらに備える、付記１３１に記載の乾燥剤空調システム。
＜付記１４７＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記１３１に記載の乾燥剤空調システム。
＜付記１４８＞
建物空間に進入する気流を処理するための方法であって、
液体乾燥剤を活用して、暖気運転モードで前記気流を除湿し、寒気運転モードで前記気流を加湿することによって前記気流を調整することと、
前記暖気運転モードで前記液体乾燥剤に水を脱着させ、前記寒気運転モードで前記液体乾燥剤に水を吸収させることによって、前記気流を調整する際に使用される前記液体乾燥剤を再生することと、
太陽光―熱（ＰＶＴ）モジュールを活用し、前記暖気運転モードで再生される前記液体吸収剤を加熱し、前記寒気運転モードで前記気流を調整するために使用される前記液体乾燥剤を加熱することと、
前記ＰＶＴモジュールを活用し、前記乾燥剤空調システムを操作する際に使用される電力を発電することと、
を含む方法。
＜付記１４９＞
実質的に水平方向で流れるように調整される一方、前記気流を押し進めること、および前記液体乾燥剤を再生するために実質的に水平方向で流れる、前記建物空間からの還気流を利用することをさらに含む、付記１４８に記載の方法。
＜付記１５０＞
実質的に垂直方向で流れるように調整される一方、前記気流を押し進めること、および前記液体乾燥剤を再生するために実質的に垂直方向で流れる、前記建物空間からの還気流を利用することをさらに含む、付記１４８に記載の方法。
＜付記１５１＞
前記暖気運転モードで前記気流を調整する際に使用される前記液体乾燥剤を冷却することをさらに含み、前記寒気運転モードで再生される前記液体乾燥剤を冷却することをさらに含む、付記１４８に記載の方法。
＜付記１５２＞
前記気流を調整するために使用される前記液体乾燥剤と、再生される前記液体乾燥剤との間で熱を伝達することをさらに含む、付記１４８に記載の方法。
＜付記１５３＞
ＰＶＴモジュールを使用して前記建物空間に進入する空気を予熱することをさらに含む、付記１４８に記載の方法。
＜付記１５４＞
前記加湿器に提供される水を予熱するためのＰＶＴモジュールを使用して、前記寒気運転モードで前記コンディショナによって処理される前記気流を加湿することをさらに含む、付記１４８に記載の方法。
＜付記１５５＞
タンク内に前記液体乾燥剤を置くことと、
前記液体乾燥剤が、前記タンクの前記高さに沿って濃度が変化するように、前記液体乾燥剤が沈殿できるようにすることと、
所与の濃度を有する液体乾燥剤を入手するために、前記タンクの所与の選択された高さで、前記タンクから、前記気流を調整する際に使用される液体乾燥剤を引き出すことと、
をさらに含む、付記１４８に記載の方法。
＜付記１５６＞
建物空間に進入する気流を処理するための乾燥剤空調システムであって、
実質的に垂直向きで配置される複数の構造体を含むコンディショナであって、各構造体は、液体乾燥剤が横切って流れることができる少なくとも１つの表面を有し、前記気流は、前記液体乾燥剤が暖気運転モードで前記気流を除湿し、寒気運転モードで前記気流を加湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
前記コンディショナに接続された、前記コンディショナ内の前記乾燥剤コレクタから液体乾燥剤を受け取るためのリジェネレータであって、前記リジェネレータは、前記液体乾燥剤に暖気運転モードで水を脱着させ、寒気運転モードで水を吸収させる、リジェネレータと、
前記コンディショナを通って前記気流を移動するための装置と、
前記コンディショナおよび前記リジェネレータを通して前記液体乾燥剤を循環させるための装置と、
を備える乾燥剤空調システム。
＜付記１５７＞
前記暖気運転モードで前記コンディショナで使用される前記液体乾燥剤を冷却するための低熱源、および前記寒気運転モードで前記液体乾燥剤を加熱するための熱源をさらに備える、付記１５６に記載の乾燥剤空調システム。
＜付記１５８＞
前記複数の構造体のそれぞれが、熱伝達流体が通って流れることができる通路を含み、前記暖気運転モードで前記熱伝達流体を冷却するための低熱源、および前記寒気運転モードで前記熱伝達流体を加熱するための熱源をさらに備える、付記１５６に記載の乾燥剤空調システム。
＜付記１５９＞
前記液体乾燥剤および前記熱伝達流体が、前記コンディショナ内で一般に反対方向で流れる、付記１５８に記載の乾燥剤空調システム。
＜付記１６０＞
前記構造体が、前記温度勾配に一般的に平行である方向で自由に膨張または収縮し、前記構造体に対する熱誘導応力を緩和できるように、前記複数の構造体が、前記コンディショナ内で確保される、付記１５６に記載の乾燥剤空調システム。
＜付記１６１＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記１５６に記載の乾燥剤空調システム。
＜付記１６２＞
前記液体乾燥剤の前記表面張力および材料の前記シートの特性が、前記液体乾燥剤の乾燥剤コレクタへの移送を容易にする、付記１６１に記載の乾燥剤空調システム。
＜付記１６３＞
各構造体で、材料の前記シートの下縁が、液体乾燥剤の圧力上昇を削減するために、前記構造体の下位部に固定して接続されていない、付記１６１に記載の乾燥剤空調システム。
＜付記１６４＞
材料の前記シートが、膜または親水性材料を備える、付記１６１に記載の乾燥剤空調システム。
＜付記１６５＞
材料の前記シートが、疎水性微細孔膜を備える、付記１６１に記載の乾燥剤空調システム。
＜付記１６６＞
材料の前記シートが、疎水性材料の層および親水性材料の層を、前記疎水性材料と前記構造体の前記少なくとも１つの表面との間に備える、付記１６１に記載のシステム。
＜付記１６７＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記１６１に記載の乾燥剤空調システム。
＜付記１６８＞
各構造体が、熱伝達流体が、前記熱伝達流体と前記液体乾燥剤または前記気流との間で熱の伝達のために流れることができる内部通路を含む、付記１６７に記載の乾燥剤空調システム。
＜付記１６９＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記１６１に記載の乾燥剤空調システム。
＜付記１７０＞
前記複数の構造体が、実質的に垂直向きで配置され、離間される複数のプレートアセンブリを備え、隣接するプレートアセンブリ間での前記気流の流れを可能にする、付記１５６に記載の乾燥剤空調システム。
＜付記１７１＞
各プレートアセンブリが、入り組んだプレートを含む、付記１７０に記載の乾燥剤空調システム。
＜付記１７２＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記１５６に記載の乾燥剤空調システム。
＜付記１７３＞
前記寒気運転モードで前記コンディショナによって処理される前記気流を加湿するための加湿器をさらに備え、前記加湿器で使用される水を加熱し、前記乾燥剤空調システムを操作する際に使用される電力を発電するための太陽光―熱（ＰＶＴ）モジュールをさらに備える、付記１５６に記載の乾燥剤空調システム。
＜付記１７４＞
前記寒気運転モードで前記建物空間に供給される前記気流を予熱し、前記乾燥剤空調システムを操作する際に使用される電力を発電するための太陽光―熱（ＰＶＴ）モジュールをさらに備える、付記１５６に記載の乾燥剤空調システム。
＜付記１７５＞
前記コンディショナ内の前記構造体を通って、または前記構造体の間を流れる前記気流で乱流を引き起こすための装置をさらに備える、付記１５６に記載の乾燥剤空調システム。
＜付記１７６＞
各構造体が、熱伝導性プラスチック材料を備える、付記１５６に記載の乾燥剤空調システム。
＜付記１７７＞
前記コンディショナが、前記寒気運転モードで前記構造体によって処理される前記気流を加熱する、または前記暖気運転モードで前記構造体によって処理される前記気流を冷却するための事後処理装置をさらに備える、付記１５６に記載の乾燥剤空調システム。
＜付記１７８＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記１５６に記載の乾燥剤空調システム。
＜付記１７９＞
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記暖気運転モードで前記液体乾燥剤に水を脱着させ、前記寒気運転モードで前記液体吸収剤に水を吸収させ、各構造体が、前記構造体の下端に、前記構造体の前記少なくとも１つの表面を横切って流れた液体乾燥剤を収集するための乾燥剤コレクタをさらに含む、付記１５６に記載の乾燥剤空調システム。
＜付記１８０＞
前記暖気運転モードで前記液体乾燥剤を加熱するための熱源をさらに備える、付記１７９に記載の乾燥剤空調システム。
＜付記１８１＞
前記リジェネレータ内の前記複数の構造体のそれぞれが、熱伝達流体が通って流れることができる通路を含み、前記暖気モードで前記熱伝達流体を加熱するための熱源をさらに備える、付記１７９に記載の乾燥剤空調システム。
＜付記１８２＞
前記液体乾燥剤および前記熱伝達流体が、前記リジェネレータ内で一般に反対方向で流れる、付記１８１に記載の乾燥剤空調システム。
＜付記１８３＞
前記構造体が、前記温度勾配に一般的に平行である方向で自由に膨張または収縮し、前記構造体に対する熱誘導応力を緩和できるように、前記複数の構造体が、前記コンディショナ内で確保される、付記１７９に記載の乾燥剤空調システム。
＜付記１８４＞
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記１７９に記載の乾燥剤空調システム。
＜付記１８５＞
前記液体乾燥剤の前記表面張力および材料の前記シートの特性が、前記液体乾燥剤の乾燥剤コレクタへの移送を容易にする、付記１８４に記載の乾燥剤空調システム。
＜付記１８６＞
各構造体で、材料の前記シートの下縁が、液体乾燥剤の圧力上昇を削減するために、前記構造体の下位部に固定して接続されていない、付記１８４に記載の乾燥剤空調システム。
＜付記１８７＞
材料の前記シートが、膜または親水性材料を備える、付記１８４に記載の乾燥剤空調システム。
＜付記１８８＞
材料の前記シートが、疎水性微細孔膜を備える、付記１８４に記載の乾燥剤空調システム。
＜付記１８９＞
材料の前記シートが、疎水性材料の層および親水性材料の層を、前記疎水性材料と前記構造体の前記少なくとも１つの表面との間に備える、付記１８４に記載のシステム。
＜付記１９０＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備える、付記１８４に記載の乾燥剤空調システム。
＜付記１９１＞
各構造体が、熱伝達流体が、前記熱伝達流体と前記液体乾燥剤または前記気流との間で熱の伝達のために流れることができる内部通路を含む、付記１９０に記載の乾燥剤空調システム。
＜付記１９２＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記１８４に記載の乾燥剤空調システム。
＜付記１９３＞
前記リジェネレータ内の前記複数の構造体が、実質的に垂直向きで配置され、離間される複数のプレートアセンブリを備え、隣接するプレートアセンブリ間での前記気流の流れを可能にする、付記１７９に記載の乾燥剤空調システム。
＜付記１９４＞
各プレートアセンブリが、入り組んだプレートを含む、付記１９３に記載の乾燥剤空調システム。
＜付記１９５＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記１７９に記載の乾燥剤空調システム。
＜付記１９６＞
前記リジェネレータが、前記寒気運転モードで前記構造体によって処理される前記気流を加熱する、または前記暖気運転モードで前記構造体に進入する前記気流を冷却する、または暖気運転モードで前記構造体によって処理される前記気流を加熱するための前処理コイルをさらに備える、付記１７９に記載の乾燥剤空調システム。
＜付記１９７＞
前記コンディショナ内の前記構造体を出る前記熱伝達流体と、前記リジェネレータ内の前記構造体を出る前記熱伝達流体との間で熱を移送するためにヒートポンプをさらに備える、付記１７９に記載の乾燥剤空調システム。
＜付記１９８＞
前記コンディショナ内の前記構造体を出る前記液体乾燥剤と、前記リジェネレータ内の前記構造体を出る前記液体乾燥剤との間で熱を移送するためにヒートポンプをさらに備える、付記１７９に記載の乾燥剤空調システム。
＜付記１９９＞
前記コンディショナまたは前記リジェネレータ内の前記複数の構造体が、構造体の複数のセットを備え、構造体の前記セットが垂直に積み重ねられ、前記気流をさらに処理する、または水平に積み重ねられ、前記乾燥剤空調システムの容量を増す、付記１７９に記載の乾燥剤空調システム。
＜付記２００＞
前記暖気運転モードで前記リジェネレータ内に導入される液体乾燥剤を加熱するため、および前記寒気運転モードで前記コンディショナ内に導入される液体乾燥剤を加熱するための、前記コンディショナおよび前記リジェネレータに接続された太陽光―熱（ＰＶＴ）モジュールをさらに備え、前記太陽光―熱（ＰＶＴ）モジュールが、前記乾燥剤空調システムを操作する際に使用される電力を発電するための１つまたは複数の太陽電池も含む、付記１５６に記載の乾燥剤空調システム。
＜付記２０１＞
前記建物空間に進入する前記気流が、前記コンディショナを通って一般に水平方向で流れ、前記建物空間からの還気流または外気が前記リジェネレータを通って一般に水平方向で流れる、付記１５６に記載の乾燥剤空調システム。
＜付記２０２＞
前記建物空間に進入する前記気流が、前記コンディショナを通って一般に垂直方向で流れ、前記建物空間からの還気流または外気が前記リジェネレータを通って一般に垂直方向で流れる、付記１５６に記載の乾燥剤空調システム。
＜付記２０３＞
前記リジェネレータおよび前記コンディショナが物理的に分離され、分割空調システムを形成する、付記１５６に記載の乾燥剤空調システム。
＜付記２０４＞
前記システムが車両内に設置可能である、付記１５６に記載の乾燥剤空調システム。
＜付記２０５＞
建物空間に進入する気流を処理するための乾燥剤空調システムであって、
（ａ）コンディショナであって、
（ｉ）実質的に垂直向きで配置され、そこを通る前記気流の通路のために構造体の間の、または構造体を通る流路を画定し、各構造体が、液体乾燥剤または水のどちらかが、前記気流が、前記流路のいくつかにあるときに前記液体乾燥剤に露呈されに、除湿され、他の流路にあるときに水に露呈され、加湿されるように横切って流れることができる少なくとも１つの外面を有し、各構造体が、その構造体の前記少なくとも１つの外面の下端に、前記構造体の前記少なくとも１つの表面を横切って流れた前記液体乾燥剤または前記水を収集するためのコレクタをさらに含む、複数の構造体と、
（ｉｉ）除湿された前記気流の一部を、それが水に露呈される流路に迂回させるための１つまたは複数のダイバータであって、流路で前記気流の一部が水の一部を吸収し、それによって冷却される、１つまたは複数のダイバータと、
を含むコンディショナと、
（ｂ）前記コンディショナに接続された、前記コンディショナ内の前記乾燥剤コレクタから液体乾燥剤を受け取るためのリジェネレータであって、前記リジェネレータは、前記液体乾燥剤に水を脱着させ、前記コンディショナに前記液体乾燥剤を戻す、リジェネレータと、
（ｃ）前記コンディショナを通して前記気流を移動するための装置と、
（ｄ）前記コンディショナと前記リジェネレータを通して前記液体乾燥剤を循環させるための装置と、
を備える乾燥剤空調システム。
＜付記２０６＞
前記複数の構造体のそれぞれが、熱伝達流体が通って流れることができる通路を含み、前記熱伝達流体を冷却するための低熱源をさらに備える、付記２０５に記載の乾燥剤空調システム。
＜付記２０７＞
前記構造体が、前記気流が、交互の流路内で液体乾燥剤および水に露呈されるように構成される、付記２０５に記載の乾燥剤空調システム。
＜付記２０８＞
前記空気ダイバータが、迂回される前記気流の前記量を選択的に制御できる、付記２０５に記載の乾燥剤空調システム。
＜付記２０９＞
前記構造体が互いに実質的に同一であり、各プレート構造体が、隣接するプレート構造体に対して反対の向きを有する、付記２０５に記載の乾燥剤空調システム。
＜付記２１０＞
前記構造体が、前記温度勾配に一般的に平行である方向で自由に膨張または収縮し、前記構造体に対する熱誘導応力を緩和できるように、前記複数の構造体が、前記コンディショナ内で確保される、付記２０５に記載の乾燥剤空調システム。
＜付記２１１＞
前記液体乾燥剤と前記気流との間で、または前記水と前記気流との間で、各構造体の前記外面に近位に位置決めされる材料のシートをさらに備え、材料の前記シートが、乾燥剤コレクタの中へ前記液体乾燥剤を誘導し、前記液体乾燥剤と前記気流との間で、または前記水と前記気流との間での水蒸気の移送を可能にする、付記２０５に記載の乾燥剤空調システム。
＜付記２１２＞
前記液体乾燥剤または水の前記表面張力および材料の前記シートの特性が、前記液体乾燥剤または水のコレクタへの移送を容易にする、付記２１１に記載の乾燥剤空調システム。
＜付記２１３＞
構造体ごとに、材料の前記シートの下縁が、液体乾燥剤または水の圧力上昇を削減するために、前記構造体の下位部に固定して接続されていない、付記２１１に記載の乾燥剤空調システム。
＜付記２１４＞
材料の前記シートが、膜または親水性材料を備える、付記２１１に記載の乾燥剤空調システム。
＜付記２１５＞
材料の前記シートが、疎水性微細孔膜を備える、付記２１１に記載の乾燥剤空調システム。  
＜付記２１６＞
材料の前記シートが、疎水性材料の層および親水性材料の層を、前記疎水性材料と前記構造体の前記少なくとも１つの表面との間に備える、付記２１１に記載のシステム。
＜付記２１７＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記２１１に記載の乾燥剤空調システム。
＜付記２１８＞
各構造体の材料の前記シートに１つまたは複数の通気孔をさらに備え、液体乾燥剤または水が、材料の前記シートと前記構造体との間で自由に流れ、真空封止を抑制できるようにする、付記２０５に記載の乾燥剤空調システム。
＜付記２１９＞
前記複数の構造体が、実質的に垂直向きで配置され、離間される複数のプレートアセンブリを備え、隣接するプレートアセンブリ間での前記気流の流れを可能にする、付記２０５に記載の乾燥剤空調システム。
＜付記２２０＞
各プレートアセンブリが、入り組んだプレートを含む、付記２１９に記載の乾燥剤空調システム。
＜付記２２１＞
前記複数の構造体が、実質的に垂直向きで配置される複数の管状部材を備え、管状部
材の内の少なくともいくつかが、前記液体乾燥剤が流れることができる環状通路、および前記気流が流れることができる、前記環状通路によって取り囲まれる中心通路を含む、付記２０５に記載の乾燥剤空調システム。
＜付記２２２＞
前記コンディショナ内の前記構造体を通って、または前記構造体の間を流れる前記気流で乱流を引き起こすための装置をさらに備える、付記２０５に記載の乾燥剤空調システム。
＜付記２２３＞
それぞれの入り組んだプレート構造体が、熱伝導性プラスチック材料を備える、付記２０５に記載の乾燥剤空調システム。
＜付記２２４＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記２０５に記載の乾燥剤空調システム。
＜付記２２５＞
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記液体乾燥剤に水を脱着させ、各構造体が、前記構造体の下端に、前記構造体の前記少なくとも１つの表面を横切って流れた液体乾燥剤を収集するための乾燥剤コレクタをさらに含む、付記２０５に記載の乾燥剤空調システム。
＜付記２２６＞
前記液体乾燥剤を加熱するための熱源をさらに備える、付記２２５に記載の乾燥剤空調システム。
＜付記２２７＞
前記リジェネレータ内の前記複数の構造体のそれぞれが、熱伝達流体が通って流れることができる通路を含み、前記熱伝達流体を加熱するための熱源をさらに備える、付記２２５に記載の乾燥剤空調システム。
＜付記２２８＞
前記液体乾燥剤および前記熱伝達流体が、前記リジェネレータ内で一般に反対方向で流れる、付記２２７に記載の乾燥剤空調システム。
＜付記２２９＞
前記構造体が、前記温度勾配に一般的に平行である方向で自由に膨張または収縮し、前記構造体に対する熱誘導応力を緩和できるように、前記複数の構造体が、前記コンディショナ内で確保される、付記２２５に記載の乾燥剤空調システム。
＜付記２３０＞
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記２２５に記載の乾燥剤空調システム。
＜付記２３１＞
前記液体乾燥剤の前記表面張力および材料の前記シートの特性が、前記液体乾燥剤の乾燥剤コレクタへの移送を容易にする、付記２３０に記載の乾燥剤空調システム。
＜付記２３２＞
各構造体で、材料の前記シートの下縁が、液体乾燥剤の圧力上昇を削減するために、前記構造体の下位部に固定して接続されていない、付記２３０に記載の乾燥剤空調システム。
＜付記２３３＞
材料の前記シートが、膜または親水性材料を備える、付記２３０に記載の乾燥剤空調システム。
＜付記２３４＞
材料の前記シートが、疎水性微細孔膜を備える、付記２３０に記載の乾燥剤空調システム。
＜付記２３５＞
材料の前記シートが、疎水性材料の層および親水性材料の層を、前記疎水性材料と前記構造体の前記少なくとも１つの表面との間に備える、付記２３０に記載のシステム。
＜付記２３６＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備える、付記２３０に記載の乾燥剤空調システム。
＜付記２３７＞
各構造体が、熱伝達流体が、前記熱伝達流体と前記液体乾燥剤または前記気流との間で熱の伝達のために流れることができる内部通路を含む、付記２３６に記載の乾燥剤空調システム。
＜付記２３８＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記２３０に記載の乾燥剤空調システム。
＜付記２３９＞
前記リジェネレータ内の前記複数の構造体が、実質的に垂直向きで配置され、離間される複数のプレートアセンブリを備え、隣接するプレートアセンブリ間での前記気流の流れを可能にする、付記２２５に記載の乾燥剤空調システム。
＜付記２４０＞
各プレートアセンブリが、入り組んだプレートを含む、付記２２５に記載の乾燥剤空調システム。
＜付記２４１＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記２２５に記載の乾燥剤空調システム。
＜付記２４２＞
前記複数の構造体が、構造体の複数のセットを備え、構造体の前記セットが垂直に積み重ねられ、前記気流をさらに処理する、または水平に積み重ねられ、前記乾燥剤空調システムの容量を増す、付記２２５に記載の乾燥剤空調システム。
＜付記２４３＞
前記暖気運転モードで前記リジェネレータ内に導入される液体乾燥剤を加熱するため、および前記寒気運転モードで前記ジェネレータ内に導入される液体乾燥剤を加熱するための、前記コンディショナおよび前記リジェネレータに接続された太陽光―熱（ＰＶＴ）モジュールをさらに備え、前記太陽光―熱（ＰＶＴ）モジュールが、前記乾燥剤空調システムを操作する際に使用される電力を発電するための１つまたは複数の太陽電池も含む、付記２０５に記載の乾燥剤空調システム。
＜付記２４４＞
前記建物空間に進入する前記気流が、前記コンディショナを通って一般に水平方向で流れ、前記建物空間からの還気流または外気が前記リジェネレータを通って一般に水平方向で流れる、付記２０５に記載の乾燥剤空調システム。
＜付記２４５＞
前記建物空間に進入する前記気流が、前記コンディショナを通って一般に垂直方向で流れ、前記建物空間からの還気流または外気が前記リジェネレータを通って一般に垂直方向で流れる、付記２０５に記載の乾燥剤空調システム。
＜付記２４６＞
前記リジェネレータおよび前記コンディショナが物理的に分離され、分割空調システムを形成する、付記２０５に記載の乾燥剤空調システム。
＜付記２４７＞
システムが車両に設置可能である、付記２０５に記載の乾燥剤空調システム。
＜付記２４８＞
第１の流体と第２の流体との間で熱を移送するための熱交換器であって、
隣接するプレートの間にチャンネルを画定する実質上平行なプレートのスタックであって、前記第１の流体および前記第２の流体が、前記スタックの交互のチャンネルを通って別々に流れ、前記複数の実質上平行なプレートが、滅伝導性プラスチックを備える、プレートのスタックと、
前記第１の流体が通って流れる前記チャンネルと流体連通する第１の流体入口ポートおよび第１の流体出口ポートと、
前記第２の流体が通って流れる前記チャンネルと流体連通する第２の流体入口ポートおよび第２の流体出口ポートと、
を備える熱交換器。
＜付記２４９＞
前記熱交換器が逆流熱交換器であって、前記第１の流体および前記第２の流体が前記チャンネルを通って一般に反対方向に流れる、付記２４８に記載の熱交換器。
＜付記２５０＞
前記チャンネルのそれぞれが、入り組んだ流路を画定するためにその中に障害物を含む、付記４８に記載の熱交換器。
＜付記２５１＞
複数のシールをさらに備え、１対の隣接プレートの間のそれぞれが、前記第１の流体および前記第２の流体用に別々のチャンネルを維持し、前記第１の流体および前記第２の流体の流れを概して横断方向に向ける、付記２４８に記載の熱交換器。
＜付記２５２＞
前記複数のシールが、前記プレートに接着される接着剤材料を備える、付記２５１に記載の熱交換器。
＜付記２５３＞
前記積み重ねられたプレートのそれぞれが、その表面上に、前記表面を横切って前記第１の流体または前記第２の流体の前記流れの中で乱流を引き起こすための隆起を含む、付記２４８に記載の熱交換器。
＜付記２５４＞
前記隆起が、前記積み重ねられたプレート内に一体形成される、付記２５３に記載の熱交換器。
＜付記２５５＞
前記隆起が、前記積み重ねられたプレートの前記表面に接着される接着剤材料のパターンを備える、付記２５３に記載の熱交換器。
＜付記２５６＞
前記第１の流体および前記第２の流体の少なくとも１つが液体乾燥剤である、付記２４８に記載の熱交換器。
＜付記２５７＞
1  前記第１の流体および前記第２の流体の少なくとも１つが熱伝達流体である、付記２４８に記載の熱交換器。
＜付記２５８＞
第１の流体および第２の流体の間で熱を移送するための熱交換器を構築する方法であって、
（ａ）それぞれが熱伝導性プラスチックを備える、複数のプレートを提供するステップと、
（ｂ）前記プレートのそれぞれに接着剤材料のパターンを接着するステップと、
（ｃ）隣接するプレートの間に、前記第１の流体および前記第２の流体が別々に通って流れることができるチャンネルが形成されるように前記プレートを積み重ねるステップであって、前記接着剤材料が、隣接するプレート間にシールを形成し、前記第１の流体および前記第２の流体の前記流のために別々の交互のチャンネルを維持し、一般に横断方向に前記第１の流体および前記第２の流体の流れを向ける、積み重ねるステップと、
を含む方法。
＜付記２５９＞
前記接着剤材料が、前記プレートの表面上に、前記表面を横切る前記第１の流体または前記第２の流体の前記流の中で乱流を引き起こすための隆起を形成する、付記２５８に記載の方法。
＜付記２６０＞
１枚のプレートの表面上の前記隆起が、隣接するプレートの表面上の隆起によって支えられる、付記２５９に記載の方法。
＜付記２６１＞
前記接着剤材料が、シーラントラインを形成し、前記熱交換器内に前記第１の流体および前記第２の流体を収容する、付記２５８に記載の方法。
＜付記２６２＞
（ｂ）が、各プレートの両側に接着剤材料のパターンを接着することを含む、付記２５８に記載の方法。
＜付記２６３＞
（ｂ）が、各プレートに接着剤材料のパターンを適用すること、および接着剤材料のパターンが硬化できるようにすることを含む、付記２５８に記載の方法。
＜付記２６４＞
ソーラー空調システムであって、
建物空間に進入する気流を処理するための空調装置であって、前記空調装置が、空調ユニット構成部品を前記環境から保護するための外部エンクロージャを含む、空調装置と、
太陽エネルギーを直流電気に変換するための１つまたは複数の太陽光電池モジュールと、
前記１つまたは複数の太陽光電池モジュールによって発電される直流電気を、前記空調装置に動力を提供するための交流電気に反転させるための、前記１つまたは複数の太陽光電池モジュールに結合されたソーラーインバータであって、前記ソーラーインバータが、前記空調システムの前記外部エンクロージャ内に位置決めされる、ソーラーインバータと、
を備えるソーラー空調システム。
＜付記２６５＞
前記１つまたは複数の太陽光電池モジュールが、太陽光―熱（ＰＶＴ）モジュールの一部である、付記２６４に記載のソーラー空調システム。
＜付記２６６＞
前記ＰＶＴモジュールが、前記１つまたは複数の太陽光電池モジュールの真下に、前記ＰＶＴモジュールによって加熱される水を保管し、前記ＰＶＴモジュールにとってのバラストとして機能するための貯水タンクをさらに備える、付記２６５に記載のソーラー空調システム。
＜付記２６７＞
前記空調装置が乾燥剤空調システムを備え、前記空調構成部品が、乾燥剤コンディショナおよび乾燥剤リジェネレータを含む、付記２６４に記載のソーラー空調システム。
＜付記２６８＞
前記１つまたは複数の太陽光電池モジュールが、太陽光―熱（ＰＶＴ）モジュールの一部であり、前記ＰＶＴモジュールが、暖気運転モードで前記リジェネレータで導入される液体乾燥剤を加熱し、寒気運転モードで前記コンディショナで導入される液体乾燥剤を加熱するための、付記２６７に記載のソーラー空調システム。
＜付記２６９＞
コンディショナおよびリジェネレータを含む乾燥剤空調システムを操作する方法であって、前記乾燥剤空調システムが、太陽熱システムによって加熱または冷却される熱伝達流体によって駆動され、前記太陽熱システムが、前記熱伝達流体を保管するための複数のタンクを含み、前記方法が、暖気運転モードで、
（ａ）日中、（ｉ）常温の熱伝達流体を収容する前記タンクの内の１つまたは複数から、液体乾燥剤を冷却するために使用される前記乾燥剤空調システムの前記コンディショナに、常温の熱伝達流体を写し、（ｉｉ）前記太陽熱暖房システムを使用して熱伝達流体を加熱し、前記結果として生じる加熱された熱伝達流体を、液体乾燥剤を加熱するために使用される前記乾燥剤空調システムの前記リジェネレータに移送し、（ｉｉｉ）夜間に、前記リジェネレータ内で使用される前記加熱された熱伝達流体で前記タンクを充填するステップと、
（ｂ）夜間に、（ｉ）加熱された熱伝達流体を収容する前記タンクの１つまたは複数から、前記液体乾燥剤を加熱するために使用される前記乾燥剤空調システムの前記リジェネレータに加熱された熱伝達流体を移送し、（ｉｉ）前記太陽熱暖房システムを使用して前記熱伝達流体から熱を放射し、前記結果として生じる冷却された熱伝達流体を、前記液体乾燥剤を冷却するために使用される前記乾燥剤空調システムの前記コンディショナに移送し、（ｉｉｉ）日中、前記コンディショナで使用される前記冷却された熱伝達流体で前記タンクを充填するステップと、
（ｃ）ステップ（ａ）およびステップ（ｂ）を定期的に繰り返すステップと、
を含む方法。
＜付記２７０＞
前記太陽熱システムが、太陽光―熱（ＰＶＴ）モジュールの一部であり、前記方法が、前記ＰＶＴモジュールを使用して前記乾燥剤空調システムを操作するために使用される電気を発電することをさらに含む、付記２６９に記載の方法。
＜付記２７１＞
寒気運転モードで、
（ｄ）日中に、（ｉ）加熱された熱伝達流体を収容する前記タンクの１つまたは複数から、前記液体乾燥剤を加熱するために使用される前記乾燥剤空調システムの前記コンディショナに加熱された熱伝達流体を移送し、（ｉｉ）前記太陽熱暖房システムを使用して熱伝達流体を加熱し、前記結果として生じる加熱された熱伝達流体を、液体乾燥剤を加熱するために使用される前記乾燥剤空調システムの前記コンディショナに移送し、（ｉｉｉ）夜間に、前記コンディショナで使用される前記加熱された熱伝達流体で前記タンクを充填するステップと、
（ｅ）夜間に、（ｉ）加熱された熱伝達流体を収容する前記タンクの１つまたは複数から、前記液体乾燥剤を加熱するために使用される前記乾燥剤空調システムの前記コンディショナに、加熱された熱伝達流体を移送するステップと、
（ｆ）ステップ（ｄ）およびステップ（ｅ）を敵的に繰り返すステップと、
をさらに含む、付記２６９に記載の方法。
＜付記２７２＞
前記熱伝達流体が、前記太陽熱暖房システムを使用して約１５０°Ｆの温度まで加熱される、付記２６９に記載の方法。
＜付記２７３＞
前記熱伝達流体が、ほぼ前記周囲空気温度まで夜間に冷却される、付記２６９に記載の方法。
＜付記２７４＞
建物空間に進入する気流を処理するための乾燥剤空調システムであって、
暖気動作モードで前記気流を除湿するため、および寒気運転モードで前記気流を加湿するための液体乾燥剤を活用するコンディショナと、
前記コンディショナに接続された、前記コンディショナから前記液体乾燥剤を受け取るためのリジェネレータであって、前記リジェネレータは、前記液体乾燥剤に、暖気運転モードで水を脱着させ、寒気運転モードで水を吸収させる、リジェネレータと、
熱伝達流体を加熱または冷却するための態様熱システムと、
前記熱伝達流体を補完するための１つまたは複数のタンクと、
前記コンディショナを通って前記気流を移動するための装置と、
前記コンディショナおよび前記リジェネレータを通して前記液体乾燥剤を循環させるための装置と、
前記コンディショナ、前記リジェネレータ、前記太陽熱システム、および前記１つまたは複数のタンクの間で前記熱伝達流体を循環させるための装置と、
を備え、
前記乾燥剤空調システムが、
（ａ）日中に、（ｉ）常温の熱伝達流体を収容する前記タンクの１つまたは複数から、前記液体乾燥剤を冷却するために使用される前記乾燥剤空調システムの前記コンディショナに常温の熱伝達流体を移送し、（ｉｉ）前記太陽熱暖房システムを使用して前記熱伝達流体を加熱し、前記結果として生じる加熱された熱伝達流体を、液体乾燥剤を加熱するために使用される前記乾燥剤空調システムの前記リジェネレータに移送し、（ｉｉｉ）夜間に、前記リジェネレータで使用される前記加熱された熱伝達流体で前記タンクを充填し、
（ｂ）夜間に、（ｉ）加熱された熱伝達流体を収容する前記タンクの１つまたは複数から、前記液体乾燥剤を加熱するために使用される前記乾燥剤空調システムの前記リジェネレータに加熱された熱伝達流体を移送し、（ｉｉ）前記太陽熱暖房システムを使用して前記熱伝達流体から熱を放射し、前記結果として生じる冷却された熱伝達流体を、前記液体乾燥剤を冷却するために使用される前記乾燥剤空調システムの前記コンディショナに移送し、（ｉｉｉ）日中、前記コンディショナで使用される前記冷却された熱伝達流体で前記タンクを充填し、
（ｃ）ステップ（ａ）およびステップ（ｂ）を定期的に繰り返す、
ように構成される、乾燥剤空調システム。
＜付記２７５＞
前記太陽熱システムが、前記乾燥剤空調システムを操作するために使用される電気を発電する１つまたは複数の太陽光―熱（ＰＶＴ）モジュールの一部である、付記２７４に記載の乾燥剤空調システム。
＜付記２７６＞
前記システムが、寒気運転モードで、
（ｄ）日中に、（ｉ）加熱された熱伝達流体を収容する前記タンクの１つまたは複数から、液体乾燥剤を加熱するために使用される前記乾燥剤空調システムの前記コンディショナに加熱された熱伝達流体を移送し、（ｉｉ）前記太陽熱暖房システムを使用して前記熱伝達流体を加熱し、前記結果として生じる加熱された熱伝達流体を、液体乾燥剤を加熱するために使用される前記乾燥剤空調システムの前記コンディショナに移送し、（ｉｉｉ）夜間に、前記コンディショナで使用される前記加熱された熱伝達流体で前記タンクを充填し、
（ｅ）夜間に、（ｉ）加熱された熱伝達流体を収容する前記タンクの１つまたは複数から、前記液体乾燥剤を加熱するために使用される前記乾燥剤空調システムの前記コンディショナに、加熱された熱伝達流体を移送し、
（ｆ）（ｄ）および（ｅ）を定期的に繰り返す、
ように構成される、付記２７４に記載の乾燥剤空調システム。
＜付記２７７＞
前記熱伝達流体が、前記太陽熱暖房システムを使用して約１５０°Ｆの温度まで加熱される、付記２７４に記載の乾燥剤空調システム。
＜付記２７８＞
前記熱伝達流体が、ほぼ前記周囲空気温度まで夜間に冷却される、付記２７４に記載の乾燥剤空調システム。
＜付記２７９＞
太陽光―熱（ＰＶＴ）モジュールであって、
光起電力材料の層を含む太陽光電池モジュールであって、光起電力材料の前記層が、入射放射線に露呈される前側および反対の裏側を有する、太陽光電池モジュールと、
光起電力材料の前記層の前記裏側に熱的に結合される熱ユニットであって、前記熱ユニットが、液体が通って流れる１つまたは複数のチャネルを含み、前記入射放射線の一部が、光起電力材料の前記層によって電気に変換され、前記入射放射線の一部が前記液体の前記温度を上昇させるための熱に同時に変換される、熱ユニットと、
前記熱ユニットによって加熱される液体を保管するための、前記熱ユニットの真下の保管タンクであって、前記保管タンクが、設置された位置で前記ＰＶＴモジュールを安定化するためのバラストとして機能する、保管タンクと、
を備える太陽光―熱（ＰＶＴ）モジュール。
＜付記２８０＞
前記保管タンクが、実質的に平坦な構造を有する、付記２７９に記載の太陽光―熱（ＰＶＴ）モジュール。
＜付記２８１＞
前記液体の温度に応じて、前記太陽光―熱モジュールの中からの、または前記保管タンクへの、前記熱ユニットによって加熱される前記液体の前記流れを制御するための温度調節弁アセンブリをさらに備える、付記２７９に記載の太陽光―熱モジュール。
＜付記２８２＞
前記温度調節弁動作がプログラム可能である、付記２８１に記載の太陽光―熱モジュール。
＜付記２８３＞
前記太陽光電池モジュールおよび前記熱ユニットが、前記保管タンク上で切り離し自在に取り付けられ、前記保管タンクが、前記太陽光―熱モジュールが分解された状態にあるときに、前記太陽光電池モジュールおよび前記熱ユニットを保管するように構成される、付記２７９に記載の太陽光―熱モジュール。
＜付記２８４＞
前記保管タンクが、前記太陽光電池モジュールおよび前記熱ユニットを挿入する、または除去するために開くことができる蓋を含む、付記２８３に記載の太陽光―熱モジュール。
＜付記２８５＞
前記保管タンク上に、前記太陽光電池モジュールおよび前記熱ユニットを取り付けるための取り外し可能な支持物をさらに備える、付記２８３に記載の太陽光―熱モジュール。
＜付記２８６＞
太陽光―熱（ＰＶＴ）モジュールであって、
光起電力材料の層を含む太陽光電池モジュールであって、光起電力材料の前記層が、入射放射線に露呈される前側および反対の裏側を有する、太陽光電池モジュールと、
光起電力材料の前記層の前記裏側に熱的に結合される熱ユニットであって、前記熱ユニットが、液体が通って流れる１つまたは複数のチャネルを含み、前記入射放射線の一部が、光起電力材料の前記層によって電気に変換され、前記入射放射線の一部が前記液体の前記温度を上昇させるための熱に同時に変換される、熱ユニットと、
前記熱ユニットによって加熱される液体を保管するための、前記熱ユニットの真下の保管タンクであって、前記太陽光電池モジュールおよび前記熱ユニットが、前記保管タンク上で切り離し自在に取り付けられ、前記保管タンクが、前記太陽光―熱モジュールが分解された状態にあるときに前記太陽光電池モジュールおよび前記熱ユニットを保管するように構成される、保管タンクと、
を備える太陽光―熱（ＰＶＴ）モジュール。
＜付記２８７＞
前記保管タンクが実質的に平坦な構成を有する、付記２８６に記載の太陽光―熱モジュール。
＜付記２８８＞
前記液体の温度に応じて、前記太陽光―熱モジュールの中からの、または前記保管タンクへの、前記熱ユニットによって加熱される前記液体の前記流れを制御するための温度調節弁アセンブリをさらに備える、付記２８６に記載の太陽光―熱モジュール。
＜付記２８９＞
前記温度調節弁動作がプログラム可能である、付記２８８に記載の太陽光―熱モジュール。
＜付記２９０＞
前記保管タンクが、設置位置で前記ＰＶＴモジュールを安定化するためのバラストとして機能する、付記２８６に記載の太陽光―熱モジュール。
＜付記２９１＞
前記保管タンクが、前記太陽光電池モジュールおよび前記熱ユニットを挿入する、または除去するために開くことができる蓋を含む、付記２８６に記載の太陽光―熱モジュール。
＜付記２９２＞
前記保管タンク上に、前記太陽光電池モジュールおよび前記熱ユニットを取り付けるための取り外し可能な支持物をさらに備える、付記２８６に記載の太陽光―熱モジュール。
＜付記２９３＞
太陽光―熱（ＰＶＴ）モジュールを分解し、収容する方法であって、前記ＰＶＴモジュールは、１つまたは複数の太陽電池の層を含む太陽光電池モジュールと、１つまたは複数の太陽電池の前記層の裏側に熱的に結合される熱ユニットと、前記熱ユニットによって加熱される液体を保管するための、前記熱ユニットの真下の保管タンクとを備え、
前記保管タンクから前記太陽光電池モジュールおよび前記熱ユニットを切り離すことと、
保管のために、前記保管タンク内部に前記太陽光電池モジュールおよび前記熱ユニットを設置することと、
を含む方法。
＜付記２９４＞
建物空間に進入する気流を処理するための乾燥剤空調システムであって、
実質的に垂直向きで配置される複数の構造体を含むコンディショナであって、各構造体は、前記液体乾燥剤が横切って流れることができる少なくとも１つの表面を有し、前記気流は、前記液体乾燥剤が暖気運転モードで前記気流を除湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
前記コンディショナに接続され、前記暖気運転モードで蒸発チラーとして機能するように構成される空気処理装置であって、前記蒸発チラーが、前記熱伝達流体を受け取り、冷却し、前記蒸発チラーが、前記コンディショナを出る前記除湿された空気流および前記コンディショナからの前記熱伝達流体の少なくとも一部を受け取り、前記蒸発チラーが、前記除湿された気流の前記部分に、水源から水を吸収させ、それによって前記熱伝達流体を冷却させるように構成される、空気処理装置と、
前記コンディショナ内で前記乾燥剤コレクタから液体乾燥剤を受け取り、前記暖気運転モードで前記液体乾燥剤から水を吸収するための、前記コンディショナに接続されたリジェネレータと、
前記暖気運転モードで、前記コンディショナおよび前記蒸発チラーを通して前記気流を移動するための装置と、
前記暖気運転モードで、前記コンディショナおよび前記蒸発チラーを通して前記熱伝達流体を循環させるための装置と、
前記コンディショナおよび前記リジェネレータを通して前記液体乾燥剤を循環させるための装置と、
を備える乾燥剤空調システム。
＜付記２９５＞
前記建物空間からの還気が、前記リジェネレータを通って流れ、前記液体乾燥剤から水を吸収する、付記２９４に記載の乾燥剤空調システム。
＜付記２９６＞
前記気流を移動するための前記装置が、前記コンディショナから前記蒸発チラーへ迂回される前記気流の前記量を制御し、前記建物空間に進入する前記気流の前記温度を調整するための機構をさらに備える、付記２９４に記載の乾燥剤空調システム。
＜付記２９７＞
前記乾燥剤空調システムで使用される電力を発電するため、および夜に前記熱伝達流体から熱を放射することによって前記コンディショナで使用される前記熱伝達流体を冷却するための、前記コンディショナに接続された太陽光―熱（ＰＶＴ）モジュールをさらに備え、前記ＰＶＴモジュールによって冷却される前記熱伝達流体を保管するためのタンクをさらに備える、付記２９４に記載の乾燥剤空調システム。
＜付記２９８＞
前記乾燥剤空調システムを操作する際に使用される電力を発電するため、および日中、前記リジェネレータで活用される熱伝達流体を加熱するための、前記リジェネレータに接続された第１の太陽光―熱（ＰＶＴ）モジュールをさらに備え、前記第１のＰＶＴモジュールによって加熱される前記熱伝達流体を保管するためのタンクをさらに備える、付記２９４に記載の乾燥剤空調システム。
＜付記２９９＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記２９４に記載の乾燥剤空調システム。
＜付記３００＞
前記コンディショナおよび前記空気処理装置が、寒気運転モードで前記気流を加熱し、加湿するように構成され、前記リジェネレータが水を加熱し、前記寒気運転モードで水を前記液体乾燥剤に加えるように構成される、付記２９４に記載の乾燥剤空調システム。
＜付記３０１＞
前記寒気運転モードで前記コンディショナ内の前記熱伝達流体を加熱するための加熱器をさらに備える、付記３００に記載の乾燥剤空調システム。
＜付記３０２＞
前記寒気運転モードで前記コンディショナまたは前記空気処理装置に進入する気流を加熱するための１台または複数の予熱器をさらに備える、付記３００に記載の乾燥剤空調システム。
＜付記３０３＞
前記空気処理装置が、実質的に垂直向きで配置される複数の構造体を備え、各構造体は、前記液体乾燥剤が横切って流れることができる少なくとも１つの表面を有し、前記気流は、前記液体乾燥剤が前記気流を加湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、付記２９４に記載の乾燥剤空調システム。
＜付記３０４＞
前記複数の構造体のそれぞれが、熱伝達流体が通って流れることができる通路を含み、前記熱伝達流体を冷却するための低熱源をさらに備える、付記２９４に記載の乾燥剤空調システム。
＜付記３０５＞
前記液体乾燥剤および前記熱伝達流体が、前記コンディショナ内で一般に反対方向で流れる、付記３０４に記載の乾燥剤空調システム。
＜付記３０６＞
前記複数の構造体が、前記温度勾配に一般的に平行である方向で自由に膨張または収縮し、前記構造体に対する熱誘導応力を緩和できるように、前記複数の構造体が、前記コンディショナ内で確保される、付記２９４に記載の乾燥剤空調システム。
＜付記３０７＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記２９４に記載の乾燥剤空調システム。
＜付記３０８＞
前記液体乾燥剤の前記表面張力および材料の前記シートの特性が、前記液体乾燥剤の乾燥剤コレクタへの移送を容易にする、付記３０７に記載の乾燥剤空調システム。
＜付記３０９＞
各構造体で、材料の前記シートの下縁が、液体乾燥剤の圧力上昇を削減するために、前記構造体の下位部に固定して接続されていない、付記３０７に記載の乾燥剤空調システム。
＜付記３１０＞
材料の前記シートが、膜または親水性材料を備える、付記３０７に記載の乾燥剤空調システム。
＜付記３１１＞
材料の前記シートが、疎水性微細孔膜を備える、付記３０７に記載の乾燥剤空調システム。
＜付記３１２＞
材料の前記シートが、疎水性材料の層および親水性材料の層を、前記疎水性材料と前記構造体の前記少なくとも１つの表面との間に備える、付記３０７に記載のシステム。
＜付記３１３＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記３０７に記載の乾燥剤空調システム。
＜付記３１４＞
各構造体が、熱伝達流体が、前記熱伝達流体と前記液体乾燥剤または前記気流との間で熱の伝達のために流れることができる内部通路を含む、付記３１３に記載の乾燥剤空調システム。
＜付記３１５＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記３０７に記載の乾燥剤空調システム。
＜付記３１６＞
前記複数の構造体が、実質的に垂直向きで配置され、離間される複数のプレートアセンブリを備え、隣接するプレートアセンブリ間での前記気流の流れを可能にする、付記２９４に記載の乾燥剤空調システム。
＜付記３１７＞
各プレートアセンブリが、入り組んだプレートを含む、付記３１６に記載の乾燥剤空調システム。
＜付記３１８＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記２９４に記載の乾燥剤空調システム。
＜付記３１９＞
前記コンディショナ内の前記構造体を通って、または前記構造体の間を流れる前記気流で乱流を引き起こすための装置をさらに備える、付記２９４に記載の乾燥剤空調システム。
＜付記３２０＞
各構造体が、熱伝導性プラスチック材料を備える、付記２９４に記載の乾燥剤空調システム。
＜付記３２１＞
前記リジェネレータが、実質的に垂直向きで配置される複数の構造体を備え、各構造体は、前記液体乾燥剤が横切って流れることができる少なくとも１つの表面を有し、前記気流は、前記構造体を通って、または前記構造体の間を流れ、前記液体乾燥剤に水を脱着させ、各構造体が、前記構造体の下端に、前記構造体の前記少なくとも１つの表面を横切って流れた液体乾燥剤を収集するための乾燥剤コレクタをさらに含む、付記２９４に記載の乾燥剤空調システム。
＜付記３２２＞
前記構造体が、前記温度勾配に一般的に平行である方向で自由に膨張または収縮し、前記構造体に対する熱誘導応力を緩和できるように、前記複数の構造体が、前記コンディショナ内で確保される、付記３２１に記載の乾燥剤空調システム。
＜付記３２３＞
前記液体乾燥剤と前記気流との間で、前記リジェネレータの各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記３２１に記載の乾燥剤空調システム。
＜付記３２４＞
前記液体乾燥剤の前記表面張力および材料の前記シートの特性が、前記液体乾燥剤の乾燥剤コレクタへの移送を容易にする、付記３２３に記載の乾燥剤空調システム。
＜付記３２５＞
各構造体で、材料の前記シートの下縁が、液体乾燥剤の圧力上昇を削減するために、前記構造体の下位部に固定して接続されていない、付記３２３に記載の乾燥剤空調システム。
＜付記３２６＞
材料の前記シートが、膜または親水性材料を備える、付記３２３に記載の乾燥剤空調システム。
＜付記３２７＞
材料の前記シートが、疎水性微細孔膜を備える、付記３２３に記載の乾燥剤空調システム。
＜付記３２８＞
材料の前記シートが、疎水性材料の層および親水性材料の層を、前記疎水性材料と前記構造体の前記少なくとも１つの表面との間に備える、付記３２３に記載のシステム。
＜付記３２９＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水静材料の内層を備える、付記３２３に記載の乾燥剤空調システム。
＜付記３３０＞
各構造体が、熱伝達流体が、前記熱伝達流体と前記液体乾燥剤または前記気流との間で熱の伝達のために流れることができる内部通路を含む、付記３２９に記載の乾燥剤空調システム。
＜付記３３１＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記３２３に記載の乾燥剤空調システム。
＜付記３３２＞
前記リジェネレータ内の前記複数の構造体が、実質的に垂直向きで配置され、離間される複数のプレートアセンブリを備え、隣接するプレートアセンブリ間での前記気流の流れを可能にする、付記３２１に記載の乾燥剤空調システム。
＜付記３３３＞
各プレートアセンブリが、入り組んだプレートを含む、付記３３２に記載の乾燥剤空調システム。
＜付記３３４＞
前記リジェネレータ内の前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記３２１に記載の乾燥剤空調システム。
＜付記３３５＞
前記建物空間に進入する前記気流が、前記コンディショナを通る一般に水平方向で流、前記建物空間からの還気流または外気が前記リジェネレータを通って一般に水平方向で流れる、付記２９４に記載の乾燥剤空調システム。
＜付記３３６＞
前記建物空間に進入する前記気流が、前記コンディショナを通って一般に垂直方向で流れ、前記建物空間からの還気流または外気が前記リジェネレータを通って一般に垂直方向で流れる、付記２９４に記載の乾燥剤空調システム。
＜付記３３７＞
前記蒸発チラーが、実質的に垂直向きで配置され、構造体を通って、または前記構造体の間で前記除湿された気流の流れを可能にするように構成される複数の前記構造体を含み、各構造体が、前記熱伝達流体が流れることができる内部通路を有し、各構造体が、前記水源からの前記水が、前記除湿された気流が水を吸収し、それによって前記熱伝達流体を冷却するように横切って流れることができる外面も含み、各構造体が、前記構造体の下端に、各構造体の前記外面全体で流れた水を収集するための水コレクタをさらに含む、付記２９４に記載の乾燥剤空調システム。
＜付記３３８＞
前記除湿された気流が、前記構造体を通ってまたは前記構造体の間で実質的に水平方向に流れるように向けられる、付記３３７に記載の乾燥剤空調システム。
＜付記３３９＞
前記リジェネレータおよび前記コンディショナが物理的に分離され、分割空調システムを形成する、付記２９４に記載の乾燥剤空調システム。
＜付記３４０＞
前記建物空間に１つまたは複数の液体対空気熱交換器をさらに備え、前記１つまたは複数の液体対空気熱交換器が、前記蒸発チラーから冷却された熱伝達流体を受け取り、顕熱空間冷却を提供するように構成される、付記２９４に記載の乾燥剤空調システム。
＜付記３４１＞
前記液体対空気熱交換器が、天井パネルまたはファンコイルを備える、付記２９４に記載の乾燥剤空調システム。
＜付記３４２＞
建物空間に進入する気流を処理するための方法であって、
実質的に垂直向きで配置された複数の構造体を含むコンディショナを提供するステップであって、各構造体が外面を含み、各構造体が前記入り組んだプレート構造体の下端に乾燥剤コレクタをさらに含む、提供するステップと、
各構造体の前記外面を横切って液体乾燥剤を流し、前記乾燥剤コレクタに液体乾燥剤を収集するステップと、
前記液体乾燥剤が暖気運転モードで前記気流を除湿するように、前記構造体の間を、または前記構造体を通って前記気流を流すステップと、
前記コンディショナで使用される前記熱伝達流体を冷却するための前記暖気運転モードで蒸発チラーとして働く空気処理装置で使用するための、前記コンディショナを出る前記除湿された気流の一部を迂回させるステップと、
前記コンディショナ内の前記乾燥剤コレクタから液体乾燥剤を受け取り、前記液体乾燥剤から水を吸収するステップと、
を含む方法。
＜付記３４３＞
各構造体が内部通路を含み、前記方法が、各構造体で内部通路を通して熱伝達流体を流すことをさらに含む、付記３４２に記載の方法。
＜付記３４４＞
前記建物空間からの還気を活用し、前記液体乾燥剤から水を吸収することをさらに含む、付記３４２に記載の方法。
＜付記３４５＞
前記コンディショナから迂回される前記除湿された気流の前記量を変え、前記建物空間に進入する前記気流の前記温度を調整することをさらに含む、付記３４２に記載の方法。
＜付記３４６＞
タンク内に前記液体乾燥剤を置くことと、
前記液体乾燥剤が、前記タンクの前記高さに沿って濃度が変化するように、前記液体乾燥剤が沈殿できるようにすることと、
所与の濃度を有する液体乾燥剤を入手するために、前記タンクの所与の選択された高さで、前記タンクから液体乾燥剤を引き出すことと、
をさらに含む、付記３４２に記載の方法。
＜付記３４７＞
寒気運転モードで、前記方法は、前記気流を加湿するための前記液体乾燥剤、ならびに前記コンディショナで、および前記空気処理装置で前記液体乾燥剤を加熱するための熱伝達流体を活用することをさらに含む、付記３４２に記載の方法。
＜付記３４８＞
前記コンディショナで前記熱伝達流体を加熱することをさらに含む、付記３４７に記載の方法。
＜付記３４９＞
前記コンディショナまたは前記空気処理装置に進入する前記気流を予熱することをさらに含む、付記３４７に記載の方法。
＜付記３５０＞
前記構造体に進入する前記気流内で乱流を引き起こすことをさらに含む、付記３４２に記載の方法。
＜付記３５１＞
前記蒸発チラーから冷却された熱伝達流体を移し、建物空間内の１つまたは複数の液体対空気熱交換器、顕熱空間冷却を提供することをさらに含む、付記３４２に記載の方法。
＜付記３５２＞
乾燥剤空調システムで使用するための装置であって、
前記空調システムで使用される液体乾燥剤を保管するためのタンクであって、前記液体乾燥剤が、前記タンクの前記高さに沿って濃度が変化する、タンクと、
所与の濃度を有する液体乾燥剤を入手するために、前記タンクから異なる選択された高さで液体乾燥剤を引き出すための機構と、
を備える装置。
＜付記３５３＞
前記機構が、垂直に調整可能な排水装置を備える、付記３５２に記載の方法。
＜付記３５４＞
乾燥剤空調システムで使用するための液体乾燥剤を入手する方法であって、
タンク内に前記液体乾燥剤を置くステップと、
前記液体乾燥剤が、前記タンクの前記高さに沿って濃度が変化するように、前記液体乾燥剤が沈殿できるようにするステップと、
所与の濃度を有する液体乾燥剤を入手するために、前記タンクの所与の選択された高さで、前記タンクから液体乾燥剤を引き出すステップと、
を含む方法。
＜付記３５５＞
水回収システムであって、
一般に密封されたエンクロージャと、
前記エンクロージャ内の第１の空気処理装置であって、前記第１の空気処理装置が液体乾燥剤から水蒸気を引き出し、前記水蒸気を、前記空気処理装置を通って流れる気流に移すように構成され、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含み、前記第１の空気処理装置が、前記構造体に前記液体乾燥剤を供給するための液体乾燥剤ソースをさらに含む、第１の空気処理装置と、
前記第１の空気処理装置を出る前記気流を受け取る前記エンクロージャ内の第２の空気処理装置であって、前記第２の空気処理装置が、前記気流内の前記水蒸気の凝縮を引き起こし、前記エンクロージャの外部で移送できる液状水分を生じさせる、第２の空気処理装置と、
前記第１の空気処理装置と前記第２の空気処理装置との間で空気を循環させるための機構と、
を備える、水回収システム。
＜付記３５６＞
前記液体乾燥剤を加熱するための熱源をさらに備える、付記３５５に記載のシステム。
＜付記３５７＞
前記複数の構造体のそれぞれが、熱伝達流体が通って流れることができる通路を含み、前記熱伝達流体を加熱するための熱源をさらに備える、付記３５５に記載のシステム。
＜付記３５８＞
前記液体乾燥剤および前記熱伝達流体が、前記第１の空気処理装置内で一般に反対方向で流れる、付記３５７に記載のシステム。
＜付記３５９＞
前記構造体が、前記温度勾配に一般的に平行である方向で自由に膨張または収縮し、前記構造体に対する熱誘導応力を緩和できるように、前記複数の構造体が、前記第１の空気処理装置内で確保される、付記３５５に記載のシステム。
＜付記３６０＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記３５５に記載のシステム。
＜付記３６１＞
前記液体乾燥剤の前記表面張力および材料の前記シートの特性が、前記液体乾燥剤の乾燥剤コレクタへの移送を容易にする、付記３６０に記載のシステム。
＜付記３６２＞
各構造体で、材料の前記シートの下縁が、液体乾燥剤の圧力上昇を削減するために、前記構造体の下位部に固定して接続されていない、付記３６０に記載のシステム。
＜付記３６３＞
材料の前記シートが、膜または親水性材料を備える、付記３６０に記載のシステム。
＜付記３６４＞
材料の前記シートが、疎水性微細孔膜を備える、付記３６０に記載のシステム。
＜付記３６５＞
材料の前記シートが、疎水性材料の層および親水性材料の層を、前記疎水性材料と前記構造体の前記少なくとも１つの表面との間に備える、付記３６０に記載のシステム。
＜付記３６６＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記３６０に記載のシステム。
＜付記３６７＞
各構造体が、熱伝達流体が、前記熱伝達流体と前記液体乾燥剤または前記気流との間で熱の伝達のために流れることができる内部通路を含む、付記３６６に記載のシステム。
＜付記３６８＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記３６０に記載のシステム。
＜付記３６９＞
前記複数の構造体が、実質的に垂直向きで配置され、離間される複数のプレートアセンブリを備え、隣接するプレートアセンブリ間での前記気流の流れを可能にする、付記３５５に記載のシステム。
＜付記３７０＞
各プレートアセンブリが、入り組んだプレートを含む、付記３６９に記載のシステム。
＜付記３７１＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記３５５に記載のシステム。
＜付記３７２＞
前記第１の空気処理装置内の前記構造体を通って、または前記構造体の間を流れる前記気流で乱流を引き起こすための装置をさらに備える、付記３５５に記載のシステム。
＜付記３７３＞
各構造体が、熱伝導性プラスチック材料を備える、付記３５５に記載のシステム。
＜付記３７４＞
前記第１の空気処理装置で使用される前記液体乾燥剤を保管するための、前記コンディショナに接続されたタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記３５５に記載のシステム。
＜付記３７５＞
前記第２の空気処理装置が、前記構造体の間を、または前記構造体を通して前記気流の流れを可能にするように構成される、実質的に垂直向きで配置される複数の構造体を含み、各構造体が前記気流内の前記水蒸気が凝縮する表面を含む、付記３５５に記載のシステム。
＜付記３７６＞
前記構造体を冷却するための低熱源をさらに備える、付記３７５に記載のシステム。
＜付記３７７＞
前記第２の空気処理装置内の前記複数の構造体のそれぞれが、熱伝達流体が通って流れることができる通路を含み、前記熱伝達流体を冷却するための低熱源をさらに備える、付記３７５に記載の乾燥剤空調システム。
＜付記３７８＞
前記構造体が、前記温度勾配に一般的に平行である方向で自由に膨張または収縮し、前記構造体に対する熱誘導応力を緩和できるように、前記複数の構造体が、前記第２の空気処理装置内で確保される、付記３７８に記載のシステム。
＜付記３７９＞
空気を循環させるための前記機構が、１つまたは複数のブロワを備える、付記３５５に記載のシステム。
＜付記３８０＞
前記エンクロージャ内部で空気圧を削減するための前記エンクロージャに接続された真空ポンプをさらに備える、付記３５に記載のシステム。
＜付記３８１＞
前記第２の空気処理装置に進入する前記気流から、前記第１の空気処理装置に進入する前記気流に熱を伝達するための熱交換器をさらに備える、付記３５５に記載のシステム。
＜付記３８２＞
液状水分を生成するための方法であって、
液体乾燥剤ソースから液体乾燥剤を提供することと、
一般に密封されたエンクロージャ内の第１の空気処理装置内で気流を加湿することであって、前記第１の空気処理装置が、実質的に垂直向きで配置される複数の構造体を含み、各構造体が、前記液体乾燥剤が横切って流れることができる少なくとも１つの表面を有し、前記方法が、前記構造体の間でまたは前記構造体を通して前記気流を流し、前記液体乾燥剤から引き出される水蒸気で前記気流を加湿することと、
前記第１の処理装置から、やはり一般に密封されたエンクロージャ内の第２の処理装置に前記気流を移すことと、
前記第２の空気処理装置で前記気流中の前記水蒸気の凝縮を引き起こし、前記エンクロージャの外部で移すことができる液状水分を生成することと、
を含む方法。
＜付記３８３＞
前記液体管掃除を加熱することをさらに備える、付記３８２に記載の方法。
＜付記３８４＞
前記複数の構造体のそれぞれが、熱伝達流体が通って流れることができる通路を含み、前記方法が、前記通路を通って熱伝達流体を流し、前記熱伝達流体を加熱することをさらに含む、付記３８２に記載の乾燥剤空調システム。
＜付記３８５＞
前記液体乾燥剤および前記熱伝達竜外または一般に反対方向で流れる理由、付記３８４に記載の方法。
＜付記３８６＞
前記第２の空気処理装置が、実質的に垂直線で配置される複数の構造対を含み、各構造体が表面を含み、前記方法が、前記気流中の前記水蒸気が前記表面で凝縮するように、前記構造体の間を、または前記構造体を通って前記気流を流すことをさらに含む、付記３８２に記載の方法。
＜付記３８７＞
前記構造体を冷却することをさらに含む、付記３８６に記載の方法。
＜付記３８８＞
前記第２の空気処理装置内の前記複数の構造体のそれぞれが、熱伝達流体が通って流れることができる通路を含み、前記方法が、前記熱伝達流体を冷却することをさらに含む、付記３８６に記載の方法。
＜付記３８９＞
前記構造体が、前記温度勾配に一般的に平行である方向で自由に膨張または収縮し、前記構造体に対する熱誘導応力を緩和できるように、前記複数の構造体が、前記第２の空気処理装置内で確保される、付記３８６に記載のシステム。
＜付記３９０＞
前記第２の空気処理装置に進入する前記気流から、前記第１の空気処理装置に進入する前記気流に熱を伝達することをさらに含む、付記３８２に記載のシステム。
＜付記３９１＞
前記構造体に進入する前記気流内で乱流を引き起こすことをさらに含む、付記３８２に記載の方法。
＜付記３９２＞
乾燥剤空調および水回収システムであって、
実質的に垂直向きで配置される複数の構造体を含むコンディショナであって、各構造体は、液体乾燥剤が横切って流れることができる少なくとも１つの表面を有し、前記気流は、前記液体乾燥剤が前記気流を除湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
水回収システムであって、
（ａ）一般に密封されたエンクロージャと、
（ｂ）前記エンクロージャ内の第１の空気処理装置であって、前記第１の空気処理装置が前記コンディショナの前記乾燥剤コレクタ内に収集される前記液体乾燥剤を受け取り、前記液体乾燥剤から水蒸気を引き出し、前記水蒸気を、前記第１の空気処理装置を通って流れる気流に移し、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含み、前記第１の空気処理装置が、前記構造体に前記液体乾燥剤を供給するための液体乾燥剤ソースをさらに含む、第１の空気処理装置と、
（ｃ）前記第１の空気処理装置を出る前記気流を受け取る、前記エンクロージャ内の第２の空気処理装置であって、前記第２の空気処理装置が、前記構造体の間を、または前記構造体を通して前記気流の流れを可能にするように構成される、実質的に垂直向きで配置される複数の構造体を含み、各構造体が前記気流内の前記水蒸気が凝縮する表面を含む、第２の空気処理装置と、
（ｄ）前記第１の空気処理装置と前記第２の空気処理装置との間で空気を循環させるための機構と、
を備える、水回収システムと、
前記コンディショナと前記第１の空気処理装置との間で前記液体乾燥剤を循環させるための装置と、
を備える、乾燥剤空調および水回収システム。
＜付記３９３＞
前記コンディショナで使用される前記液体乾燥剤を冷却するための低熱源をさらに備える、付記３９２に記載の乾燥剤空調システム。
＜付記３９４＞
前記コンディショナ内の前記複数の構造体のそれぞれが、熱伝達流体が通って流れることができる通路を含み、前記熱伝達流体を冷却するための低熱源をさらに備える、付記３９２に記載の乾燥剤空調システム。
＜付記３９５＞
前記液体乾燥剤および前記熱伝達流体が、前記コンディショナ内で一般に反対方向で流れる、付記３９４の乾燥剤空調システム。
＜付記３９６＞
前記第１の空気処理装置で前記液体乾燥剤を加熱するための熱源をさらに備える、付記３９２に記載のシステム。
＜付記３９７＞
前記第１の空気処理装置内の前記複数の構造体のそれぞれが、熱伝達流体が通って流れることができる通路を含み、前記熱伝達流体を加熱するための熱源をさらに備える、付記３９２に記載のシステム。
＜付記３９８＞
前記液体乾燥剤および前記熱伝達流体が、前記第１の空気処理装置内で一般に反対方向で流れる、付記３９７に記載のシステム。
＜付記３９９＞
前記第２の空気処理装置で前記構造体を冷却するための低熱源をさらに備える、付記３９２に記載のシステム。
＜付記４００＞
前記第２の空気処理装置内の前記複数の構造体のそれぞれが、熱伝達流体が通って流れることができる通路を含み、前記熱伝達流体を冷却するための低熱源をさらに備える、付記３９２に記載のシステム。
＜付記４０１＞
前記コンディショナと前記第２の空気処理システムとの間で熱伝達流体を循環させるための装置をさらに備える、付記３９２に記載のシステム。
＜付記４０２＞
空気を循環させるための前記機構が、１つまたは複数のブロワを備える、付記３９２に記載のシステム。
＜付記４０３＞
前記エンクロージャ内部の空気圧を削減するための、前記エンクロージャに接続された真空ポンプをさらに備える、付記３９２に記載のシステム。
＜付記４０４＞
前記第２の空気処理装置に進入する前記気流から、前記第１の空調装置に進入する前記気流に熱を伝達するための熱交換器をさらに備える、付記３９２に記載のシステム。
＜付記４０５＞
前記第１の空気処理装置および前記コンディショナが、前記液体乾燥剤と前記気流との間の各構造体の前記表面に近位に位置決めされる材料のシートをさらに備え、材料の前記シートが、乾燥剤コレクタの中に前記液体乾燥剤を誘導し、前記液体乾燥剤から前記気流への水蒸気の移送を可能にする、付記３９２に記載のシステム。
＜付記４０６＞
液体乾燥剤の前記表面張力および材料の前記シートの特性が、前記液体乾燥剤の乾燥剤コレクタへの移送を容易にする、付記４０５に記載のシステム。
＜付記４０７＞
各構造体で、材料の前記シートの下縁が、液体乾燥剤の圧力上昇を削減するために、前記構造体の下位部に固定して接続されていない、付記４０５に記載のシステム。
＜付記４０８＞
材料の前記シートが、膜または親水性材料を備える、付記４０５に記載のシステム。
＜付記４０９＞
材料の前記シートが、疎水性微細孔膜を備える、付記４０５に記載のシステム。
＜付記４１０＞
材料の前記シートが、疎水性材料の層および親水性材料の層を、前記疎水性材料と前記構造体の前記少なくとも１つの表面との間に備える、付記４０５に記載のシステム。
＜付記４１１＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記４０５記載のシステム。
＜付記４１２＞
各構造体が、熱伝達流体が、前記熱伝達流体と前記液体乾燥剤または前記気流との間で熱の伝達のために流れることができる内部通路を含む、付記４１１に記載のシステム。
＜付記４１３＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記４０５に記載のシステム。
＜付記４１４＞
前記複数の構造体が、実質的に垂直向きで配置され、離間される複数のプレートアセンブリを備え、隣接するプレートアセンブリ間での前記気流の流れを可能にする、付記３９２に記載のシステム。
＜付記４１５＞
各プレートアセンブリが、入り組んだプレートを含む、付記４１４に記載のシステム。
＜付記４１６＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記３９２に記載のシステム。
＜付記４１７＞
各構造体が、熱伝導性プラスチック材料を備える、付記３９２に記載のシステム。
＜付記４１８＞
前記構造体に進入する前記気流内で乱流を引き起こすための装置をさらに備える、付記３９２に記載のシステム。
＜付記４１９＞
前記第１の空気処理装置から前記コンディショナに流れる前記液体乾燥剤から、前記コンディショナから前記第１の空気処理装置に流れる前記液体乾燥剤に、熱を伝達するための熱交換器をさらに備える、付記３９２に記載のシステム。
＜付記４２０＞
前記第１の空気処理装置内の前記暖房システムが、前記システムを操作し、前記熱伝達流体を加熱する際に使用される電力を発電するための太陽光―（ＰＶＴ）モジュールを含む、付記３９２に記載のシステム。
＜付記４２１＞
分離器をさらに備え、前記分離器が、前記コンディショナで使用される液体乾燥剤を保管するためのタンクを含み、前記液体乾燥剤が、前記タンクの前記高さに沿って濃度が変化し、前記分離器が、前記リジェネレータに低い乾燥剤濃度を有する液体乾燥剤を移し、前記コンディショナにより高い乾燥剤濃度を有する液体乾燥剤を移すように構成され、前記リジェネレータで処理される液体乾燥剤が前記タンクに移送される、付記３９２に記載のシステム。
＜付記４２２＞
前記水回収システムが、燃焼汚染物質を吸収するための１つまたは複数のフィルタをさらに備え、
前記システムが、前記第１の空気処理装置で使用される前記熱伝達流体を加熱するための暖房システムをさらに備え、前記暖房システムが、前記熱伝達流体を加熱するためのガス燃焼器を備え、前記ガス燃焼器が、水蒸気および前記コンディショナを通って流れる前記気流によって運ばれる燃焼汚染物質を生成し、前記コンディショナ内の前記液体乾燥剤が、前記水蒸気および前記燃焼汚染物質を吸収し、前記燃焼汚染物質を、それらが前記１つまたは複数のフィルタによって捕捉できる前記第１の空気処理装置に移送する、付記３９２に記載のシステム。
＜付記４２３＞
前記コンディショナで処理される前記気流が、温室効果ガスから受け取られる、付記４２２に記載のシステム。
＜付記４２４＞
建物空間に進入する気流を処理するための乾燥剤空調システムであって、
（ａ）実質的に垂直向きで配置される複数の構造体を含むコンディショナであって、各構造体は、液体乾燥剤が横切って流れることができる少なくとも１つの表面を有し、前記気流は、前記液体乾燥剤が前記気流を除湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、コンディショナと、
（ｂ）前記熱伝導流体を受け取り、冷却するための、前記コンディショナに接続された蒸発チラーであって、前記蒸発チラーが、前記コンディショナを出る前記除湿された気流の少なくとも一部を受け取り、前記蒸発チラーが、前記除湿された気流の前記部分に、水源から水を吸収させ、それによって前記熱伝達流体を冷却させるように構成される、蒸発チラーと、
（ｃ）水回収システムであって、
（ｉ）一般に密封されたエンクロージャと、
（ｉｉ）前記エンクロージャ内の第１の空気処理装置であって、前記第１の空気処理装置が前記コンディショナの前記乾燥剤コレクタ内に収集される前記液体乾燥剤を受け取り、前記液体乾燥剤から水蒸気を引き出し、前記水蒸気を、前記第１の空気処理装置を通って流れる気流に移し、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含み、前記第１の空気処理装置が、前記構造体に前記液体乾燥剤を供給するための液体乾燥剤ソースをさらに含む、第１の空気処理装置と、
（ｉｉｉ）前記第１の空気処理装置を出る前記気流を受け取る前記エンクロージャ内の第２の空気処理装置であって、前記第２の空気処理装置が構造体の間の、または前記構造体を通る前記気流の流れを可能にするように構成される、実質的に垂直向きで配置される複数の前記構造体を含み、各構造体が、前記気流中の前記水蒸気が液状水分に凝縮する表面を含み、前記液状水分が、前記蒸発チラーのための前記水源の少なくとも一部を備える、第２の空気処理装置と、
（ｉｖ）前記第１の空気処理装置と前記第２の空気処理装置との間で空気を循環させるための機構と、
を備える、水回収システムと、
前記第１の空気処理装置内の前記乾燥剤コレクタからの液体乾燥剤、および前記第２の空気処理装置からの加熱された熱伝達流体を受け取るための、前記コンディショナおよび前記水回収装置に接続されたリジェネレータであって、前記リジェネレータは実質的に垂直向きで配置される複数の構造体を含み、各構造体は、前記液体乾燥剤が横切って流れることができる少なくとも１つの表面を有し、前記気流が前記構造体を通ってまたは前記構造体の間を流れ、前記液体乾燥剤に水を脱着させ、各構造体は、前記構造体の下端に、前記構造体の前記少なくとも１つの表面を横切って流れた液体乾燥剤を収集するための乾燥剤コレクタをさらに含み、前記リジェネレータが、前記コンディショナに前記液体乾燥剤を移送するように構成されたリジェネレータと、
前記コンディショナおよび前記蒸発チラーを通って前記気流を移動するための装置と、
前記コンディショナ、前記リジェネレータ、および前記第１の空気処理装置の間で前記液体乾燥剤を循環させるための装置と、
を備える乾燥剤空調システム。
＜付記４２５＞
前記コンディショナで使用される前記液体乾燥剤を冷却するための低熱源をさらに備える、付記４２４に記載の乾燥剤空調システム。
＜付記４２６＞
前記複数の構造体のそれぞれが、熱伝達流体が通って流れることができる通路を含み、前記熱伝達流体を冷却するための低熱源をさらに備える、付記４２４に記載の乾燥剤空調システム。
＜付記４２７＞
前記液体乾燥剤および前記熱伝達流体が、前記コンディショナ内で一般に反対方向で流れる、付記４２５に記載の乾燥剤空調システム。
＜付記４２８＞
前記コンディショナおよび前記蒸発チラーを通して、前記熱伝達流体を循環させるための装置をさらに備える、付記４２５に記載の乾燥剤空調システム。
＜付記４２９＞
前記第１の空気処理装置で前記液体乾燥剤を加熱するための熱源をさらに備える、付記４２４に記載の乾燥剤空調システム。
＜付記４３０＞
前記第１の空気処理装置内の前記複数の構造体のそれぞれが、熱伝達流体が通って流れることができる通路を含み、前記熱伝達流体を加熱するための熱源をさらに備える、付記４２４に記載の乾燥剤空調システム。
＜付記４３１＞
前記液体乾燥剤および前記熱伝達流体が、前記第１の空気処理装置内で一般に反対方向で流れる、付記３９に記載の乾燥剤空調システム。
＜付記４３２＞
前記第２の空気処理装置で前記構造体を冷却するための低熱源をさらに備える、付記４２４に記載の乾燥剤空調システム。
＜付記４３３＞
前記第２の空気処理装置内の前記複数の構造体のそれぞれが、熱伝達流体が通って
流れることができる通路を含み、前記熱伝達流体を冷却するための低熱源をさらに備える、付記４２４に記載の乾燥剤空調システム。
＜付記４３４＞
前記コンディショナから前記第２の空気処理装置に冷却された熱伝達流体を循環させるための装置をさらに備える、付記４２４に記載の乾燥剤空調システム。
＜付記４３５＞
前記リジェネレータで使用される前記液体乾燥剤を加熱するための熱源をさらに備える、付記４２４に記載の乾燥剤空調システム。
＜付記４３６＞
前記リジェネレータ内の前記複数の構造体のそれぞれが、熱伝達流体が通って流れることができる通路を含み、前記熱伝達流体を加熱するための熱源をさらに備える、付記４２４に記載の乾燥剤空調システム。
＜付記４３７＞
前記液体乾燥剤および前記熱伝達流体が、前記リジェネレータ内で一般に反対方向で流れる、付記４３６に記載の乾燥剤空調システム。
＜付記４３８＞
前記第２の空気処理装置と前記リジェネレータとの間で前記熱伝達流体を循環させるための装置をさらに備える、付記４３６に記載の乾燥剤空調システム。
＜付記４３９＞
空気を循環させるための前記機構が、１つまたは複数のブロワを備える、付記４２４に記載の乾燥剤空調システム。
＜付記４４０＞
前記エンクロージャ内部で空気圧を削減するための前記エンクロージャに接続された真空ポンプをさらに備える、付記４２４に記載の乾燥剤空調システム。
＜付記４４１＞
前記第２空気処理装置に進入する前記気流から、前記第１の空気処理装置に進入する前記気流へ熱を伝達するための熱交換器をさらに備える、付記４２４に記載の乾燥剤空調システム。
＜付記４４２＞
前記構造体が、前記温度勾配に一般的に平行である方向で自由に膨張または収縮し、前記構造体に対する熱誘導応力を緩和できるように、前記第１の空気処理装置、前記リジェネレータ、および前記コンディショナ内の前記複数の構造体が確保される、付記４２４に記載の乾燥剤空調システム。
＜付記４４３＞
前記第１の空気処理装置、前記リジェネレータ、および前記コンディショナが、前記液体乾燥剤と前記気流との間の各構造体の前記少なくとも１つの表面に近位に位置決めされる材料のシートをさらに備え、材料の前記シートが乾燥剤コレクタの中に前記液体乾燥剤を誘導し、前記液体乾燥剤と前記気流との間の水蒸気の移送を可能にする、付記４２４に記載のシステム。
＜付記４４４＞
前記液体乾燥剤の前記表面張力および材料の前記シートの特性が、前記液体乾燥剤の乾燥剤コレクタへの移送を容易にする、付記４４３に記載の乾燥剤空調システム。
＜付記４４５＞
各構造体で、材料の前記シートの下縁が、液体乾燥剤の圧力上昇を削減するために、前記構造体の下位部に固定して接続されていない、付記４４３に記載の乾燥剤空調システム。
＜付記４４６＞
材料の前記シートが、膜または親水性材料を備える、付記４４３に記載の乾燥剤空調システム。
＜付記４４７＞
材料の前記シートが、疎水性微細孔膜を備える、付記４４３に記載の乾燥剤空調システム。
＜付記４４８＞
材料の前記シートが、疎水性材料の層および親水性材料の層を、前記疎水性材料と前記構造体の前記少なくとも１つの表面との間に備える、付記４４３に記載のシステム。
＜付記４４９＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記４４３に記載の乾燥剤空調システム。
＜付記４５０＞
各構造体が、熱伝達流体が、前記熱伝達流体と前記液体乾燥剤または前記気流との間で熱の伝達のために流れることができる内部通路を含む、付記４４９に記載の乾燥剤空調システム。
＜付記４５１＞
60/451各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記４４３に記載の乾燥剤空調システム。
＜付記４５２＞
前記複数の構造体が、実質的に垂直向きで配置され、離間される複数のプレートアセンブリを備え、隣接するプレートアセンブリ間での前記気流の流れを可能にする、付記４２４に記載の乾燥剤空調システム。
＜付記４５３＞
各プレートアセンブリが、入り組んだプレートを含む、付記４５２に記載の乾燥剤空調システム。
＜付記４５４＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記４２４に記載の乾燥剤空調システム。
＜付記４５５＞
前記構造体を通して、または前記構造体の間を流れる前記気流で乱流を引き起こす前の装置をさらに備える、付記４２４に記載の乾燥剤空調システム。
＜付記４５６＞
各構造体が、熱伝導性プラスチック材料を備える、付記４２４に記載の乾燥剤空調システム。
＜付記４５７＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記４２４に記載の乾燥剤空調システム。
＜付記４５８＞
前記リジェネレータから前記コンディショナに流れる前記液体乾燥剤から、前記コンディショナから前記第１の空気処理装置に流れる前記液体乾燥剤へ熱を伝達するための熱交換器をさらに備える、付記４２４に記載の乾燥剤空調システム。
＜付記４５９＞
前記第１の空気処理装置内の前記暖房システムが、前記システムを操作し、前記熱伝達流体を加熱する際に使用される電力を発電するための太陽光―（ＰＶＴ）モジュールを含む、付記４２４に記載の乾燥剤空調システム。
＜付記４６０＞
気流を除湿するための液体乾燥剤空調システムであって、
液体乾燥剤を使用して前記気流を除湿するための乾燥剤コンディショナと、
前記コンディショナで使用される前記液体乾燥剤を再生するための乾燥剤リジェネレータであって、前記乾燥剤リジェネレータが前記コンディショナから受け取られる液体乾燥剤を加熱するための加熱システムと、空気が流れる第１のフィルタ材と、前記第１のフィルタ材を通って流れる空気が前記加熱された液体乾燥剤から水蒸気を引き出すように、前記第１のフィルタ材上で前記加熱システムによって加熱される液体乾燥剤を計量配分するための機構とを含み、前記液体乾燥剤は前記リジェネレータから、前記乾燥剤コンディショナ内の前記液体乾燥剤を計量配分するための前記機構に流れ、前記加熱システムが、熱伝達流体を加熱するための太陽光―熱（ＰＶＴ）モジュール、および前記熱伝達流体から前記液体乾燥剤へ熱を伝達するための熱交換器を備え、前記ＰＶＴモジュールも前記乾燥剤空調システムを操作する際に使用される電力を発電するための１つまたは複数の太陽電池を含み、前記乾燥剤リジェネレータが、前記空気から前記水蒸気を凝縮し、収集バス内で液状水分を収集するための装置をさらに備える、乾燥剤リジェネレータと、
前記リジェネレータから前記コンディショナに流れる前記液体乾燥剤から、前記コンディショナから前記リジェネレータに流れる前記液体乾燥剤に熱を伝達するための熱交換器と、
を備える、液体乾燥剤空調システム。
＜付記４６１＞
前記水蒸気を凝縮するための前記装置が、前記第１のフィルタ材から受け取られる空気が流れる前記乾燥剤リジェネレータ内の第２のフィルタ材、および前記第２のフィルタ材上で水を計量配分するための機構を備え、前記水が、前記水から、前記乾燥剤コンディショナを出る気流に熱を伝達する熱交換器によって冷却される、付記４６０に記載のシステム。
＜付記４６２＞
前記コンディショナから前記リジェネレータに流れる液体乾燥剤をさらに加熱するためのＰＶＴモジュールをさらに備える、付記４６０に記載のシステム。
＜付記４６３＞
前記加熱システムが、前記熱伝達流体を加熱するための加熱器をさらに備える、付記４６０に記載のシステム。
＜付記４６４＞
除湿される前記気流が、温室効果ガスから受け取られる、付記４６０に記載のシステム。
＜付記４６５＞
前記コンディショナ内で前記液体乾燥剤を計量配分するための前記機構が、１つまたは複数のスプレーヘッドを備える、付記４６０に記載のシステム。
＜付記４６６＞
前記濾過材がセルロース冷却塔充填材を備える、付記４６０に記載のシステム。
＜付記４６７＞
前記液体乾燥剤を使用して前記気流を除湿するための追加の乾燥剤コンディショナをさらに備え、水が前記リジェネレータによって前記液体乾燥剤から除去される、付記４６０に記載のシステム。
＜付記４６８＞
前記コンディショナが、前記気流が通って流れる濾過材、および前記濾過材上で前記液体乾燥剤を計量配分するための機構を含み、前記気流が前記濾過材を通って流れるにつれて、それが、前記気流から水蒸気を吸収する前記液体乾燥剤に露呈される、付記４６０に記載のシステム。
＜付記４６９＞
前記コンディショナが、実質的に垂直向きで配置される複数の構造体を備え、各構造体は、前記液体乾燥剤が横切って流れることができる少なくとも１つの表面を有し、前記気流は、前記液体乾燥剤が前記気流を除湿するように前記構造体を通って、または前記構造体の間を流れ、各構造体が、前記少なくとも１つの表面の下端に、前記構造体の前記少なくとも１つの表面を横切って流れた液体乾燥剤を収集するための乾燥剤コレクタをさらに含む、付記４６０に記載のシステム。
＜付記４７０＞
前記コンディショナで使用される前記液体乾燥剤を冷却するための低熱源をさらに備える、付記４６９に記載のシステム。
＜付記４７１＞
前記複数の構造体のそれぞれが、熱伝達流体が通って流れることができる通路を含み、前記熱伝達流体を加熱するための低熱源をさらに備える、付記４６９に記載のシステム。
＜付記４７２＞
前記液体乾燥剤および前記熱伝達流体が、前記コンディショナ内で一般に反対方向で流れる、付記４７１に記載のシステム。
＜付記４７３＞
前記構造体が、前記温度勾配に一般的に平行である方向で自由に膨張または収縮し、前記構造体に対する熱誘導応力を緩和できるように、前記複数の構造体が、前記コンディショナ内で確保される、付記４６９に記載のシステム。
＜付記４７４＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記４６９に記載のシステム。
＜付記４７５＞
前記液体乾燥剤の前記表面張力および材料の前記シートの特性が、前記液体乾燥剤の乾燥剤コレクタへの移送を容易にする、付記４７４に記載のシステム。
＜付記４７６＞
各構造体で、材料の前記シートの下縁が、液体乾燥剤の圧力上昇を削減するために、前記構造体の下位部に固定して接続されていない、付記４７４に記載のシステム。  
＜付記４７７＞
材料の前記シートが、膜または親水性材料を備える、付記４７４に記載のシステム。
＜付記４７８＞
材料の前記シートが、疎水性微細孔膜を備える、付記４７４に記載のシステム。
＜付記４７９＞
材料の前記シートが、疎水性材料の層および親水性材料の層を、前記疎水性材料と前記構造体の前記少なくとも１つの表面との間に備える、付記４７４に記載のシステム。
＜付記４８０＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記４７４記載のシステム。
＜付記４８１＞
各構造体が、熱伝達流体が、前記熱伝達流体と前記液体乾燥剤または前記気流との間で熱の伝達のために流れることができる内部通路を含む、付記４８０に記載のシステム。
＜付記４８２＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記４７４に記載のシステム。
＜付記４８３＞
前記複数の構造体が、実質的に垂直向きで配置され、離間される複数のプレートアセンブリを備え、隣接するプレートアセンブリ間での前記気流の流れを可能にする、付記４６９に記載のシステム。
＜付記４８４＞
各プレートアセンブリが、入り組んだプレートを含む、付記４８３に記載のシステム。
＜付記４８５＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記４６９に記載のシステム。
＜付記４８６＞
前記コンディショナ内の前記構造体を通って、または前記構造体の間を流れる前記気流で乱流を引き起こすための装置をさらに備える、付記４６９に記載のシステム。
＜付記４８７＞
各構造体が、熱伝導性プラスチック材料を備える、付記４６９に記載のシステム。
＜付記４８８＞
前記コンディショナで使用される前記液体乾燥剤を保管するための、前記コンディショナに接続されるタンクをさらに備え、前記液体乾燥剤が、前記タンクの前記高さに沿って濃度が変わり、所与の濃度を有する液体乾燥剤を入手するために、前記タンクの異なる選択された高さで前記タンクから液体乾燥剤を引き出すための機構をさらに備える、付記４６０に記載の乾燥剤空調システム。
＜付記４８９＞
前記リジェネレータおよび前記コンディショナが物理的に分離され、分割空調システムを形成する、付記４６０に記載の乾燥剤空調システム。
＜付記４９０＞
気流を加熱するための乾燥剤空調システムであって、
（ａ）実質的に垂直向きで配置される複数の構造体を含むコンディショナであって、各構造体は、液体乾燥剤が横切って流れることができる少なくとも１つの表面を有し、各構造体は、液体乾燥剤が、横切って流れることができる少なくとも１つの表面を有し、各構造体は、前記少なくとも１つの表面の下端に、前記構造体の前記少なくとも１つの表面を横切って流れた液体乾燥剤を収集するための乾燥剤コレクタをさらに含む、コンディショナと、
（ｂ）水回収システムであって、
（ｉ）一般に密封されたエンクロージャと、
（ｉｉ）前記エンクロージャ内の第１の空気処理装置であって、前記第１の空気処理装置が前記コンディショナの前記乾燥剤コレクタ内に収集される前記液体乾燥剤を受け取り、前記液体乾燥剤から水蒸気を引き出し、前記水蒸気を、前記第１の空気処理装置を通って流れる気流に移し、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含む、第１の空気処理装置と、
（ｉｉｉ）前記第１の空気処理装置を出る前記気流を受け取る前記エンクロージャ内の第２の空気処理装置であって、前記第２の空気処理装置が構造体の間の、または前記構造体を通る前記気流の流れを可能にするように構成される、実質的に垂直向きで配置される複数の前記構造体を含み、各構造体が、前記気流中の前記水蒸気が凝縮して、液状水分を形成する表面を含む、第２の空気処理装置と、
（ｉｖ）燃焼温泉物質を吸収するための１つまたは複数のフィルタと、
（ｖ）前記第１の空気処理装置と前記第２の空気処理装置との間で空気を循環させるための機構と、
を備える、水回収システムと、
（ｃ）前記コンディショナで使用される前記熱伝達流体を加熱するための加熱システムであって、前記加熱システムが、前記熱伝達流体を加熱するためのガス燃焼器を備え、前記ガス燃焼器が、前記コンディショナを通って流れる前記空気流によって運ばれる燃焼汚染物質を生成し、前記コンディショナ内の前記液体乾燥剤が、燃焼汚染物質を吸収し、前記燃焼汚染物質を、それらが前記１つまたは複数のフィルタによって捕捉できる前記第１の空気処理装置に移送する、加熱システムと、
（ｄ）実質的に垂直向きで配置される複数の構造体を含み、前記構造体の間の、または前記構造体を通る気流の実質的に垂直な流れを可能にするリジェネレータであって、各構造体が、熱伝達流体が通って流れることができる内部通路を有し、各構造体が、液体乾燥剤が前記気流を除湿するように、前記液体乾燥剤が横切って流れることができる外面も含み、各構造体が、前記構造体の下端に、前記構造体の前記外面を横切って流れた液体乾燥剤を収集するための乾燥剤コレクタをさらに含み、前記リジェネレータが前記第２の空気処理装置で活用される熱伝達流体を受け取るように構成される、リジェネレータと、
（ｅ）前記コンディショナと前記第１の空気処理装置との間で、および前記コンディショナと前記リジェネレータとの間で前記液体乾燥剤を循環させるための装置と、
（ｆ）前記リジェネレータと前記第２の空気処理装置との間で前記熱伝達流体を循環させるための装置と、
を備える乾燥剤空調システム。
＜付記４９１＞
前記第２の空気処理装置で生成される液状水分を受け取り、前記コンディショナを出る前記気流を加湿する加湿器をさらに備える、付記４９０に記載のシステム。
＜付記４９２＞
前記液状水分を加熱するため、および前記システムを操作する際に使用される電力を発電するための、前記第２の空気処理装置に接続された太陽光―熱（ＰＶＴ）モジュールをさらに備える、付記４９０に記載のシステム。
＜付記４９３＞
前記コンディショナから前記リジェネレータに流れる前記液体乾燥剤から、前記リジェネレータから前記コンディショナに流れる前記液体乾燥剤に熱を伝達するための熱交換器をさらに備える、付記４９０に記載のシステム。
＜付記４９４＞
前記第２の空気処理装置に進入する前記気流から、前記第１の空気処理装置に進入する前記気流へ熱を伝達するための熱交換器をさらに備える、付記４９０に記載のシステム。
＜付記４９５＞
前記第１の空気処理装置、前記第２の空気処理装置、前記コンディショナ、および前記リジェネレータが、前記液体乾燥剤と前記気流との間のそれぞれの入り組んだプレート構造体の前記外面に近位に位置決めされる材料のシートをさらに備え、材料の前記シートが、乾燥剤コレクタの中に前記液体乾燥剤を誘導し、前記液体乾燥剤から前記気流への水蒸気の移送を可能にする、付記４９０に記載のシステム。
＜付記４９６＞
前記液体乾燥剤の前記表面張力および材料の前記シートの特性が、前記液体乾燥剤の乾燥剤コレクタへの移送を容易にする、付記４９５に記載のシステム。
＜付記４９７＞
各波状プレートアセンブリで、材料の前記シートの下縁が、液体乾燥剤の圧力上昇を削減するために、前記構造体の下位部に固定して接続されていない、付記４９５に記載のシステム。
＜付記４９８＞
材料の前記シートが、膜または親水性材料を備える、付記４９５に記載のシステム。
＜付記４９９＞
材料の前記シートが、疎水性微細孔膜を備える、付記４９５に記載のシステム。
＜付記５００＞
材料の前記シートが、疎水性材料の層および親水性材料の層を、前記疎水性材料と前記構造体の前記少なくとも１つの表面との間に備える、付記４９５に記載の乾燥剤空調システム。
＜付記５０１＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記４９５に記載の乾燥剤空調システム。
＜付記５０２＞
各構造体が、熱伝達流体が、前記熱伝達流体と前記液体乾燥剤または前記気流との間で熱の伝達のために流れることができる内部通路を含む、付記５０１に記載の乾燥剤空調システム。
＜付記５０３＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記４９４に記載の乾燥剤空調システム。
＜付記５０４＞
前記複数の構造体が、実質的に垂直向きで配置され、離間される複数のプレートアセンブリを備え、隣接するプレートアセンブリ間での前記気流の流れを可能にする、付記４９０に記載の乾燥剤空調システム。
＜付記５０５＞
各プレートアセンブリが、入り組んだプレートを含む、付記５０４に記載の乾燥剤空調システム。
＜付記５０６＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記４９０に記載の乾燥剤空調システム。
＜付記５０７＞
前記コンディショナ内の前記構造体を通って、または前記構造体の間を流れる前記気流で乱流を引き起こすための装置をさらに備える、付記４９０に記載の乾燥剤空調システム。
＜付記５０８＞
各構造体が、熱伝導性プラスチック材料を備える、付記４９０に記載の乾燥剤空調システム。
＜付記５０９＞
前記第１の空気処理装置から前記コンディショナに流れる前記液体乾燥剤から、前記コンディショナから前記第１の空気処理装置に流れる前記液体乾燥剤に熱を伝達するための熱交換器をさらに備える、付記４９０に記載のシステム。
＜付記５１０＞
前記システムを操作し、前記コンディショナ内で使用される前記熱伝達流体を加熱する際に使用される電力を生成するための太陽光―（ＰＶＴ）モジュールをさらに備える、付記４９０に記載のシステム。
＜付記５１１＞
前記システムを操作し、前記コンディショナ内で使用される前記液体乾燥剤を加熱する際に使用される電力を生成するための太陽光―（ＰＶＴ）モジュールをさらに備える、付記４９０に記載のシステム。
＜付記５１２＞
分離器をさらに備え、前記分離器が前記コンディショナで使用される液体乾燥剤を保管するためのタンクを含み、前記液体乾燥剤が、前記タンクの前記高さに沿って濃度が変化し、前記分離器が前記リジェネレータへ高い乾燥剤濃度を有する液体乾燥剤を移送し、前記コンディショナにより低い乾燥剤濃度を有する液体乾燥剤を移送するように構成され、前記リジェネレータで処理される液体乾燥剤が、前記タンクに移される、付記４９０に記載のシステム。
＜付記５１３＞
前記リジェネレータおよび前記コンディショナが物理的に分離され、分割空調システムを形成する、付記４９０に記載のシステム。
＜付記５１４＞
塩分除去システムであって、
（ａ）それぞれが流動床によって隣接するチャンネルから分離される、複数のチャンネルを備える液体乾燥剤を希釈するための装置であって、前記装置が、１つまたは複数のチャンネルで海水、および１つまたは複数の他のチャンネルで液体乾燥剤を受け取り、したがって前記海水および液体乾燥剤が前記チャンネルを通って流れるように構成され、前記液体乾燥剤が、１つまたは複数の流動床を通って前記液体乾燥剤の中に水を引き出し、それによって前記液体乾燥剤を希釈する、装置と、
（ｂ）水回収システムであって、
（ｉ）一般に密封されたエンクロージャと、
（ｉｉ）前記エンクロージャ内の第１の空気処理装置であって、前記第１の空気処理装置が前記装置から前記希釈された液体乾燥剤を受け取り、前記液体乾燥剤から水蒸気を引き出し、前記水蒸気を、前記第１の空気処理装置を通って流れる気流に移し、前記第１の空気処理装置が実質的に垂直向きで配置される複数の構造体を含み、各構造体が、前記液体乾燥剤が横切って流れることができる少なくとも１つの表面を有し、前記気流が、前記液体乾燥剤が前記気流を加湿するように前記構造体を通って、または前記構造体の間を流れ、各構造体が、前記少なくとも１つの面の下端に、前記構造体の前記少なくとも１つの面を横切って流れた液体乾燥剤を収集するための乾燥剤コレクタをさらに含む、第１の空気処理装置と、
（ｉｉｉ）前記第１の空気処理装置を出る前記気流を受け取る前記エンクロージャ内の第２の空気処理装置であって、前記第２の空気処理装置が、前記気流内の前記水蒸気の凝縮を引き起こし、前記エンクロージャの外部で移送できる液状水分を生じさせる、第２の空気処理装置と、
（ｉｖ）前記第１の空気処理装置と前記第２の空気処理装置との間で空気を循環させるための機構と、
を備える、水回収システムと、
（ｃ）前記装置と前記第１の空気処理装置との間で前記液体乾燥剤を循環させるための装置と、
を備える塩分除去システム。
＜付記５１５＞
前記１つまたは複数の流動床が、１つまたは複数の微細孔要素を備える、付記５１４に記載のシステム。
＜付記５１６＞
前記１つまたは複数の流動床が、１つまたは複数の膜を備える、付記５１４に記載のシステム。
＜付記５１７＞
空気を循環させるための前記機構が、１つまたは複数のブロワを備える、付記５１４に記載のシステム。
＜付記５１８＞
前記エンクロージャ内部で空気圧を削減するための前記エンクロージャに接続された真空ポンプをさらに備える、付記５１４に記載のシステム。
＜付記５１９＞
前記第２の空気処理装置に進入する前記気流から、前記第１の空気処理装置に進入する前記気流へ熱を伝達するための熱交換器をさらに備える、付記５１４に記載のシステム。
＜付記５２０＞
前記第１の空気処理装置で前記液体乾燥剤を加熱するための熱源をさらに備える、付記５１４に記載のシステム。
＜付記５２１＞
前記第１の空気処理装置内の前記複数の構造体のそれぞれが、熱伝達流体が通って流れることができる通路を含み、前記熱伝達流体を加熱するための熱源をさらに備える、付記５１４に記載のシステム。
＜付記５２２＞
前記液体乾燥剤および前記熱伝達流体が、前記第１の空気処理装置内で一般に反対方向で流れる、付記５２１に記載の乾燥剤空調システム。
＜付記５２３＞
前記構造体が、前記温度勾配に一般的に平行である方向で自由に膨張または収縮し、前記構造体に対する熱誘導応力を緩和できるように、前記第１の空気処理装置内の前記複数の構造体が、前記第１の空気処理装置内で確保される、付記５１４に記載のシステム。
＜付記５２４＞
前記液体乾燥剤と前記気流との間で、各構造体の前記少なくとも１つの面に近位に位置決めされる材料のシートをさらに備え、材料の前記シートが、乾燥剤コレクタの中へ前記液体乾燥剤を誘導し、前記液体乾燥剤と前記気流との間での水蒸気の移送を可能にする、付記５１４に記載のシステム。
＜付記５２５＞
前記液体乾燥剤の前記表面張力および材料の前記シートの特性が、前記液体乾燥剤の乾燥剤コレクタへの移送を容易にする、付記５２４に記載のシステム。
＜付記５２６＞
各構造体で、材料の前記シートの下縁が、液体乾燥剤の圧力上昇を削減するために、前記構造体の下位部に固定して接続されていない、付記５２４に記載のシステム。
＜付記５２７＞
材料の前記シートが、膜または親水性材料を備える、付記５２４に記載のシステム。
＜付記５２８＞
材料の前記シートが、疎水性微細孔膜を備える、付記５２４に記載のシステム。
＜付記５２９＞
材料の前記シートが、疎水性材料の層および親水性材料の層を、前記疎水性材料と前記構造体の前記少なくとも１つの表面との間に備える、付記５２４に記載のシステム。
＜付記５３０＞
各構造体が、前記液体乾燥剤が横切って流れることができる２つの対向する表面を含み、材料のシートがそれぞれの対向表面上で前記液体乾燥剤を覆い、材料の各シートが疎水性材料の外層および親水性材料の内層を備え、前記内層が前記構造体の前記表面の内の１つに向いている、付記５２４記載のシステム。
＜付記５３１＞
各構造体が、熱伝達流体が、前記熱伝達流体と前記液体乾燥剤または前記気流との間で熱の伝達のために流れることができる内部通路を含む、付記５３０に記載のシステム。
＜付記５３２＞
各構造体の材料の前記シートに１つまたは複数の通気孔をさらに備え、液体乾燥剤が、材料の前記シートと前記構造体の前記少なくとも１つの表面との間で自由に流れ、真空封止を抑制できるようにする、付記５２４に記載のシステム。
＜付記５３３＞
前記複数の構造体が、実質的に垂直向きで配置され、離間される複数のプレートアセンブリを備え、隣接するプレートアセンブリ間での前記気流の流れを可能にする、付記５１４に記載のシステム。
＜付記５３４＞
各プレートアセンブリが、入り組んだプレートを含む、付記５３３に記載のシステム。
＜付記５３５＞
前記複数の構造体が、実質的に垂直向きで配置される複数の管状部材を備え、管状部材の内の少なくともいくつかが、前記液体乾燥剤が流れることができる環状通路、および前記気流が流れることができる、前記環状通路によって取り囲まれる中心通路を含む、付記５１４に記載のシステム。
＜付記５３６＞
前記第１の空気処理装置内の前記構造体を通って、または前記構造体の間を流れる前記気流で乱流を引き起こすための装置をさらに備える、付記５１４に記載のシステム。
＜付記５３７＞
各構造体が、熱伝導性プラスチック材料を備える、付記５１４に記載のシステム。
＜付記５３８＞
前記第２の空気処理装置が、前記構造体の間を、または前記構造体を通して前記気流の流れを可能にするように構成される、実質的に垂直向きで配置される封数の構造体を含み、各構造体が前記気流内の前記水蒸気が凝縮する表面を含む、付記５１４に記載のシステム。
＜付記５３９＞
前記構造体を冷却するための低熱源をさらに備える、付記５３８に記載のシステム。
＜付記５４０＞
前記第２の空気処理装置内の前記複数の構造体のそれぞれが、熱伝達流体が通って流れることができる通路を含み、前記熱伝達流体を冷却するための低熱源をさらに備える、付記５３８に記載のシステム。
＜付記５４１＞
前記構造体が、前記温度勾配に一般的に平行である方向で自由に膨張または収縮し、前記構造体に対する熱誘導応力を緩和できるように、前記複数の構造体が、前記第2の空気処理装置内で確保される、付記５３８に記載のシステム。
＜付記５４２＞
空気を循環させるための前記機構が１つまたは複数のブロワを備える、付記５１４に記載のシステム。
＜付記５４３＞
前記第１の空気処理装置から前記装置に流れる前記液体乾燥剤から、前記装置から前記第１の空気処理装置に流れる前記液体乾燥剤へ熱を伝達するための熱交換器をさらに備える、付記５１４に記載のシステム。
＜付記５４４＞
前記第１の空気処理装置内の前記暖房システムが、前記システムを操作し、前記熱伝達流体を加熱する際に使用される電力を発電するための太陽光―（ＰＶＴ）モジュールを含む、付記５１４に記載のシステム。
＜付記５４５＞
前記システムを操作し、前記第１の空気処理装置に流れる前記液体乾燥剤を加熱する際に使用される電力を発電するための太陽光―光（ＰＶＴ）モジュールをさらに備える、付記５１４に記載のシステム。
＜付記５４６＞
前記システムを操作し、前記装置に流れる前記液体乾燥剤を加熱する際に使用される電力を発電するための太陽光―光（ＰＶＴ）モジュールをさらに備える、付記５１４に記載のシステム。
【図１Ａ】
0005911850.tif 000002
【図１Ｂ】
0005911850.tif 000003
【図２Ａ】
0005911850.tif 000004
【図２Ｂ】
0005911850.tif 000005
【図３Ａ】
0005911850.tif 000006
【図３Ｂ】
0005911850.tif 000007
【図４】
0005911850.tif 000008
【図５】
0005911850.tif 000009
【図６Ａ】
0005911850.tif 000010
【図６Ｂ】
0005911850.tif 000011
【図７】
0005911850.tif 000012
【図８】
0005911850.tif 000013
【図９】
0005911850.tif 000014
【図１０Ａ】
0005911850.tif 000015
【図１０Ｂ】
0005911850.tif 000016
【図１０Ｃ】
0005911850.tif 000017
【図１０Ｄ】
0005911850.tif 000018
【図１０Ｅ】
0005911850.tif 000019
【図１１Ａ】
0005911850.tif 000020
【図１１Ｂ】
0005911850.tif 000021
【図１１Ｃ】
0005911850.tif 000022
【図１１Ｄ】
0005911850.tif 000023
【図１１Ｅ】
0005911850.tif 000024
【図１１Ｆ】
0005911850.tif 000025
【図１１Ｇ】
0005911850.tif 000026
【図１１Ｈ】
0005911850.tif 000027
【図１１Ｉ−１１Ｊ】
0005911850.tif 000028
【図１１Ｋ】
0005911850.tif 000029
【図１１Ｌ】
0005911850.tif 000030
【図１２】
0005911850.tif 000031
【図１３Ａ】
0005911850.tif 000032
【図１３Ｂ】
0005911850.tif 000033
【図１４Ａ】
0005911850.tif 000034
【図１４Ｂ】
0005911850.tif 000035
【図１５Ａ】
0005911850.tif 000036
【図１５Ｂ】
0005911850.tif 000037
【図１６Ａ】
0005911850.tif 000038
【図１６Ｂ】
0005911850.tif 000039
【図１７Ａ】
0005911850.tif 000040
【図１７Ｂ】
0005911850.tif 000041
【図１８Ａ】
0005911850.tif 000042
【図１８Ｂ】
0005911850.tif 000043
【図１９Ａ】
0005911850.tif 000044
【図１９Ｂ】
0005911850.tif 000045
【図２０Ａ】
0005911850.tif 000046
【図２０Ｂ】
0005911850.tif 000047
【図２１Ａ】
0005911850.tif 000048
【図２１Ｂ】
0005911850.tif 000049
【図２１Ｃ】
0005911850.tif 000050
【図２２】
0005911850.tif 000051
【図２３】
0005911850.tif 000052
【図２４Ａ】
0005911850.tif 000053
【図２４Ｂ】
0005911850.tif 000054
【図２５】
0005911850.tif 000055
【図２６】
0005911850.tif 000056
【図２７Ａ】
0005911850.tif 000057
【図２７Ｂ】
0005911850.tif 000058
【図２８】
0005911850.tif 000059